(57)【要約】　　　（修正有）【課題】蓄積性蛍光体シートの支持体上の多数の輝尽性蛍光体層領域のみに励起光を導き、放出された輝尽光を光電的に検出する定量性に優れた生化学解析用データ読み取り方法を提供する。【解決手段】放射線エネルギーを選択的に蓄積した複数の輝尽性蛍光体層領域１２が、互いに離間して形成された蓄積性蛍光体シート１０をサンプルステージ２１に載置し、レーザ光２４を導くとともに、放出された輝尽光４５をフォトマルチプライア５０に導く光学ヘッド３５を主走査方向および副走査方向に移動させて、順次レーザ光を照射し、放出された輝尽光をフォトマルチプライア５０によって光電的に検出する。蓄積性蛍光体シートに位置決め用レーザ光を照射して、蓄積性蛍光体シートによって散乱された位置決め用レーザ光を光電的に検出し、光電的に検出したレーザ光の光量に基づいて光学ヘッドの位置を決定して位置決めし、レーザ光を照射し輝尽光を光電的に検出する。【選択図】　　　図６
2004117272.tif 000002
【特許請求の範囲】
【請求項１】
生化学解析用データが選択的に記録された複数の発光可能領域が、互いに離間して形成されたサンプルをサンプルステージに載置し、前記サンプルステージおよび励起光を相対的に移動させて、前記サンプルステージに載置された前記サンプルの前記複数の発光可能領域に、順次、励起光を照射し、前記複数の発光可能領域から放出される光を、光電的に検出して、生化学解析用データを生成する方法であって、前記サンプルステージに載置された前記サンプルの前記複数の発光可能領域のそれぞれに、励起光を照射するのに先立って、前記サンプルステージに載置された前記サンプルに、位置決め用光を照射して、前記サンプルステージに載置された前記サンプルによって散乱された前記位置決め用光または前記サンプルステージに載置された前記サンプルを透過した前記位置決め用光を光電的に検出し、光電的に検出した前記位置決め用光の光量に基づいて、前記サンプルステージおよび前記励起光の相対的位置を決定して、前記サンプルステージおよび前記励起光を位置決めし、前記サンプルステージに載置された前記サンプルの前記複数の発光可能領域のそれぞれに、励起光を照射し、前記サンプルステージに載置された前記サンプルの前記複数の発光可能領域のそれぞれから放出された光を光電的に検出して、生化学解析用データを生成することを特徴とする生化学解析用データの読み取り方法。
【請求項２】
前記サンプルステージに載置された前記サンプルの前記複数の発光可能領域に、前記位置決め用光を照射し、前記サンプルステージに載置された前記サンプルの前記複数の発光可能領域のそれぞれによって散乱された前記位置決め用光を光電的に検出し、光電的に検出した前記位置決め用光の光量が最大となる位置に、前記サンプルステージと前記励起光を位置決めし、前記サンプルステージに載置された前記サンプルの前記複数の発光可能領域のそれぞれに、励起光を照射し、前記サンプルステージに載置された前記サンプルの前記複数の発光可能領域のそれぞれから放出された光を光電的に検出して、生化学解析用データを生成することを特徴とする請求項１に記載の生化学解析用データの読み取り方法。
【請求項３】
前記サンプルステージに載置された前記サンプルに、前記位置決め用光を照射し、前記サンプルステージに載置された前記サンプルの前記複数の発光可能領域のそれぞれを透過した前記位置決め用光を光電的に検出し、光電的に検出した前記位置決め用光の光量が最大となる位置に、前記サンプルステージと前記励起光を位置決めし、前記サンプルステージに載置された前記サンプルの前記複数の発光可能領域のそれぞれに、励起光を照射し、前記サンプルステージに載置された前記サンプルの前記複数の発光可能領域のそれぞれから放出された光を光電的に検出して、生化学解析用データを生成することを特徴とする請求項１に記載の生化学解析用データの読み取り方法。
【請求項４】
生化学解析用データが選択的に記録された前記複数の発光可能領域が、互いに離間して形成された前記サンプルが、放射線データまたは化学発光データが選択的に記録された複数の輝尽性蛍光体層領域が、互いに離間して形成された蓄積性蛍光体シートによって構成され、前記位置決め用光が、前記蓄積性蛍光体シートの前記輝尽性蛍光体層領域に含まれている輝尽性蛍光体を実質的に励起しない波長を有していることを特徴とする請求項１ないし３のいずれか１項に記載の生化学解析用データの読み取り方法。
【請求項５】
生化学解析用データが選択的に記録された前記複数の発光可能領域が、互いに離間して形成された前記サンプルが、蛍光データが選択的に記録された複数の吸着性領域が、互いに離間して形成された生化学解析用ユニットによって構成され、前記位置決め用光が、前記生化学解析用ユニットの前記吸着性領域に含まれている蛍光物質を効率的に励起しない波長を有していることを特徴とする請求項１ないし３のいずれか１項に記載の生化学解析用データの読み取り方法。
【請求項６】
励起光を発する少なくとも１つの励起光源と、生化学解析用データが選択的に記録された複数の発光可能領域が、互いに離間して形成されたサンプルを載置するサンプルステージと、前記サンプルステージに載置された前記サンプルの前記複数の発光可能領域から放出された光を光電的に検出する光検出器と、前記サンプルステージと前記励起光を相対的に移動させる走査機構と、前記少なくとも１つの励起光源から発せられた励起光を、前記サンプルステージに載置された前記サンプルの前記複数の発光可能領域に導く励起光集光手段と、前記サンプルステージに載置された前記サンプルの前記複数の発光可能領域から放出された光を前記光検出器に導く検出光集光手段と、位置決め用光を発する位置決め用光源と、前記位置決め用光源から発せられ、前記サンプルステージに載置された前記サンプルの前記発光可能領域によって散乱された位置決め用光の光量、または、前記位置決め用光源から発せられ、前記サンプルステージに載置された前記サンプルの前記発光可能領域を透過した位置決め用光の光量に基づいて、前記サンプルステージと前記励起光の最適相対的位置を決定し、前記走査機構を制御する制御手段を備えたことを特徴とする生化学解析用データ読み取り装置。
【請求項７】
前記位置決め用光源から発せられた前記位置決め用光が、前記励起光集光手段によって、前記サンプルステージに載置された前記サンプルの前記複数の発光可能領域のそれぞれに集光され、前記サンプルステージに載置された前記サンプルの前記複数の発光可能領域のそれぞれによって散乱された前記位置決め用光が、前記検出光集光手段によって、前記光検出器に導かれ、光電的に検出されるように構成されたことを特徴とする請求項６に記載の生化学解析用データ読み取り装置。
【請求項８】
前記位置決め用光源が、前記サンプルステージと前記サンプルの間に設けられ、前記位置決め用光源から発せられ、前記サンプルステージに載置された前記サンプルの前記複数の発光可能領域のそれぞれを透過した前記位置決め用光が、前記検出光集光手段によって、前記光検出器に導かれ、光電的に検出されるように構成されたことを特徴とする請求項６に記載の生化学解析用データ読み取り装置。
【請求項９】
前記位置決め用光源から発せられる前記位置決め用光が、前記少なくとも１つの励起光源から発せられる前記励起光と異なる波長を有していることを特徴とする請求項６ないし８のいずれか１項に記載の生化学解析用データ読み取り装置。
【発明の詳細な説明】
【０００１】
【発明の属する技術分野】
本発明は、生化学解析用データ読み取り方法および装置に関するものであり、さらに詳細には、蓄積性蛍光体シートの支持体に形成された多数の輝尽性蛍光体層領域のみに、確実に、励起光を導き、輝尽性蛍光体層領域に含まれた輝尽性蛍光体を励起し、輝尽性蛍光体層領域から放出された輝尽光を光電的に検出して、定量性に優れた生化学解析用データを生成することができ、生化学解析用ユニットの基板に形成された多数の吸着性領域のみに、確実に、励起光を導き、吸着性領域に含まれた蛍光物質を励起し、吸着性領域から放出された蛍光をを光電的に検出して、定量性に優れた生化学解析用データを生成することができる生化学解析用データ読み取り方法および装置に関するものである。
【０００２】
【従来の技術】
放射線が照射されると、放射線のエネルギーを吸収して、蓄積、記録し、その後に、特定の波長域の電磁波を用いて励起すると、照射された放射線のエネルギーの量に応じた光量の輝尽光を発する特性を有する輝尽性蛍光体を、放射線の検出材料として用い、放射性標識を付与した物質を、生物体に投与した後、その生物体あるいはその生物体の組織の一部を試料とし、この試料を、輝尽性蛍光体層が設けられた蓄積性蛍光体シートと一定時間重ね合わせることにより、放射線エネルギーを輝尽性蛍光体に、蓄積、記録し、しかる後に、電磁波によって、輝尽性蛍光体層を走査して、輝尽性蛍光体を励起し、輝尽性蛍光体から放出された輝尽光を光電的に検出して、ディジタル画像信号を生成し、画像処理を施して、ＣＲＴなどの表示手段上あるいは写真フイルムなどの記録材料上に、画像を再生するように構成されたオートラジオグラフィ解析システムが知られている（たとえば、特公平１−７０８８４号公報、特公平１−７０８８２号公報、特公平４−３９６２号公報など）。
【０００３】
また、光が照射されると、光のエネルギーを吸収して、蓄積、記録し、その後に、特定の波長域の電磁波を用いて励起すると、照射された光のエネルギーの量に応じた光量の輝尽光を発する特性を有する輝尽性蛍光体を、光の検出材料として用い、蛋白質、遺伝子配列などの固定された高分子を、化学発光物質と接触して、化学発光を生じさせる標識物質により、選択的に標識し、標識物質によって選択的に標識された高分子と、化学発光物質とを接触させて、化学発光物質と標識物質との接触によって生ずる可視光波長域の化学発光を、蓄積性蛍光体シートに形成された輝尽性蛍光体層に含まれている輝尽性蛍光体に蓄積、記録し、しかる後に、電磁波によって、輝尽性蛍光体層を走査して、輝尽性蛍光体を励起し、輝尽性蛍光体から放出された輝尽光を光電的に検出して、ディジタル信号を生成し、データ処理を施して、ＣＲＴなどの表示手段上あるいは写真フイルムなどの記録材料上に、データを再生するように構成された化学発光解析システムが知られている（たとえば、米国特許第５，０２８，７９３号、英国特許出願公開ＧＢ第２，２４６，１９７Ａなど。）。
【０００４】
蓄積性蛍光体シートを放射線の検出材料として使用するこれらのシステムは、写真フイルムを用いる場合とは異なり、現像処理という化学的処理が不必要であるだけでなく、得られたディジタルデータにデータ処理を施すことにより、所望のように、解析用データを再生し、あるいは、コンピュータによる定量解析が可能になるという利点を有している。
【０００５】
他方、オートラジオグラフィ解析システムにおける放射性標識物質に代えて、蛍光色素などの蛍光物質を標識物質として使用した蛍光（ｆｌｕｏｒｅｓｃｅｎｃｅ）解析システムが知られている。この蛍光解析システムによれば、蛍光物質から放出された蛍光を検出することによって、遺伝子配列、遺伝子の発現レベル、実験用マウスにおける投与物質の代謝、吸収、排泄の経路、状態、蛋白質の分離、同定、あるいは、分子量、特性の評価などをおこなうことができ、たとえば、電気泳動されるべき複数種の蛋白質分子を含む溶液を、ゲル支持体上で、電気泳動させた後に、ゲル支持体を蛍光色素を含んだ溶液に浸すなどして、電気泳動された蛋白質を染色し、励起光によって、蛍光色素を励起して、生じた蛍光を検出することによって、画像を生成し、ゲル支持体上の蛋白質分子の位置および量的分布を検出したりすることができる。あるいは、ウェスタン・ブロッティング法により、ニトロセルロースなどの転写支持体上に、電気泳動された蛋白質分子の少なくとも一部を転写し、目的とする蛋白質に特異的に反応する抗体を蛍光色素で標識して調製したプローブと蛋白質分子とを会合させ、特異的に反応する抗体にのみ結合する蛋白質分子を選択的に標識し、励起光によって、蛍光色素を励起して、生じた蛍光を検出することにより、画像を生成し、転写支持体上の蛋白質分子の位置および量的分布を検出したりすることができる。また、電気泳動させるべき複数のＤＮＡ断片を含む溶液中に、蛍光色素を加えた後に、複数のＤＮＡ断片をゲル支持体上で電気泳動させ、あるいは、蛍光色素を含有させたゲル支持体上で、複数のＤＮＡ断片を電気泳動させ、あるいは、複数のＤＮＡ断片を、ゲル支持体上で、電気泳動させた後に、ゲル支持体を、蛍光色素を含んだ溶液に浸すなどして、電気泳動されたＤＮＡ断片を標識し、励起光により、蛍光色素を励起して、生じた蛍光を検出することにより、画像を生成し、ゲル支持体上のＤＮＡを分布を検出したり、あるいは、複数のＤＮＡ断片を、ゲル支持体上で、電気泳動させた後に、ＤＮＡを変性（ｄｅｎａｔｕｒａｔｉｏｎ）し、次いで、サザン・ブロッティング法により、ニトロセルロースなどの転写支持体上に、変性ＤＮＡ断片の少なくとも一部を転写し、目的とするＤＮＡと相補的なＤＮＡもしくはＲＮＡを蛍光色素で標識して調製したプローブと変性ＤＮＡ断片とをハイブリダイズさせ、プローブＤＮＡもしくはプローブＲＮＡと相補的なＤＮＡ断片のみを選択的に標識し、励起光によって、蛍光色素を励起して、生じた蛍光を検出することにより、画像を生成し、転写支持体上の目的とするＤＮＡの分布を検出したりすることができる。さらに、標識物質によって標識した目的とする遺伝子を含むＤＮＡと相補的なＤＮＡプローブを調製して、転写支持体上のＤＮＡとハイブリダイズさせ、酵素を、標識物質により標識された相補的なＤＮＡと結合させた後、蛍光基質と接触させて、蛍光基質を蛍光を発する蛍光物質に変化させ、励起光によって、生成された蛍光物質を励起して、生じた蛍光を検出することにより、画像を生成し、転写支持体上の目的とするＤＮＡの分布を検出したりすることもできる。この蛍光解析システムは、放射性物質を使用することなく、簡易に、遺伝子配列などを検出することができるという利点がある。
【０００６】
また、同様に、蛋白質や核酸などの生体由来の物質を支持体に固定し、化学発光基質と接触させることによって化学発光を生じさせる標識物質により、選択的に標識し、標識物質によって選択的に標識された生体由来の物質と化学発光基質とを接触させて、化学発光基質と標識物質との接触によって生ずる可視光波長域の化学発光を、光電的に検出して、ディジタル画像信号を生成し、画像処理を施して、ＣＲＴなどの表示手段あるいは写真フィルムなどの記録材料上に、化学発光画像を再生して、遺伝子情報などの生体由来の物質に関する情報を得るようにした化学発光解析システムも知られている。
【０００７】
さらに、近年、スライドガラス板やメンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、蛍光物質、色素などの標識物質によって標識された物質を、ハイブリダイゼーションなどによって、特異的結合物質に、特異的に結合させたマイクロアレイに、励起光を照射して、蛍光物質、色素などの標識物質から発せられた蛍光などの光を光電的に検出して、生体由来の物質を解析するマイクロアレイ解析システムが開発されている。このマイクロアレイ解析システムによれば、スライドガラス板やメンブレンフィルタなどの担体表面上の異なる位置に、数多くの特異的結合物質のスポットを高密度に形成して、標識物質によって標識された生体由来の物質をハイブリダイズさせることによって、短時間に、生体由来の物質を解析することが可能になるという利点がある。
【０００８】
また、メンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、放射性標識物質によって標識された物質を、ハイブリダイゼーションなどによって、特異的結合物質に、特異的に結合させたマクロアレイを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成し、生体由来の物質を解析する放射性標識物質を用いたマクロアレイ解析システムも開発されている。
【０００９】
【発明が解決しようとする課題】
しかしながら、放射性標識物質を標識物質として用いたマクロアレイ解析システムにあっては、輝尽性蛍光体層を露光する際、メンブレンフィルタなどの担体表面上に形成されたスポット状領域に含まれた放射性標識物質の放射線エネルギーが非常に大きいため、放射性標識物質から発せられる電子線（β線）が散乱して、隣り合うスポット状領域に含まれた放射性標識物質によって露光されるべき輝尽性蛍光体層の領域に入射し、その結果、輝尽光を光電的に検出して生成された生化学解析用データ中にノイズが生成され、隣り合うスポット状領域間でのデータの分離が困難になって、分解能が低下するとともに、各スポット状領域の放射線量を定量して、生体由来の物質を解析する際、定量性が悪化するという問題があり、スポット状領域を近接して形成して、高密度化しようとする場合には、とくに、分解能が低下する著しく低下するとともに、定量性の著しい悪化が認められている。
【００１０】
かかる問題を解決するため、ＥＰ　１１７８　３１４　Ａ２などによって、放射線エネルギーを減衰させる性質を有する基板に、互いに離間して、多数の孔を形成し、多数の孔内に、吸着性材料を充填して、多数の吸着性領域を形成した生化学解析用ユニットを用い、生化学解析用ユニットの多数の吸着性領域に、特異的結合物質を含む溶液を滴下して、特異的結合物質を多数の吸着性領域に固定し、多数の吸着性領域に固定された特異的結合物質に、放射性標識物質によって標識された生体由来の物質を特異的に結合させて、放射性標識物質によって、多数の吸着性領域を選択的に標識し、放射線エネルギーを減衰させる性質を有する支持体に、生化学解析用ユニットの基板に形成された多数の吸着性領域と同じパターンによって、互いに離間して、多数の孔を形成し、多数の孔内に、輝尽性蛍光体を充填して、多数の輝尽性蛍光体層領域が形成された蓄積性蛍光体シートを、輝尽性蛍光体層領域が対応する吸着性領域に対向するように、生化学解析用ユニットに重ね合わせ、生化学解析用ユニットの多数の吸着性領域に選択的に含まれた放射性標識物質によって、蓄積性蛍光体シートの多数の輝尽性蛍光体層領域に含まれた輝尽性蛍光体を露光し、蓄積性蛍光体シートをレーザ光によって走査して、輝尽性蛍光体層領域に含まれた輝尽性蛍光体を励起し、蓄積性蛍光体シートの多数の輝尽性蛍光体層領域から選択的に放出される輝尽光を光電的に検出して、生化学解析用データを生成し、生体由来の物質を解析する方法が提案されている。
【００１１】
この方法によれば、生化学解析用ユニットの多数の吸着性領域に選択的に含まれた放射性標識物質から放出された電子線（β線）が、生化学解析用ユニットの基板内で散乱することを効果的に防止し、蓄積性蛍光体シートの支持体内で散乱することを効果的に防止することが可能になるから、生化学解析用ユニットの吸着性領域から放出された電子線（β線）が、隣り合う吸着性領域に含まれた放射性標識物質によって露光されるべき輝尽性蛍光体層の領域に入射することを効果的に防止することができ、生化学解析用データ中のノイズを大幅に低減させることが可能になる。
【００１２】
しかしながら、かかる方法によっても、スキャナを用いて、励起光により、蓄積性蛍光体シートの多数の輝尽性蛍光体層領域を走査して、輝尽性蛍光体層領域に含まれている輝尽性蛍光体を励起し、輝尽性蛍光体層領域から発せられた輝尽光を光電的に検出して、生化学解析用のデータを生成する際、励起光の走査に伴なって、次に励起すべき輝尽性蛍光体層領域に含まれた輝尽性蛍光体が、励起され、輝尽光を放出して、蓄積されている放射線エネルギーを放出するため、従来のスキャナによって生成された生化学解析用のデータに基づいて、解析をおこなう場合には、必然的に定量性が悪化するという問題があった。
【００１３】
さらに、生化学解析の分野においては、メンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を含むスポット状領域を形成し、スポット状領域に含まれた特異的結合物質に、化学発光基質と接触させることによって化学発光を生じさせる標識物質および／または蛍光物質によって標識された生体由来の物質を、ハイブリダイゼーションなどにより、特異的に結合させて、選択的に標識し、化学発光基質とを接触させて、化学発光基質と標識物質との接触によって生ずる可視光波長域の化学発光を光電的に検出し、および／または、励起光を照射して、蛍光物質から発せられる蛍光を光電的に検出して、生体由来の物質を解析することも要求されているが、かかる場合にも、スポット状領域から発せられた化学発光や蛍光がメンブレンフィルタなどの担体内で散乱し、あるいは、スポット状領域から発せられた化学発光や蛍光が散乱して、隣り合うスポット状領域から発せられた化学発光や蛍光と混ざり合い、その結果、化学発光および／または蛍光を光電的に検出して生成した生化学解析用データ中にノイズを生成するという問題があった。
【００１４】
かかる問題を解決するため、ＥＰ　１１７８　３１４　Ａ２などによって、光エネルギーを減衰させる性質を有する基板に、互いに離間して、多数の孔を形成し、多数の孔内に、吸着性材料を充填して、多数の吸着性領域を形成した生化学解析用ユニットを用い、生化学解析用ユニットの多数の吸着性領域に、特異的結合物質を含む溶液を滴下して、特異的結合物質を多数の吸着性領域に固定し、多数の吸着性領域に固定された特異的結合物質に、化学発光基質と接触させることによって化学発光を生じさせる標識物質および／または蛍光物質によって標識された生体由来の物質を特異的に結合させて、化学発光基質と接触させることによって化学発光を生じさせる標識物質および／または蛍光物質によって、多数の吸着性領域を選択的に標識し、化学発光基質と接触させて、生化学解析用ユニットの多数の吸着性領域から選択的に放出される化学発光を光電的に検出し、および／または、生化学解析用ユニットの多数の吸着性領域を励起光によって走査して、多数の吸着性領域に選択的に含まれた蛍光物質を励起し、多数の吸着性領域から選択的に放出される蛍光を光電的に検出して、生化学解析用データを生成し、生体由来の物質を解析する方法が提案されている。
【００１５】
この方法によれば、生化学解析用ユニットの多数の吸着性領域に選択的に含まれた化学発光基質と接触させることによって化学発光を生じさせる標識物質から放出された化学発光や生化学解析用ユニットの多数の吸着性領域に選択的に含まれた蛍光物質から放出された蛍光が、生化学解析用ユニットの基板内で散乱することを効果的に防止することができ、吸着性領域から発せられた化学発光や蛍光が散乱して、隣り合う吸着性領域から発せられた化学発光や蛍光と混ざり合うことを効果的に防止することが可能になるから、化学発光や蛍光を光電的に検出して生成した生化学解析用データ中に、ノイズが生成されることを効果的に防止することが可能になる。
【００１６】
しかしながら、かかる方法によっても、スキャナを用いて、励起光により、生化学解析用ユニットの多数の吸着性領域を走査して、吸着性領域に含まれている蛍光物質を励起し、吸着性領域から発せられた蛍光を光電的に検出して、生化学解析用のデータを生成する際、励起光の走査に伴なって、次に励起すべき吸着性領域に含まれた蛍光物質が、励起され、蛍光を放出して、光電的に検出されることがあり、従来のスキャナによって生成された生化学解析用のデータに基づき、解析をおこなう場合には、必然的に定量性が悪化するという問題があった。
【００１７】
したがって、本発明は、蓄積性蛍光体シートの支持体に形成された多数の輝尽性蛍光体層領域のみに、確実に、励起光を導き、輝尽性蛍光体層領域に含まれた輝尽性蛍光体を励起し、輝尽性蛍光体層領域から放出された輝尽光を光電的に検出して、定量性に優れた生化学解析用データを生成することができ、生化学解析用ユニットの基板に形成された多数の吸着性領域のみに、確実に、励起光を導き、吸着性領域に含まれた蛍光物質を励起し、吸着性領域から放出された蛍光をを光電的に検出して、定量性に優れた生化学解析用データを生成することができる生化学解析用データ読み取り方法および装置を提供することを目的とするものである。
【００１８】
【課題を解決するための手段】
本発明のかかる目的は、生化学解析用データが選択的に記録された複数の発光可能領域が、互いに離間して形成されたサンプルをサンプルステージに載置し、前記サンプルステージおよび励起光を相対的に移動させて、前記サンプルステージに載置された前記サンプルの前記複数の発光可能領域に、順次、励起光を照射し、前記複数の発光可能領域から放出される光を、光電的に検出して、生化学解析用データを生成する方法であって、前記サンプルステージに載置された前記サンプルの前記複数の発光可能領域のそれぞれに、励起光を照射するのに先立って、前記サンプルステージに載置された前記サンプルに、位置決め用光を照射して、前記サンプルステージに載置された前記サンプルによって散乱された前記位置決め用光または前記サンプルステージに載置された前記サンプルを透過した前記位置決め用光を光電的に検出し、光電的に検出した前記位置決め用光の光量に基づいて、前記サンプルステージおよび前記励起光の相対的位置を決定して、前記サンプルステージおよび前記励起光を位置決めし、前記サンプルステージに載置された前記サンプルの前記複数の発光可能領域のそれぞれに、励起光を照射し、前記サンプルステージに載置された前記サンプルの前記複数の発光可能領域のそれぞれから放出された光を光電的に検出して、生化学解析用データを生成することを特徴とする生化学解析用データの読み取り方法によって達成される。
【００１９】
蓄積性蛍光体シートの支持体に形成された輝尽性蛍光体層領域にのみ、励起光が照射されるように、励起光をオン・オフ制御しつつ、蓄積性蛍光体シートと励起光とを、一定のピッチで、相対的にかつ間欠的に、移動させて、蓄積性蛍光体シートの支持体に形成された多数の輝尽性蛍光体層領域を励起光によって走査し、輝尽性蛍光体層領域から放出された輝尽光を光電的に検出して、生化学解析用データを生成することよって、励起光の走査に伴なって、次に励起すべき輝尽性蛍光体層領域に含まれた輝尽性蛍光体が、励起され、輝尽光を放出して、蓄積されている放射線エネルギーを放出することに起因して、生成された生化学解析用データの定量性が低下することを防止することが可能になるが、蓄積性蛍光体シートの支持体に、多数の輝尽性蛍光体層領域が、一定のピッチで、正確に形成されていない場合や、蓄積性蛍光体シートが、サンプルステージに正確にセットされていない場合には、輝尽性蛍光体層領域に含まれている輝尽性蛍光体が蓄積している放射線エネルギーを十分に放出させることができず、また、次に励起すべき輝尽性蛍光体層領域に含まれた輝尽性蛍光体を励起光によって、励起して、蓄積している放射線エネルギーを放出させてしまい、定量性に優れた生化学解析用データを生成することが困難になる。
【００２０】
また、生化学解析用ユニットの基板に形成された吸着性領域にのみ、励起光が照射されるように、励起光をオン・オフ制御しつつ、生化学解析用ユニットと励起光とを、一定のピッチで、相対的にかつ間欠的に移動させて、生化学解析用ユニットの基板に形成された多数の吸着性領域を励起光によって走査し、吸着性領域から放出された蛍光を光電的に検出して、生化学解析用データを生成することによって、励起光の走査に伴なって、次に励起すべき吸着性領域に含まれた蛍光物質が、励起され、蛍光を放出して、光電的に検出されることに起因して、生成された生化学解析用データの定量性が低下することを防止することが可能になるが、生化学解析用ユニットの基板に、多数の吸着性領域が、一定のピッチで、正確に形成されていない場合や、生化学解析用ユニットが、サンプルステージに正確にセットされていない場合には、吸着性領域に含まれている蛍光物質から蛍光を十分に放出させることができず、また、次に励起すべき吸着性領域に含まれた蛍光を励起光によって、励起して、蛍光を放出させてしまい、定量性に優れた生化学解析用データを生成することが困難になる。
【００２１】
このように、サンプルに、一定のピッチで、規則的に、複数の発光可能領域を形成されていない場合や、サンプルを、サンプルステージに正確にセットされていない場合には、励起光をオン・オフ制御しつつ、サンプルと励起光とを、一定のピッチで、相対的にかつ間欠的に移動させて、サンプルステージに載置されたサンプルの複数の発光可能領域を励起光によって走査し、複数の発光可能領域から放出された光を光電的に検出して、生化学解析用データを生成しても、定量性に優れた生化学解析用データを生成することはできないが、本発明によれば、サンプルステージに載置されたサンプルの複数の発光可能領域のそれぞれに、励起光を照射するのに先立って、サンプルステージに載置されたサンプルに、位置決め用光を照射して、サンプルステージに載置されたサンプルによって散乱された位置決め用光またはサンプルステージに載置されたサンプルを透過した位置決め用光を光電的に検出し、光電的に検出した位置決め用光の光量に基づいて、サンプルステージおよび励起光の相対的位置を決定して、サンプルステージおよび励起光を位置決めし、サンプルステージに載置されたサンプルの複数の発光可能領域のそれぞれに、励起光を照射し、サンプルステージに載置されたサンプルの複数の発光可能領域のそれぞれから放出された光を光電的に検出して、生化学解析用データを生成するように構成されているから、サンプルステージに載置されたサンプルの複数の発光可能領域のそれぞれによって散乱されて、光電的に検出された位置決め用光あるいはサンプルステージに載置されたサンプルの複数の発光可能領域のそれぞれを透過し、光電的に検出された位置決め用光の光量が最大となる位置に、サンプルステージおよび励起光を位置決めすることによって、励起光を励起光を照射すべき発光可能領域のみに入射させることができ、したがって、サンプルステージに載置されたサンプルの複数の発光可能領域のそれぞれによって散乱されて、光電的に検出された位置決め用光あるいはサンプルステージに載置されたサンプルの複数の発光可能領域のそれぞれを透過し、光電的に検出された位置決め用光の光量が最大となる位置に、サンプルステージおよび励起光を位置決めして、サンプルステージに載置されたサンプルの複数の発光可能領域のそれぞれに、励起光を照射し、サンプルステージに載置されたサンプルの複数の発光可能領域のそれぞれから放出された光を光電的に検出することによって、定量性に優れた生化学解析用データを生成することが可能になる。
【００２２】
本発明の好ましい実施態様においては、前記サンプルステージに載置された前記サンプルの前記複数の発光可能領域に、前記位置決め用光を照射し、前記サンプルステージに載置された前記サンプルの前記複数の発光可能領域のそれぞれによって散乱された前記位置決め用光を光電的に検出し、光電的に検出した前記位置決め用光の光量が最大となる位置に、前記サンプルステージと前記励起光を位置決めし、前記サンプルステージに載置された前記サンプルの前記複数の発光可能領域のそれぞれに、励起光を照射し、前記サンプルステージに載置された前記サンプルの前記複数の発光可能領域のそれぞれから放出された光を光電的に検出して、生化学解析用データを生成するように構成されている。
【００２３】
本発明の別の好ましい実施態様においては、前記サンプルステージに載置された前記サンプルに、前記位置決め用光を照射し、前記サンプルステージに載置された前記サンプルの前記複数の発光可能領域のそれぞれを透過した前記位置決め用光を光電的に検出し、光電的に検出した前記位置決め用光の光量が最大となる位置に、前記サンプルステージと前記励起光を位置決めし、前記サンプルステージに載置された前記サンプルの前記複数の発光可能領域のそれぞれに、励起光を照射し、前記サンプルステージに載置された前記サンプルの前記複数の発光可能領域のそれぞれから放出された光を光電的に検出して、生化学解析用データを生成するように構成されている。
【００２４】
本発明のさらに好ましい実施態様においては、生化学解析用データが選択的に記録された前記複数の発光可能領域が、互いに離間して形成された前記サンプルが、放射線データまたは化学発光データが選択的に記録された複数の輝尽性蛍光体層領域が、互いに離間して形成された蓄積性蛍光体シートによって構成され、前記位置決め用光が、前記蓄積性蛍光体シートの前記輝尽性蛍光体層領域に含まれている輝尽性蛍光体を実質的に励起しない波長を有している。
【００２５】
本発明のさらに好ましい実施態様によれば、生化学解析用データが選択的に記録された複数の発光可能領域が、互いに離間して形成されたサンプルが、放射線データまたは化学発光データが選択的に記録された複数の輝尽性蛍光体層領域が、互いに離間して形成された蓄積性蛍光体シートによって構成され、位置決め用光が、蓄積性蛍光体シートの輝尽性蛍光体層領域に含まれている輝尽性蛍光体を実質的に励起しない波長を有しているから、サンプルステージと励起光を位置決めする際に、蓄積性蛍光体シートの輝尽性蛍光体層領域に含まれている輝尽性蛍光体が蓄積している放射線エネルギーまたは化学発光エネルギーを放出することがなく、したがって、位置決め用光を用いて、サンプルステージと励起光を位置決めして、サンプルステージに載置されたサンプルの複数の発光可能領域のそれぞれに、励起光を照射し、サンプルステージに載置されたサンプルの複数の発光可能領域のそれぞれから放出された光を光電的に検出することによって、定量性に優れた生化学解析用データを生成することが可能になる。
【００２６】
本発明のさらに好ましい実施態様においては、生化学解析用データが記録された前記複数の発光可能領域が、互いに離間して形成された前記サンプルが、蛍光データが選択的に記録された複数の吸着性領域が、互いに離間して形成された生化学解析用ユニットによって構成され、前記位置決め用光が、前記生化学解析用ユニットの前記吸着性領域に含まれている蛍光物質を効率的に励起しない波長を有している。
【００２７】
本発明の好ましい実施態様においては、前記複数の輝尽性蛍光体層領域が、前記蓄積性蛍光体シートの前記支持体に形成された複数の孔内に、輝尽性蛍光体が充填されて、形成されている。
【００２８】
本発明のさらに好ましい実施態様においては、前記複数の輝尽性蛍光体層領域が、前記蓄積性蛍光体シートの前記支持体に形成された複数の貫通孔内に、輝尽性蛍光体が充填されて、形成されている。
【００２９】
本発明のさらに好ましい実施態様においては、前記複数の輝尽性蛍光体層領域が、前記蓄積性蛍光体シートの前記支持体に形成された複数の貫通孔内に、輝尽性蛍光体を含む輝尽性蛍光体膜が圧入されて、形成されている。
【００３０】
本発明のさらに好ましい実施態様においては、前記複数の輝尽性蛍光体層領域が、前記蓄積性蛍光体シートの前記支持体に形成された複数の貫通孔内に、輝尽性蛍光体が埋め込まれて、形成されている。
【００３１】
本発明の別の好ましい実施態様においては、前記複数の輝尽性蛍光体層領域が、前記蓄積性蛍光体シートの前記支持体に形成された複数の凹部内に、輝尽性蛍光体が充填されて、形成されている。
【００３２】
本発明のさらに好ましい実施態様においては、前記複数の輝尽性蛍光体層領域が、前記蓄積性蛍光体シートの前記支持体に形成された複数の凹部内に、輝尽性蛍光体が埋め込まれて、形成されている。
【００３３】
本発明の好ましい実施態様においては、前記蓄積性蛍光体シートの前記支持体に、前記複数の輝尽性蛍光体層領域が、略円形に形成されている。
【００３４】
本発明の好ましい実施態様においては、前記蓄積性蛍光体シートの前記支持体に、前記複数の輝尽性蛍光体層領域が、略矩形状に形成されている。
【００３５】
本発明の好ましい実施態様においては、前記蓄積性蛍光体シートの前記支持体に、１０個以上の輝尽性蛍光体層領域が形成されている。
【００３６】
本発明のさらに好ましい実施態様においては、前記蓄積性蛍光体シートの前記支持体に、５０個以上の輝尽性蛍光体層領域が形成されている。
【００３７】
本発明のさらに好ましい実施態様においては、前記蓄積性蛍光体シートの前記支持体に、１００個以上の輝尽性蛍光体層領域が形成されている。
【００３８】
本発明のさらに好ましい実施態様においては、前記蓄積性蛍光体シートの前記支持体に、５００個以上の輝尽性蛍光体層領域が形成されている。
【００３９】
本発明のさらに好ましい実施態様においては、前記蓄積性蛍光体シートの前記支持体に、１０００個以上の輝尽性蛍光体層領域が形成されている。
【００４０】
本発明のさらに好ましい実施態様においては、前記蓄積性蛍光体シートの前記支持体に、５０００個以上の輝尽性蛍光体層領域が形成されている。
【００４１】
本発明のさらに好ましい実施態様においては、前記蓄積性蛍光体シートの前記支持体に、１００００個以上の輝尽性蛍光体層領域が形成されている。
【００４２】
本発明のさらに好ましい実施態様においては、前記蓄積性蛍光体シートの前記支持体に、５００００個以上の輝尽性蛍光体層領域が形成されている。
【００４３】
本発明のさらに好ましい実施態様においては、前記蓄積性蛍光体シートの前記支持体に、１０００００個以上の輝尽性蛍光体層領域が形成されている。
【００４４】
本発明の好ましい実施態様においては、前記蓄積性蛍光体シートの前記複数の輝尽性蛍光体層領域が、それぞれ、５平方ミリメートル未満のサイズを有している。
【００４５】
本発明のさらに好ましい実施態様においては、前記蓄積性蛍光体シートの前記複数の輝尽性蛍光体層領域が、それぞれ、１平方ミリメートル未満のサイズを有している。
【００４６】
本発明のさらに好ましい実施態様においては、前記蓄積性蛍光体シートの前記複数の輝尽性蛍光体層領域が、それぞれ、０．５平方ミリメートル未満のサイズを有している。
【００４７】
本発明のさらに好ましい実施態様においては、前記蓄積性蛍光体シートの前記複数の輝尽性蛍光体層領域が、それぞれ、０．１平方ミリメートル未満のサイズを有している。
【００４８】
本発明のさらに好ましい実施態様においては、前記蓄積性蛍光体シートの前記複数の輝尽性蛍光体層領域が、それぞれ、０．０５平方ミリメートル未満のサイズを有している。
【００４９】
本発明のさらに好ましい実施態様においては、前記蓄積性蛍光体シートの前記複数の輝尽性蛍光体層領域が、それぞれ、０．０１平方ミリメートル未満のサイズを有している。
【００５０】
本発明の好ましい実施態様においては、前記蓄積性蛍光体シートの前記支持体に、前記複数の輝尽性蛍光体層領域が、１０個／平方センチメートル以上の密度で、形成されている。
【００５１】
本発明のさらに好ましい実施態様においては、前記蓄積性蛍光体シートの前記支持体に、前記複数の輝尽性蛍光体層領域が、５０個／平方センチメートル以上の密度で、形成されている。
【００５２】
本発明のさらに好ましい実施態様においては、前記蓄積性蛍光体シートの前記支持体に、前記複数の輝尽性蛍光体層領域が、１００個／平方センチメートル以上の密度で、形成されている。
【００５３】
本発明のさらに好ましい実施態様においては、前記蓄積性蛍光体シートの前記支持体に、前記複数の輝尽性蛍光体層領域が、５００個／平方センチメートル以上の密度で、形成されている。
【００５４】
本発明のさらに好ましい実施態様においては、前記蓄積性蛍光体シートの前記支持体に、前記複数の輝尽性蛍光体層領域が、１０００個／平方センチメートル以上の密度で、形成されている。
【００５５】
本発明のさらに好ましい実施態様においては、前記蓄積性蛍光体シートの前記支持体に、前記複数の輝尽性蛍光体層領域が、５０００個／平方センチメートル以上の密度で、形成されている。
【００５６】
本発明のさらに好ましい実施態様においては、前記蓄積性蛍光体シートの前記支持体に、前記複数の輝尽性蛍光体層領域が、１００００個／平方センチメートル以上の密度で、形成されている。
【００５７】
本発明のさらに好ましい実施態様においては、前記蓄積性蛍光体シートの前記支持体に、前記複数の輝尽性蛍光体層領域が、５００００個／平方センチメートル以上の密度で、形成されている。
【００５８】
本発明のさらに好ましい実施態様においては、前記蓄積性蛍光体シートの前記支持体に、前記複数の輝尽性蛍光体層領域が、１０００００個／平方センチメートル以上の密度で、形成されている。
【００５９】
本発明の好ましい実施態様においては、前記蓄積性蛍光体シートの前記支持体が、放射線エネルギーを減衰させる性質を有している。
【００６０】
本発明の好ましい実施態様においては、前記蓄積性蛍光体シートの前記支持体が、隣り合う前記輝尽性蛍光体層領域の間の距離に等しい距離だけ、放射線が前記支持体中を透過したときに、放射線のエネルギーを、１／５以下に減衰させる性質を有している。
【００６１】
本発明のさらに好ましい実施態様においては、前記蓄積性蛍光体シートの前記支持体が、隣り合う前記輝尽性蛍光体層領域の間の距離に等しい距離だけ、放射線が前記支持体中を透過したときに、放射線のエネルギーを、１／１０以下に減衰させる性質を有している。
【００６２】
本発明のさらに好ましい実施態様においては、前記蓄積性蛍光体シートの前記支持体が、隣り合う前記輝尽性蛍光体層領域の間の距離に等しい距離だけ、放射線が前記支持体中を透過したときに、放射線のエネルギーを、１／５０以下に減衰させる性質を有している。
【００６３】
本発明のさらに好ましい実施態様においては、前記蓄積性蛍光体シートの前記支持体が、隣り合う前記輝尽性蛍光体層領域の間の距離に等しい距離だけ、放射線が前記支持体中を透過したときに、放射線のエネルギーを、１／１００以下に減衰させる性質を有している。
【００６４】
本発明のさらに好ましい実施態様においては、前記蓄積性蛍光体シートの前記支持体が、隣り合う前記輝尽性蛍光体層領域の間の距離に等しい距離だけ、放射線が前記支持体中を透過したときに、放射線のエネルギーを、１／５００以下に減衰させる性質を有している。
【００６５】
本発明のさらに好ましい実施態様においては、前記蓄積性蛍光体シートの前記支持体が、隣り合う前記輝尽性蛍光体層領域の間の距離に等しい距離だけ、放射線が前記支持体中を透過したときに、放射線のエネルギーを、１／１０００以下に減衰させる性質を有している。
【００６６】
本発明の好ましい実施態様においては、前記蓄積性蛍光体シートの前記支持体が、光エネルギーを減衰させる性質を有している。
【００６７】
本発明の好ましい実施態様においては、前記蓄積性蛍光体シートの前記支持体が、隣り合う前記輝尽性蛍光体層領域の間の距離に等しい距離だけ、光が前記支持体中を透過したときに、光のエネルギーを、１／５以下に減衰させる性質を有している。
【００６８】
本発明のさらに好ましい実施態様においては、前記蓄積性蛍光体シートの前記支持体が、隣り合う前記輝尽性蛍光体層領域の間の距離に等しい距離だけ、光が前記支持体中を透過したときに、光のエネルギーを、１／１０以下に減衰させる性質を有している。
【００６９】
本発明のさらに好ましい実施態様においては、前記蓄積性蛍光体シートの前記支持体が、隣り合う前記輝尽性蛍光体層領域の間の距離に等しい距離だけ、光が前記支持体中を透過したときに、光のエネルギーを、１／５０以下に減衰させる性質を有している。
【００７０】
本発明のさらに好ましい実施態様においては、前記蓄積性蛍光体シートの前記支持体が、隣り合う前記輝尽性蛍光体層領域の間の距離に等しい距離だけ、光が前記支持体中を透過したときに、光のエネルギーを、１／１００以下に減衰させる性質を有している。
【００７１】
本発明のさらに好ましい実施態様においては、前記蓄積性蛍光体シートの前記支持体が、隣り合う前記輝尽性蛍光体層領域の間の距離に等しい距離だけ、光が前記支持体中を透過したときに、光のエネルギーを、１／５００以下に減衰させる性質を有している。
【００７２】
本発明のさらに好ましい実施態様においては、前記蓄積性蛍光体シートの前記支持体が、隣り合う前記輝尽性蛍光体層領域の間の距離に等しい距離だけ、光が前記支持体中を透過したときに、光のエネルギーを、１／１０００以下に減衰させる性質を有している。
【００７３】
本発明において、蓄積性蛍光体シートの支持体を形成するための材料は、放射線エネルギーおよび／または光エネルギーを減衰させる性質を有していることが好ましいが、とくに限定されるものではなく、無機化合物材料、有機化合物材料のいずれをも使用することができ、金属材料、セラミック材料またはプラスチック材料が、とくに好ましく使用される。
【００７４】
本発明において、蓄積性蛍光体シートの支持体を形成するために好ましく使用することのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。
【００７５】
本発明において、蓄積性蛍光体シートの支持体を形成するために好ましく使用することのできる有機化合物材料としては、高分子化合物が好ましく用いられ、好ましく使用される高分子化合物としては、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【００７６】
一般に、比重が大きいほど、放射線の減衰能が高くなるので、蓄積性蛍光体シートの支持体は、比重１．０ｇ／ｃｍ３以上の化合物材料または複合材料によって形成されることが好ましく、比重が１．５ｇ／ｃｍ３以上、２３ｇ／ｃｍ３以下の化合物材料または複合材料によって形成されることが、とくに好ましい。
【００７７】
一般に、光の散乱および／または吸収が大きいほど、光エネルギーの減衰能が高くなるので、本発明において、蓄積性蛍光体シートの支持体は、厚さ１ｃｍあたりの吸光度が０．３以上であることが好ましく、厚さ１ｃｍあたりの吸光度が１以上であれば、さらに好ましい。ここに、吸光度は、厚さＴｃｍの板状体の直後に、積分球を置き、計測に利用するプローブ光またはエミッション光の波長における透過光量Ａを分光光度計によって測定し、Ａ／Ｔを算出することによって、求められる。光減衰能を向上させるために、光散乱体や光吸収体を、蓄積性蛍光体シートの支持体に含有させることもできる。光散乱体としては、蓄積性蛍光体シートの支持体を形成している材料と異なる材料の微粒子が用いられ、光吸収体としては、顔料または染料が用いられる。
【００７８】
本発明の好ましい実施態様においては、前記生化学解析用ユニットの前記複数の吸着性領域が、前記基板に形成された複数の孔内に、吸着性材料が充填されて、形成されている。
【００７９】
本発明のさらに好ましい実施態様においては、前記生化学解析用ユニットの前記複数の吸着性領域が、前記基板に形成された複数の貫通孔内に、吸着性材料が充填されて、形成されている。
【００８０】
本発明のさらに好ましい実施態様においては、前記生化学解析用ユニットの前記複数の吸着性領域が、前記基板に形成された複数の貫通孔内に、吸着性材料が埋め込まれて、形成されている。
【００８１】
本発明のさらに好ましい実施態様においては、前記生化学解析用ユニットの前記複数の吸着性領域が、前記基板に形成された複数の貫通孔内に、吸着性材料を含んだ吸着性膜が圧入されて、形成されている。
【００８２】
本発明の別の好ましい実施態様においては、前記生化学解析用ユニットの前記複数の吸着性領域が、前記基板に形成された複数の凹部内に、吸着性材料が充填されて、形成されている。
【００８３】
本発明のさらに好ましい実施態様においては、前記生化学解析用ユニットの前記複数の吸着性領域が、前記基板に形成された複数の凹部内に、吸着性材料が埋め込まれて、形成されている。
【００８４】
本発明の好ましい実施態様においては、前記生化学解析用ユニットの前記基板に、前記複数の吸着性領域が、略円形に形成されている。
【００８５】
本発明の好ましい実施態様においては、前記生化学解析用ユニットの前記基板に、前記複数の吸着性領域が、略矩形状に形成されている。
【００８６】
本発明の好ましい実施態様においては、前記生化学解析用ユニットの前記基板に、１０以上の前記吸着性領域が形成されている。
【００８７】
本発明のさらに好ましい実施態様においては、前記生化学解析用ユニットの前記基板に、５０以上の前記吸着性領域が形成されている。
【００８８】
本発明のさらに好ましい実施態様においては、前記生化学解析用ユニットの前記基板に、１００以上の前記吸着性領域が形成されている。
【００８９】
本発明のさらに好ましい実施態様においては、前記生化学解析用ユニットの前記基板に、５００以上の前記吸着性領域が形成されている。
【００９０】
本発明のさらに好ましい実施態様においては、前記生化学解析用ユニットの前記基板に、１０００以上の前記吸着性領域が形成されている。
【００９１】
本発明のさらに好ましい実施態様においては、前記生化学解析用ユニットの前記基板に、５０００以上の前記吸着性領域が形成されている。
【００９２】
本発明のさらに好ましい実施態様においては、前記生化学解析用ユニットの前記基板に、１００００以上の前記吸着性領域が形成されている。
【００９３】
本発明のさらに好ましい実施態様においては、前記生化学解析用ユニットの前記基板に、５００００以上の前記吸着性領域が形成されている。
【００９４】
本発明のさらに好ましい実施態様においては、前記生化学解析用ユニットの前記基板に、１０００００以上の前記吸着性領域が形成されている。
【００９５】
本発明の好ましい実施態様においては、前記生化学解析用ユニットの前記基板に形成された前記複数の吸着性領域が、それぞれ、５平方ミリメートル未満のサイズを有している。
【００９６】
本発明のさらに好ましい実施態様においては、前記生化学解析用ユニットの前記基板に形成された前記複数の吸着性領域が、それぞれ、１平方ミリメートル未満のサイズを有している。
【００９７】
本発明のさらに好ましい実施態様においては、前記生化学解析用ユニットの前記基板に形成された前記複数の吸着性領域が、それぞれ、０．５平方ミリメートル未満のサイズを有している。
【００９８】
本発明のさらに好ましい実施態様においては、前記生化学解析用ユニットの前記基板に形成された前記複数の吸着性領域が、それぞれ、０．１平方ミリメートル未満のサイズを有している。
【００９９】
本発明のさらに好ましい実施態様においては、前記生化学解析用ユニットの前記基板に形成された前記複数の吸着性領域が、それぞれ、０．０５平方ミリメートル未満のサイズを有している。
【０１００】
本発明のさらに好ましい実施態様においては、前記生化学解析用ユニットの前記基板に形成された前記複数の吸着性領域が、それぞれ、０．０１平方ミリメートル未満のサイズを有している。
【０１０１】
本発明の好ましい実施態様においては、前記生化学解析用ユニットの前記基板に、前記複数の吸着性領域が、１０個／平方センチメートル以上の密度で形成されている。
【０１０２】
本発明のさらに好ましい実施態様においては、前記生化学解析用ユニットの前記基板に、前記複数の吸着性領域が、５０個／平方センチメートル以上の密度で形成されている。
【０１０３】
本発明のさらに好ましい実施態様においては、前記生化学解析用ユニットの前記基板に、前記複数の吸着性領域が、１００個／平方センチメートル以上の密度で形成されている。
【０１０４】
本発明のさらに好ましい実施態様においては、前記生化学解析用ユニットの前記基板に、前記複数の吸着性領域が、５００個／平方センチメートル以上の密度で形成されている。
【０１０５】
本発明のさらに好ましい実施態様においては、前記生化学解析用ユニットの前記基板に、前記複数の吸着性領域が、１０００個／平方センチメートル以上の密度で形成されている。
【０１０６】
本発明のさらに好ましい実施態様においては、前記生化学解析用ユニットの前記基板に、前記複数の吸着性領域が、５０００個／平方センチメートル以上の密度で形成されている。
【０１０７】
本発明のさらに好ましい実施態様においては、前記生化学解析用ユニットの前記基板に、前記複数の吸着性領域が、１００００個／平方センチメートル以上の密度で形成されている。
【０１０８】
本発明のさらに好ましい実施態様においては、前記生化学解析用ユニットの前記基板に、前記複数の吸着性領域が、５００００個／平方センチメートル以上の密度で形成されている。
【０１０９】
本発明のさらに好ましい実施態様においては、前記生化学解析用ユニットの前記基板に、前記複数の吸着性領域が、１０００００個／平方センチメートル以上の密度で形成されている。
【０１１０】
本発明の好ましい実施態様においては、前記生化学解析用ユニットの前記基板が、放射線エネルギーを減衰させる性質を有している。
【０１１１】
本発明の好ましい実施態様においては、前記生化学解析用ユニットの前記基板が、隣り合う前記吸着性領域の間の距離に等しい距離だけ、放射線が前記基板中を透過したときに、放射線のエネルギーを、１／５以下に減衰させる性質を有している。
【０１１２】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０以下に減衰させる性質を有している。
【０１１３】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５０以下に減衰させる性質を有している。
【０１１４】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１００以下に減衰させる性質を有している。
【０１１５】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５００以下に減衰させる性質を有している。
【０１１６】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０００以下に減衰させる性質を有している。
【０１１７】
本発明の好ましい実施態様においては、前記生化学解析用ユニットの前記基板が、光エネルギーを減衰させる性質を有している。
【０１１８】
本発明の好ましい実施態様においては、前記生化学解析用ユニットの前記基板が、隣り合う前記吸着性領域の間の距離に等しい距離だけ、光が前記基板中を透過したときに、光のエネルギーを、１／５以下に減衰させる性質を有している。
【０１１９】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０以下に減衰させる性質を有している。
【０１２０】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５０以下に減衰させる性質を有している。
【０１２１】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１００以下に減衰させる性質を有している。
【０１２２】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５００以下に減衰させる性質を有している。
【０１２３】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０００以下に減衰させる性質を有している。
【０１２４】
本発明において、生化学解析用ユニットの基板を形成するための材料は、放射線エネルギーおよび／またはを減衰させる性質を有していることが好ましいが、とくに限定されるものではなく、無機化合物材料、有機化合物材料のいずれをも使用することができ、金属材料、セラミック材料またはプラスチック材料が、好ましく使用される。
【０１２５】
本発明において、生化学解析用ユニットの基板を形成するために好ましく使用することのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。
【０１２６】
本発明において、生化学解析用ユニットの基板を形成するために使用可能な有機化合物材料としては、高分子化合物が好ましく用いられ、好ましく使用することのできる高分子化合物としては、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【０１２７】
一般に、比重が大きいほど、放射線の減衰能が高くなるので、生化学解析用ユニットの基板は、比重１．０ｇ／ｃｍ３以上の化合物材料または複合材料によって形成されることが好ましく、比重が１．５ｇ／ｃｍ３以上、２３ｇ／ｃｍ３以下の化合物材料または複合材料によって形成されることが、とくに好ましい。
【０１２８】
一般に、光の散乱および／または吸収が大きいほど、光の減衰能が高くなるので、本発明において、生化学解析用ユニットの基板は、厚さ１ｃｍあたりの吸光度が０．３以上であることが好ましく、厚さ１ｃｍあたりの吸光度が１以上であれば、さらに好ましい。ここに、吸光度は、厚さＴｃｍの板状体の直後に、積分球を置き、計測に利用するプローブ光またはエミッション光の波長における透過光量Ａを分光光度計によって測定し、Ａ／Ｔを算出することによって、求められる。本発明において、光減衰能を向上させるために、光散乱体や光吸収体を、生化学解析用ユニットの基板に含有させることもできる。光散乱体としては、生化学解析用ユニットの基板を形成している材料と異なる材料の微粒子が用いられ、光吸収体としては、顔料または染料が用いられる。
【０１２９】
本発明において、生化学解析用ユニットの吸着性領域を形成するために使用される吸着性材料としては、多孔質材料あるいは繊維材料が好ましく使用される。多孔質材料と繊維材料を併用して、吸着性領域を形成することもできる。
【０１３０】
本発明において、生化学解析用ユニットの吸着性領域を形成するために使用される多孔質材料は、有機材料、無機材料のいずれでもよく、有機／無機複合体でもよい。
【０１３１】
本発明において、生化学解析用ユニットの吸着性領域を形成するために使用される有機多孔質材料は、とくに限定されるものではないが、活性炭などの炭素材料あるいはメンブレンフィルタを形成可能な材料が、好ましく用いられる。具体的には、ナイロン６、ナイロン６，６、ナイロン４，１０などのナイロン類；ニトロセルロース、酢酸セルロース、酪酸酢酸セルロースなどのセルロース誘導体；コラーゲン；アルギン酸、アルギン酸カルシウム、アルギン酸／ポリリシンポリイオンコンプレックスなどのアルギン酸類；ポリエチレン、ポリプロピレンなどのポリオレフィン類；ポリ塩化ビニル；ポリ塩化ビニリデン；ポリフッ化ビニリデン、ポリテトラフルオライドなどのポリフルオライドや、これらの共重合体または複合体が挙げられる。
【０１３２】
本発明において、生化学解析用ユニットの吸着性領域を形成するために使用される無機多孔質材料は、とくに限定されるものではないが、好ましくは、たとえば、白金、金、鉄、銀、ニッケル、アルミニウムなどの金属；アルミナ、シリカ、チタニア、ゼオライトなどの金属酸化物；ヒドロキシアパタイト、硫酸カルシウムなどの金属塩やこれらの複合体などが挙げられる。
【０１３３】
本発明において、生化学解析用ユニットの吸着性領域を形成するために使用される繊維材料は、とくに限定されるものではないが、好ましくは、たとえば、ナイロン６、ナイロン６，６、ナイロン４，１０などのナイロン類、ニトロセルロース、酢酸セルロース、酪酸酢酸セルロースなどのセルロース誘導体などが挙げられる。
【０１３４】
本発明の前記目的はまた、励起光を発する少なくとも１つの励起光源と、生化学解析用データが選択的に記録された複数の発光可能領域が、互いに離間して形成されたサンプルを載置するサンプルステージと、前記サンプルステージに載置された前記サンプルの前記複数の発光可能領域から放出された光を光電的に検出する光検出器と、前記サンプルステージと前記励起光を相対的に移動させる走査機構と、前記少なくとも１つの励起光源から発せられた励起光を、前記サンプルステージに載置された前記サンプルの前記複数の発光可能領域に導く励起光集光手段と、前記サンプルステージに載置された前記サンプルの前記複数の発光可能領域から放出された光を前記光検出器に導く検出光集光手段と、位置決め用光を発する位置決め用光源と、前記位置決め用光源から発せられ、前記サンプルステージに載置された前記サンプルの前記発光可能領域によって散乱された位置決め用光の光量、または、前記位置決め用光源から発せられ、前記サンプルステージに載置された前記サンプルの前記発光可能領域を透過した位置決め用光の光量に基づいて、前記サンプルステージと前記励起光の最適相対的位置を決定し、前記走査機構を制御する制御手段を備えたことを特徴とする生化学解析用データ読み取り装置によって達成される。
【０１３５】
本発明によれば、生化学解析用データ読み取り装置は、励起光を発する少なくとも１つの励起光源と、生化学解析用データが選択的に記録された複数の発光可能領域が、互いに離間して形成されたサンプルを載置するサンプルステージと、サンプルステージに載置されたサンプルの複数の発光可能領域から放出された光を光電的に検出する光検出器と、サンプルステージと励起光を相対的に移動させる走査機構と、少なくとも１つの励起光源から発せられた励起光を、サンプルステージに載置されたサンプルの複数の発光可能領域に導く励起光集光手段と、サンプルステージに載置されたサンプルの複数の発光可能領域から放出された光を光検出器に導く検出光集光手段と、位置決め用光を発する位置決め用光源と、位置決め用光源から発せられ、サンプルステージに載置されたサンプルの発光可能領域によって散乱された位置決め用光の光量、または、位置決め用光源から発せられ、サンプルステージに載置されたサンプルの発光可能領域を透過した位置決め用光の光量に基づいて、サンプルステージと励起光の最適相対的位置を決定し、走査機構を制御する制御手段を備えているから、位置決め用光源から発せられた位置決め用光を、サンプルステージに載置されたサンプルに照射し、サンプルの発光可能領域によって散乱された位置決め用光の光量、あるいは、サンプルの複数の発光可能領域を透過し、光電的に検出された位置決め用光の光量が最大となる位置を、制御手段によって検出し、走査機構を制御して、その位置に、サンプルステージおよび励起光を位置決めすることによって、励起光源から発せられた励起光を、励起光集光手段によって、励起光を照射すべき発光可能領域のみに入射させることができ、したがって、サンプルステージに載置されたサンプルの発光可能領域によって散乱されて、光電的に検出された位置決め用光あるいはサンプルステージに載置されたサンプルの発光可能領域を透過し、光電的に検出された位置決め用光の光量が最大となる位置に、サンプルステージおよび励起光を位置決めして、サンプルステージに載置されたサンプルの複数の発光可能領域のそれぞれに、順次、励起光を照射し、サンプルステージに載置されたサンプルの複数の発光可能領域のそれぞれから放出された光を、光検出器により光電的に検出することによって、定量性に優れた生化学解析用データを生成することが可能になる。
【０１３６】
本発明の好ましい実施態様においては、前記位置決め用光源から発せられた前記位置決め用光が、前記励起光集光手段によって、前記サンプルステージに載置された前記サンプルの前記複数の発光可能領域のそれぞれに集光され、前記サンプルステージに載置された前記サンプルの前記複数の発光可能領域のそれぞれによって散乱された前記位置決め用光が、前記検出光集光手段によって、前記光検出器に導かれ、光電的に検出されるように構成されている。
【０１３７】
本発明の好ましい実施態様においては、生化学解析用データ読み取り装置は、さらに、前記少なくとも１つの励起光源から発せられる前記励起光をカットする励起光カットフィルタを備えたフィルタユニットと、前記フィルタユニットを、前記検出光集光手段によって、前記光検出器に導かれる光の光路内に位置する検出位置と、検出光集光手段によって、前記光検出器に導かれる光の前記光路から退避した退避位置との間で、移動させるフィルタユニット移動手段とを備え、前記フィルタユニット移動手段が、前記制御手段によって制御されるように構成されている。
【０１３８】
本発明の別の好ましい実施態様においては、前記位置決め用光源が、前記サンプルステージと前記サンプルの間に設けられ、前記位置決め用光源から発せられ、前記サンプルステージに載置された前記サンプルの前記複数の発光可能領域のそれぞれを透過した前記位置決め用光が、前記検出光集光手段によって、前記光検出器に導かれ、光電的に検出されるように構成されている。
【０１３９】
本発明のさらに好ましい実施態様においては、生化学解析用データ読み取り装置は、さらに、前記位置決め用光源から発せられ、前記サンプルステージに載置された前記サンプルによって反射された前記位置決め用光をカットする遮光部材と、前記遮光部材を、前記位置決め用光源から発せられ、前記サンプルステージに載置された前記サンプルによって反射された前記位置決め用光の光路内に位置する遮光位置と、前記位置決め用光源から発せられ、前記サンプルステージに載置された前記サンプルによって反射された前記位置決め用光の光路から退避した退避位置との間で、移動させる遮光部材移動手段とを備え、前記遮光部材移動手段が、前記制御手段によって制御されるように構成されている。
【０１４０】
本発明のさらに好ましい実施態様においては、前記フィルタユニットが、さらに、ニュートラルデンシティフィルタを備え、前記光検出器が、前記位置決め用光源から発せられた前記位置決め用光を検出するときに、前記制御手段が、前記ニュートラルデンシティフィルタが、前記位置決め用光源から発せられた前記位置決め用光の光路内に位置するように、前記フィルタユニット移動手段を制御するように構成されている。
【０１４１】
本発明のさらに好ましい実施態様においては、前記位置決め用光源から発せられる前記位置決め用光が、前記少なくとも１つの励起光源から発せられる前記励起光と異なる波長を有している。
【０１４２】
本発明のさらに好ましい実施態様によれば、生化学解析用データが選択的に記録された複数の発光可能領域が、互いに離間して形成されたサンプルが、放射線データまたは化学発光データが選択的に記録された複数の輝尽性蛍光体層領域が、互いに離間して形成された蓄積性蛍光体シートによって構成されている場合に、位置決め用光源から発せられる位置決め用光が、少なくとも１つの励起光源から発せられる励起光と異なる波長を有しているから、サンプルステージと励起光を位置決めする際に、蓄積性蛍光体シートの輝尽性蛍光体層領域に含まれている輝尽性蛍光体が蓄積している放射線エネルギーまたは化学発光エネルギーを放出することがなく、したがって、位置決め用光を用いて、サンプルステージと励起光を位置決めして、サンプルステージに載置されたサンプルの複数の発光可能領域のそれぞれに、励起光を照射し、サンプルステージに載置されたサンプルの複数の発光可能領域のそれぞれから放出された光を光電的に検出することによって、定量性に優れた生化学解析用データを生成することが可能になる。
【０１４３】
【発明の実施の形態】
以下、添付図面に基づいて、本発明の好ましい実施態様につき、詳細に説明を加える。
【０１４４】
図１は、生化学解析用ユニットの略斜視図である。
【０１４５】
図１に示されるように、生化学解析用ユニット１は、ステンレス鋼によって形成され、多数の略円形の貫通孔３が高密度に形成された基板２を備え、多数の貫通孔３の内部には、ナイロン６が充填されて、互いに離間した多数の吸着性領域４が、ドット状に形成されている。
【０１４６】
図１には正確に示されていないが、本実施態様においては、約０．０７平方ミリメートルのサイズを有する略円形の吸着性領域４が、１２０列×１６０行のマトリックス状に、規則的に形成されるように、基板２に、貫通孔３が形成されており、したがって、合計１９２００の吸着性領域４が形成されている。
【０１４７】
ここに、吸着性領域４は、それぞれ、その表面が、基板２の表面の下方に位置するように、多数の貫通孔３内に、ナイロン６が充填されて、形成されている。
【０１４８】
図２は、スポッティング装置の略正面図である。
【０１４９】
生化学解析にあたっては、図２に示されるように、生化学解析用ユニット１に規則的に形成された多数の吸着性領域４内に、特異的結合物質を含む溶液、たとえば、塩基配列が既知の互いに異なった複数のｃＤＮＡを含む溶液が、スポッティング装置５を使用して、滴下され、特異的結合物質が吸着性領域４内に固定される。
【０１５０】
図２に示されるように、スポッティング装置５は、特異的結合物質を含む溶液を、生化学解析用ユニット１に向けて、噴射するインジェクタ６と、ＣＣＤカメラ７とを備え、ＣＣＤカメラ７によって、インジェクタ６の先端部と、特異的結合物質、たとえば、ｃＤＮＡを含む溶液を滴下すべき生化学解析用ユニット１の吸着性領域４を観察しながら、インジェクタ６の先端部と、特異的結合物質を含む溶液を滴下すべきの吸着性領域４の中心とが合致したときに、インジェクタ６から、特異的結合物質を含む溶液が滴下されるように構成され、生化学解析用ユニット１の多数の吸着性領域４内に、特異的結合物質を含む溶液を、正確に滴下することができるように保証されている。
【０１５１】
図３は、ハイブリダイゼーション反応容器の略縦断面図である。
【０１５２】
図３に示されるように、ハイブリダイズ容器８は円筒状をなし、内部に、標識物質によって標識された生体由来の物質を含むハイブリダイズ液９が収容されている。
【０１５３】
放射性標識物質によって、ｃＤＮＡなどの特異的結合物質を選択的に標識する場合には、放射性標識物質によって標識されたプローブである生体由来の物質を含むハイブリダイゼーション反応溶液９が調製され、ハイブリダイゼーション反応容器８内に収容される。
【０１５４】
一方、化学発光基質と接触させることによって化学発光を生じさせる標識物質によって、ｃＤＮＡなどの特異的結合物質を選択的に標識する場合には、化学発光基質と接触させることによって化学発光を生じさせる標識物質によって標識されたプローブである生体由来の物質を含むハイブリダイゼーション反応溶液９が調製され、ハイブリダイゼーション反応容器８内に収容される。
【０１５５】
さらに、蛍光色素などの蛍光物質によって、ｃＤＮＡなどの特異的結合物質を選択的に標識する場合には、蛍光色素などの蛍光物質によって標識されたプローブである生体由来の物質を含むハイブリダイゼーション反応溶液９が調製され、ハイブリダイゼーション反応容器８内に収容される。
【０１５６】
放射性標識物質によって標識された生体由来の物質、化学発光基質と接触させることによって化学発光を生じさせる標識物質によって標識された生体由来の物質および蛍光色素などの蛍光物質によって標識された生体由来の物質のうち、２以上の生体由来の物質を含むハイブリダイゼーション反応溶液９を調製して、ハイブリダイゼーション反応容器８内に収容させることもでき、本実施態様においては、放射性標識物質によって標識された生体由来の物質、化学発光基質と接触させることによって化学発光を生じさせる標識物質によって標識された生体由来の物質および蛍光色素などの蛍光物質によって標識された生体由来の物質を含むハイブリダイゼーション反応溶液９が調製され、ハイブリダイゼーション反応容器８内に収容されている。
【０１５７】
ハイブリダイゼーションにあたって、ｃＤＮＡなどの特異的結合物質が、多数の吸着性領域４に吸着されている生化学解析用ユニット１が、ハイブリダイゼーション反応容器８内に収容される。
【０１５８】
その結果、生化学解析用ユニット１の多数の吸着性領域４に固定されている特異的結合物質に、放射性標識物質により標識され、ハイブリダイゼーション反応溶液９に含まれた生体由来の物質、化学発光基質と接触させることによって化学発光を生じさせる標識物質によって標識され、ハイブリダイゼーション反応溶液９に含まれた生体由来の物質および蛍光色素などの蛍光物質によって標識され、ハイブリダイゼーション反応溶液９に含まれた生体由来の物質が、選択的に、ハイブリダイズされる。
【０１５９】
こうして、生化学解析用ユニット１の多数の吸着性領域４に、放射性標識物質の放射線データ、化学発光データおよび蛍光色素などの蛍光物質の蛍光データが記録される。
【０１６０】
生化学解析用ユニット１の多数の吸着性領域４に記録された蛍光データは、後述するスキャナによって読み取られ、生化学解析用データが生成される。
【０１６１】
一方、生化学解析用ユニット１の多数の吸着性領域４に記録された放射性標識物質の放射線データは、蓄積性蛍光体シートに転写され、蓄積性蛍光体シートに転写された放射線データは、後述するスキャナによって読み取られて、生化学解析用データが生成される。
【０１６２】
これに対して、生化学解析用ユニット１の多数の吸着性領域４に記録された化学発光データは、別の蓄積性蛍光体シートに転写され、蓄積性蛍光体シートに転写された化学発光データは、後述するスキャナによって読み取られて、生化学解析用データが生成される。
【０１６３】
図４は、生化学解析用ユニット１の多数の吸着性領域４に記録された放射線データを転写すべき蓄積性蛍光体シートの略斜視図である。
【０１６４】
図４に示されるように、蓄積性蛍光体シート１０は、多数の略円形の貫通孔１３が規則的に形成されたステンレス鋼製の支持体１１を備え、支持体１１の形成された多数の貫通孔１３内に、放射線エネルギーを吸収し、蓄積可能なＢａＦＸ系輝尽性蛍光体（ここに、Ｘは、Ｃｌ、ＢｒおよびＩからなる群から選ばれたハロゲン原子である。）が充填されて、多数の輝尽性蛍光体層領域１２が、ドット状に形成されている。
【０１６５】
多数の貫通孔１３は、生化学解析用ユニット１の基板２に形成された多数の吸着性領域４と同一のパターンで、支持体１１に形成され、各輝尽性蛍光体層領域１２は、生化学解析用ユニット１の基板２に形成された吸着性領域４と等しいサイズを有するように、形成されている。
【０１６６】
したがって、図４には、正確に示されていないが、本実施態様においては、約０．０７平方ミリメートルのサイズを有する略円形の輝尽性蛍光体層領域１２が、１２０列×１６０行のマトリックス状に、支持体１１に形成されており、したがって、合計１９２００の輝尽性蛍光体層領域１２が、ドット状に形成されている。
【０１６７】
また、本実施態様においては、支持体１１の表面と、多数の輝尽性蛍光体層領域１２の表面とが同一の高さに位置するように、支持体１１に形成された貫通孔１３に、輝尽性蛍光体が埋め込まれて、蓄積性蛍光体シート１０が形成されている。
【０１６８】
図５は、生化学解析用ユニット１に形成された多数の吸着性領域４に含まれた放射性標識物質によって、蓄積性蛍光体シート１０に形成された多数の輝尽性蛍光体層領域１２を露光する方法を示す略断面図である。
【０１６９】
図５に示されるように、露光にあたって、蓄積性蛍光体シート１０の支持体１１に形成された多数の輝尽性蛍光体層領域１２が、生化学解析用ユニット１に形成された対応する多数の吸着性領域４に対向するように、蓄積性蛍光体シート１０と生化学解析用ユニット１とが重ね合わされる。
【０１７０】
本実施態様においては、生化学解析用ユニット１は、ステンレス鋼製の基板２に形成された多数の貫通孔３内に、ナイロン６が充填されて、形成されているので、ハイブリダイゼーションなど、液体による処理を受けても、ほとんど伸縮することがなく、したがって、蓄積性蛍光体シート１０の支持体１１に形成された多数の輝尽性蛍光体層領域１２が、それぞれ、生化学解析用ユニット１の基板２に形成された対応する吸着性領域４に、正確に対向するように、蓄積性蛍光体シート１０と生化学解析用ユニット１とを、容易にかつ確実に重ね合わせて、輝尽性蛍光体層領域１２を露光することが可能になる。
【０１７１】
こうして、所定の時間にわたって、蓄積性蛍光体シート１０の支持体１１に形成された多数の輝尽性蛍光体層領域１２の各々と、生化学解析用ユニット１に形成された多数の吸着性領域４とを対向させることによって、生化学解析用ユニット１の多数の吸着性領域４に選択的に含まれた放射性標識物質によって、蓄積性蛍光体シート１０に形成された多数の輝尽性蛍光体層領域１２が露光される。
【０１７２】
この際、生化学解析用ユニット１の吸着性領域４に含まれている放射性標識物質から、電子線（β線）が発せられるが、生化学解析用ユニット１の多数の吸着性領域４は、ステンレス鋼によって形成された基板２に、互いに離間して形成され、各吸着性領域４の周囲には、放射線エネルギーを減衰させる性質を有するステンレス鋼製の基板２が存在しているから、生化学解析用ユニット１の吸着性領域４に含まれている放射性標識物質から発せられた電子線（β線）が、生化学解析用ユニット１の基板２内で、散乱することを効果的に防止することができ、さらに、蓄積性蛍光体シート１０の多数の輝尽性蛍光体層領域１２が、ステンレス鋼製の支持体１１に形成された多数の凹部１３内に、輝尽性蛍光体を埋め込んで、形成され、各輝尽性蛍光体層領域１２の周囲には、放射線エネルギーを減衰させる性質を有するステンレス鋼製の支持体１１が存在しているから、生化学解析用ユニット１の吸着性領域４に含まれている放射性標識物質から発せられた電子線（β線）が、蓄積性蛍光体シート１０の支持体１１内で、散乱することを効果的に防止することができ、したがって、生化学解析用ユニット１の各吸着性領域４に含まれている放射性標識物質から発せられた電子線（β線）によって、その吸着性領域４に対向する輝尽性蛍光体層領域１２を選択的に露光することが可能になる。
【０１７３】
こうして、蓄積性蛍光体シート１０の支持体１１に形成された多数の輝尽性蛍光体層領域１２に、放射性標識物質の放射線データが記録される。
【０１７４】
図６は、蓄積性蛍光体シート１０の支持体１１に形成された多数の輝尽性蛍光体層領域１２に記録されている放射線データを読み取って、生化学解析用データを生成するとともに、生化学解析用ユニット１の基板２に形成された多数の吸着性領域４に記録されている蛍光色素などの蛍光データを読み取って、生化学解析用データを生成するスキャナの概略図である。
【０１７５】
図６に示されるように、本実施態様にかかるスキャナは、６４０ｎｍの波長のレーザ光２４を発する第１のレーザ励起光源２１と、５３２ｎｍの波長のレーザ光２４を発する第２のレーザ励起光源２２と、４０５ｎｍの波長のレーザ光２４を発する位置決め用レーザ光源２０とを備えている。
【０１７６】
本実施態様においては、第１のレーザ励起光源２１および位置決め用レーザ光源２０は、半導体レーザ光源によって構成され、第２のレーザ励起光源２２は、第二高調波生成（Ｓｅｃｏｎｄ　Ｈａｒｍｏｎｉｃ　Ｇｅｎｅｒａｔｉｏｎ）素子によって構成されている。
【０１７７】
第１のレーザ励起光源２１により発せられた６４０ｎｍの波長のレーザ光２４は、コリメータレンズ２５によって、平行光とされた後、ミラー２６によって反射される。第１のレーザ励起光源２１から発せられ、ミラー２６によって反射されたレーザ光２４の光路には、６４０ｎｍのレーザ光４を透過し、５３２ｎｍの波長の光を反射する第１のダイクロイックミラー２７および５３２ｎｍ以上の波長の光を反射し、４０５ｎｍの波長の光を透過する第２のダイクロイックミラー２８が設けられており、第１のレーザ励起光源２１により発生されたレーザ光２４は、第１のダイクロイックミラー２７を透過し、第２のダイクロイックミラー２８によって反射されて、ミラー２９に入射する。
【０１７８】
他方、第２のレーザ励起光源２２より発せられた５３２ｎｍの波長のレーザ光２４は、コリメータレンズ３０により、平行光とされた後、第１のダイクロイックミラー２７によって反射されて、その向きが９０度変えられて、第２のダイクロイックミラー２８に入射し、第２のダイクロイックミラー２８によって反射されて、ミラー２９に入射する。
【０１７９】
また、位置決め用レーザ光源２０から発せられた４０５ｎｍの波長のレーザ光２４は、コリメータレンズ３１によって、平行光とされた後、第２のダイクロイックミラー２８を透過して、ミラー２９に入射する。
【０１８０】
ミラー２９に入射したレーザ光２４は、ミラー２９によって反射され、さらに、ミラー３２に入射して、反射される。
【０１８１】
ミラー３２によって反射されたレーザ光２４の光路には、中央部に穴３３が形成された凹面ミラーによって形成された穴開きミラー３４が配置されており、ミラー３２によって反射されたレーザ光２４は、穴開きミラー３４の穴３３を通過して、凹面ミラー３８に入射する。
【０１８２】
凹面ミラー３８に入射したレーザ光２４は、凹面ミラー３８によって反射されて、光学ヘッド３５に入射する。
【０１８３】
光学ヘッド３５は、ミラー３６と、非球面レンズ３７を備えており、光学ヘッド３５に入射したレーザ光２４は、ミラー３６によって反射されて、非球面レンズ３７によって、サンプルステージ４０上に載置された蓄積性蛍光体シート１０あるいは生化学解析用ユニット１に入射する。
【０１８４】
蓄積性蛍光体シート１０の支持体１１に形成された輝尽性蛍光体層領域１２の１つに、第１のレーザ励起光源２１から発せられた６４０ｎｍの波長のレーザ光２４が入射すると、輝尽性蛍光体層領域１２に含まれている輝尽性蛍光体が励起され、輝尽光４５が放出される。
【０１８５】
また、生化学解析用ユニット１の多数の吸着性領域４が、ローダミン（登録商標）など、５３２ｎｍの波長のレーザ光２４によって、効率的に励起可能な蛍光色素によって標識されているときは、生化学解析用ユニット１の基板２に形成された吸着性領域４の１つに、第２のレーザ励起光源２２から発せられた５３２ｎｍの波長のレーザ光２４が入射すると、吸着性領域４に含まれている蛍光色素が励起されて、蛍光４５が放出される。
【０１８６】
一方、生化学解析用ユニット１の多数の吸着性領域４が、Ｃｙ５（登録商標）など、６４０ｎｍの波長のレーザ光２４によって、効率的に励起可能な蛍光色素によって標識されているときは、生化学解析用ユニット１の基板２に形成された吸着性領域４の１つに、第１のレーザ励起光源２１から発せられた６４０ｎｍの波長のレーザ光２４が入射すると、吸着性領域４に含まれている蛍光色素が励起されて、蛍光４５が放出される。
【０１８７】
これに対して、蓄積性蛍光体シート１０の支持体１１に形成された輝尽性蛍光体層領域１２に、位置決め用レーザ光源２０から発せられた４０５ｎｍの波長のレーザ光２４が入射しても、輝尽性蛍光体は励起されないから、輝尽光は放出されず、４０５ｎｍの波長のレーザ光２４は、輝尽性蛍光体層領域１２の表面で散乱される。
【０１８８】
また、生化学解析用ユニット１の基板２に形成された吸着性領域４に、位置決め用レーザ光源２０から発せられた４０５ｎｍの波長のレーザ光２４が入射すると、蛍光色素などの蛍光物質が励起されて、微弱な蛍光４５が放出されるが、その強度は、吸着性領域４の表面で散乱された４０５ｎｍの波長のレーザ光２４よりもはるかに小さい。
【０１８９】
蓄積性蛍光体シート１０の支持体１１に形成された輝尽性蛍光体層領域１２から放出された輝尽光４５、生化学解析用ユニット１の基板２に形成された吸着性領域４から放出された蛍光４５または蓄積性蛍光体シート１０の支持体１１に形成された輝尽性蛍光体層領域１２もしくは生化学解析用ユニット１の基板２に形成された吸着性領域４の表面で散乱された４０５ｎｍの波長のレーザ光２４は、光学ヘッド３５に設けられた非球面レンズ３７によって、ミラー３６に集光され、ミラー３６によって、レーザ光２４の光路と同じ側に反射され、平行な光とされて、凹面ミラー３８に入射する。
【０１９０】
凹面ミラー３８に入射した輝尽光４５、蛍光４５あるいは４０５ｎｍの波長のレーザ光２４は、凹面ミラー３８によって反射されて、穴開きミラー３４に入射する。
【０１９１】
穴開きミラー３４に入射した輝尽光４５、蛍光４５あるいは４０５ｎｍの波長のレーザ光２４は、図６に示されるように、凹面ミラーによって形成された穴開きミラー３４によって、反射されて、フィルタユニット４８に入射し、所定の波長の光がカットされて、フォトマルチプライア５０に入射し、光電的に検出される。
【０１９２】
図６に示されるように、フィルタユニット４８は、４つのフィルタ５１ａ、５１ｂ、５１ｃ、５１ｄを備えており、フィルタユニット４８は、モータ（図示せず）によって、図６において、矢印で示される方向に、移動可能に構成されている。
【０１９３】
フィルタ５１ａは、第１のレーザ励起光源２１を用いて、生化学解析用ユニット１の基板２に形成された多数の吸着性領域４に含まれている蛍光物質を励起して、蛍光４５を読み取るときに使用されるフィルタであり、６４０ｎｍの波長の光をカットし、６４０ｎｍよりも波長の長い光を透過する性質を有している。
【０１９４】
また、フィルタ５１ｂは、第２のレーザ励起光源２２を用いて、生化学解析用ユニット１の基板２に形成された吸着性領域４に含まれている蛍光色素などの蛍光物質を励起し、蛍光４５を読み取るときに使用されるフィルタ部材であり、５３２ｎｍの波長の光をカットし、５３２ｎｍよりも波長の長い光を透過する性質を有している。
【０１９５】
フィルタ５１ｃは、第１のレーザ励起光源２１を用いて、蓄積性蛍光体シート１０の支持体１１に形成された多数の輝尽性蛍光体層領域１２に含まれている輝尽性蛍光体を励起して、輝尽性蛍光体層領域１２から発せられた輝尽光４５を読み取るときに使用されるフィルタであり、輝尽性蛍光体層領域１２から放出される輝尽光４５の波長域の光のみを透過し、６４０ｎｍの波長の光をカットする性質を有している。
【０１９６】
フィルタ５１ｄは、蓄積性蛍光体シート１０の支持体１１に形成された輝尽性蛍光体層領域１２あるいは生化学解析用ユニット１の基板２に形成された吸着性領域４の表面で散乱された４０５ｎｍの波長のレーザ光２４を読み取るときに使用されるニュートラルデンシティフィルタであり、入射光の分光組成を変えないで、減光する性質を有している。
【０１９７】
したがって、使用すべきレーザ励起光源に応じて、フィルタ５１ａ、５１ｂ、５１ｃ、５１ｄを選択的にフォトマルチプライア５０の前面に位置させることによって、フォトマルチプライア５０は、検出すべき光のみを光電的に検出することができる。
【０１９８】
フォトマルチプライア５０によって光電的に検出されて、生成されたアナログデータは、Ａ／Ｄ変換器５３によって、ディジタルデータに変換され、データ処理装置５４に送られる。
【０１９９】
図６において、５５は、蓄積性蛍光体シート１０の支持体１１あるいは生化学解析用ユニット１の基板２の表面で反射された４０５ｎｍの波長のレーザ光２４が、凹面ミラー３８に入射して、フォトマルチプライア５０によって検出されることを防止するための遮光部材であり、モータ（図示せず）によって、矢印で示される方向に、移動可能に構成されている。
【０２００】
図６には図示されていないが、光学ヘッド３５は、走査機構によって、図６において、矢印Ｘで示される主走査方向および矢印Ｙで示される主走査方向に直交する副走査方向に移動可能に構成され、蓄積性蛍光体シート１０の支持体１１に形成されたすべての輝尽性蛍光体層領域１２および生化学解析用ユニット１の基板２に形成されたすべての吸着性領域４が、レーザ光２４によって走査されるように構成されている。
【０２０１】
図７は、光学ヘッドの走査機構の略平面図である。
【０２０２】
図７においては、簡易化のため、光学ヘッド１５を除く光学系ならびにレーザ光２４および蛍光４５あるいは輝尽光４５の光路は省略されている。
【０２０３】
図７に示されるように、光学ヘッド３５を走査する走査機構は、基板６０を備え、基板６０上には、副走査パルスモータ６１と一対のレール６２、６２とが固定され、基板６０上には、さらに、図７において、矢印Ｙで示された副走査方向に、移動可能な基板６３とが設けられている。
【０２０４】
移動可能な基板６３には、ねじが切られた穴（図示せず）が形成されており、この穴内には、副走査パルスモータ６１によって回転されるねじが切られたロッド６４が係合している。
【０２０５】
移動可能な基板６３上には、主走査ステッピングモータ６５が設けられ、主走査ステッピングモータ６５は、エンドレスベルト６６を、生化学解析用ユニット１の基板２に形成された隣り合う吸着性領域４の距離、すなわち、蓄積性蛍光体シート１０の支持体１１に形成された隣り合う輝尽性蛍光体層領域１２の距離に等しいピッチで、間欠的に駆動可能に構成されている。
【０２０６】
光学ヘッド３５は、エンドレスベルト６６に固定されており、主走査ステッピングモータ６５によって、エンドレスベルト６６が駆動されると、図７において、矢印Ｘで示された主走査方向に移動されるように構成されている。図７において、６７は、光学ヘッド３５の主走査方向における位置を検出するリニアエンコーダであり、６８は、リニアエンコーダ６７のスリットである。
【０２０７】
したがって、主走査ステッピングモータ６５によって、エンドレスベルト６６が、主走査方向に間欠的に駆動され、副走査パルスモータ６１によって、基板６３が、副走査方向に間欠的に移動されることによって、光学ヘッド３５は、図７において、矢印Ｘで示される主走査方向および矢印Ｙで示される副走査方向に移動され、レーザ光２４によって、蓄積性蛍光体シート１０の支持体１１に形成されたすべての輝尽性蛍光体層領域１２あるいは生化学解析用ユニット１の基板２に形成されたすべての吸着性領域４が走査される。
【０２０８】
図８は、図６に示されたスキャナの制御系、入力系、駆動系および検出系を示すブロックダイアグラムである。
【０２０９】
図８に示されるように、第１のスキャナの制御系は、スキャナ全体を制御するコントロールユニット７０と、データ処理装置５４を備えており、また、スキャナの入力系は、オペレータによって操作され、種々の指示信号を入力可能なキーボード７１を備えている。
【０２１０】
図８に示されるように、スキャナの駆動系は、光学ヘッド３５を主走査方向に間欠的に移動させる主走査ステッピングモータ６５と、光学ヘッド３５を副走査方向に間欠的に移動させる副走査パルスモータ６１と、４つのフィルタ５１ａ、５１ｂ、５１ｃ、５１ｄを備えたフィルタユニット４８を移動させるフィルタユニットモータ７２と、遮光部材５５を、蓄積性蛍光体シート１０の支持体１１あるいは生化学解析用ユニット１の基板２の表面で反射された４０５ｎｍの波長のレーザ光２４の光路内に位置する遮光位置と、蓄積性蛍光体シート１０の支持体１１あるいは生化学解析用ユニット１の基板２の表面で反射された４０５ｎｍの波長のレーザ光２４の光路から退避した退避位置との間で、移動させる遮光部材モータ７３を備えている。
【０２１１】
コントロールユニット７０は、第１のレーザ励起光源２１、第２のレーザ励起光源２２または位置決め用レーザ光源２０に選択的に駆動信号を出力するとともに、フィルタユニットモータ７２および遮光部材モータ７３に駆動信号を出力可能に構成されている。
【０２１２】
また、図８に示されるように、第１のスキャナの検出系は、フォトマルチプライア５０と、光学ヘッド３５の主走査方向における位置を検出するリニアエンコーダ６７を備えている。
【０２１３】
本実施態様においては、コントロールユニット７０は、第１のレーザ励起光源２１、第２のレーザ励起光源２２または第３のレーザ励起光源２０をオン・オフ制御可能に構成されている。
【０２１４】
以上のように構成された本実施態様にかかるスキャナは、以下のようにして、生化学解析用ユニット１に形成された多数の吸着性領域４に含まれている放射性標識物質によって、多数の輝尽性蛍光体層領域１２が露光されて、蓄積性蛍光体シート１０に記録された放射性標識物質の放射線データを読み取って、生化学解析用データを生成する。
【０２１５】
まず、蓄積性蛍光体シート１０が、サンプルステージ４０上に載置される。
【０２１６】
次いで、ユーザーによって、キーボード７１に、蓄積性蛍光体シート１０の支持体１１に形成された多数の輝尽性蛍光体層領域１２を、レーザ光２４によって走査する旨の指示信号が入力される。
【０２１７】
キーボード７１に入力された指示信号は、コントロールユニット７０に入力され、指示信号を受けると、コントロールユニット７０は、フィルタユニットモータ７２に駆動信号を出力し、フィルタユニット４８を移動させ、ニュートラルデンシティフィルタによって構成されたフィルタ５１ｄを、蓄積性蛍光体シート１０の支持体１１に形成された輝尽性蛍光体層領域１２の表面で散乱された４０５ｎｍの波長のレーザ光２４の光路内に位置させるとともに、遮光部材モータ７３に駆動信号を出力して、遮光部材５５を、蓄積性蛍光体シート１０の支持体１１の表面で反射された４０５ｎｍの波長のレーザ光２４の光路内の遮光位置に移動させる。
【０２１８】
さらに、コントロールユニット７０は、主走査ステッピングモータ６５に駆動信号を出力し、光学ヘッド３５を主走査方向に移動させ、リニアエンコーダから入力される光学ヘッド３５の位置検出信号に基づいて、蓄積性蛍光体シート１０の支持体１１に形成された多数の輝尽性蛍光体層領域１２のうち、第１の輝尽性蛍光体層領域１２のみに、レーザ光２４を照射可能な位置に、光学ヘッド３５が達したと判定すると、主走査ステッピングモータ６５に停止信号を出力するとともに、位置決め用レーザ光源２０に駆動信号を出力し、位置決め用レーザ光源２０を起動させ、４０５ｎｍの波長のレーザ光２４を発せさせる。
【０２１９】
位置決め用レーザ光源２０から発せられた４０５ｎｍの波長のレーザ光２４は、コリメータレンズ３１によって、平行光とされた後、第２のダイクロイックミラー２８を透過して、ミラー２９に入射する。
【０２２０】
ミラー２９に入射した４０５ｎｍの波長のレーザ光２４は、ミラー２９によって反射され、さらに、ミラー３２に入射して、反射される。
【０２２１】
ミラー３２によって反射されたレーザ光２４は、穴開きミラー３４の穴３３を通過して、凹面ミラー３８に入射する。
【０２２２】
凹面ミラー３８に入射したレーザ光２４は、凹面ミラー３８によって反射されて、光学ヘッド３５に入射する。
【０２２３】
光学ヘッド３５に入射した４０５ｎｍの波長のレーザ光２４は、ミラー３６によって反射され、非球面レンズ３７によって、サンプルステージ４０上に載置された蓄積性蛍光体シート１０の支持体１１に形成された第１の輝尽性蛍光体層領域１２に集光される。
【０２２４】
ここに、蓄積性蛍光体シート１０の支持体１１に形成された輝尽性蛍光体層領域１２に含まれているＢａＦＸ系輝尽性蛍光体は、６４０ｎｍの波長の光によって最も効率的に励起され、４０５ｎｍの波長のレーザ光２４によっては励起されないから、４０５ｎｍの波長のレーザ光２４が、蓄積性蛍光体シート１０の第１の輝尽性蛍光体層領域１２に照射されても、蓄積性蛍光体シート１０の第１の輝尽性蛍光体層領域１２に含まれた輝尽性蛍光体が蓄積している放射線エネルギーが放出されることはなく、したがって、第１の輝尽性蛍光体層領域１２から輝尽光４５は放出されず、第１の輝尽性蛍光体層領域１２に入射した４０５ｎｍの波長のレーザ光４５は、第１の輝尽性蛍光体層領域１２の表面で散乱される。
【０２２５】
ここに、多数の輝尽性蛍光体層領域１２が、一定のピッチで、所望のように、蓄積性蛍光体シート１０の支持体１１に、規則的に形成されていないとき、あるいは、蓄積性蛍光体シート１０が、サンプルステージ４０上の所望の位置に、正確にセットされていないときは、リニアエンコーダから入力される光学ヘッド３５の位置検出信号に基づいて、コントロールユニット７０が、蓄積性蛍光体シート１０の支持体１１に形成された多数の輝尽性蛍光体層領域１２のうち、第１の輝尽性蛍光体層領域１２のみに、レーザ光２４を照射可能な位置に、光学ヘッド３５が達したと判定した場合でも、レーザ光２４の一部は、第１の輝尽性蛍光体層領域１２を取り囲むステンレス鋼製の支持体１１の表面に入射し、反射される。
【０２２６】
蓄積性蛍光体シート１０の第１の輝尽性蛍光体層領域１２の表面によって散乱された４０５ｎｍの波長のレーザ光２４および第１の輝尽性蛍光体層領域１２を取り囲むステンレス鋼製の支持体１１の表面によって反射された４０５ｎｍの波長のレーザ光２４は、光学ヘッド３５に設けられた非球面レンズ３７によって集光され、ミラー３６により、レーザ光２４の光路と同じ側に反射されて、平行な光とされる。
【０２２７】
本実施態様においては、位置決め用レーザ光源２０が起動されているときは、遮光部材５５が、蓄積性蛍光体シート１０の支持体１１の表面によって反射された４０５ｎｍの波長のレーザ光２４の光路内の遮光位置に位置しているから、蓄積性蛍光体シート１０の支持体１１の表面によって反射された４０５ｎｍの波長のレーザ光２４は、遮光部材５５によって遮光され、蓄積性蛍光体シート１０の第１の輝尽性蛍光体層領域１２の表面で散乱された４０５ｎｍの波長のレーザ光２４のみが、凹面ミラー３８に入射する。
【０２２８】
凹面ミラー３８に入射した４０５ｎｍの波長のレーザ光２４は、凹面ミラー３８によって反射され、穴開きミラー３４に入射する。
【０２２９】
穴開きミラー３４に入射した輝尽光４５は、凹面ミラーによって形成された穴開きミラー３４によって、図６に示されるように、反射され、フィルタユニット４８のフィルタ５１ｄに入射する。
【０２３０】
フィルタ５１ｄは、ニュートラルデンシティフィルタによって構成されているから、フィルタ５１ｄに入射した４０５ｎｍの波長のレーザ光２４は、減光されて、フォトマルチプライア５０に入射し、光電的に検出される。
【０２３１】
このように、蓄積性蛍光体シート１０の輝尽性蛍光体層領域１２の表面で反射された４０５ｎｍの波長のレーザ光２４は、ニュートラルデンシティフィルタによって構成されているフィルタ５１ｄによって、減光されて、フォトマルチプライア５０に受光されるから、レーザ光２４の強度が大きくても、検出された信号が飽和することを効果的に防止することができる。
【０２３２】
フォトマルチプライア５０によって、４０５ｎｍの波長のレーザ光２４が光電的に検出されて、生成されたアナログ信号は、Ａ／Ｄ変換器５３に出力されて、ディジタル信号に変換され、データ処理装置５４に出力される。
【０２３３】
データ処理装置５４は、ディジタル信号の信号強度を算出し、コントロールユニット７０に出力する。
【０２３４】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０２３５】
データ処理装置５４から入力されたディジタル信号の信号強度を、リニアエンコーダ６７から入力された光学ヘッド３５の位置検出信号とともに、メモリに記憶させると、コントロールユニット７０は、位置決め用レーザ光源２０に駆動停止信号を出力して、位置決め用レーザ光源２０の駆動を停止させ、主走査ステッピングモータ６５に駆動信号を出力して、光学ヘッド３５を、あらかじめ定められた微小距離δｄだけ、図７において、矢印Ｘで示される方向に移動させる。
【０２３６】
次いで、コントロールユニット７０は、位置決め用レーザ光源２０に駆動信号を出力して、位置決め用レーザ光源２０を起動させる。
【０２３７】
同様にして、蓄積性蛍光体シート１０の第１の輝尽性蛍光体層領域１２の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０２３８】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０２３９】
さらに、コントロールユニット７０は、位置決め用レーザ光源２０に駆動停止信号を出力して、位置決め用レーザ光源２０の駆動を停止させ、主走査ステッピングモータ６５に駆動信号を出力して、光学ヘッド３５を、あらかじめ定められた微小距離δｄの２倍の距離だけ、図７において、矢印Ｘで示される向きとは反対向きに移動させる。
【０２４０】
同様にして、位置決め用レーザ光源２０が起動され、蓄積性蛍光体シート１０の第１の輝尽性蛍光体層領域１２の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０２４１】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０２４２】
こうして、光学ヘッド３５が、所定の範囲にわたり、主走査方向に微小な距離づつ移動され、蓄積性蛍光体シート１０の第１の輝尽性蛍光体層領域１２の表面で散乱された４０５ｎｍの波長のレーザ光２４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０２４３】
ここに、メモリに記憶されているディジタル信号の信号強度は、蓄積性蛍光体シート１０の第１の輝尽性蛍光体層領域１２の表面で散乱された４０５ｎｍの波長のレーザ光２４の強度に対応しているから、４０５ｎｍの波長のレーザ光２４が、蓄積性蛍光体シート１０の第１の輝尽性蛍光体層領域１２のみに入射したときに、ディジタル信号の信号強度は最大となり、したがって、ディジタル信号の信号強度の最大値が得られたときの光学ヘッド３５の位置が、レーザ光２４を、蓄積性蛍光体シート１０の第１の輝尽性蛍光体層領域１２のみに入射させることができる位置となる。
【０２４４】
そこで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、蓄積性蛍光体シート１０の第１の輝尽性蛍光体層領域１２のみに入射させることができる最適励起位置に、光学ヘッド３５を位置決めする。
【０２４５】
次いで、コントロールユニット７０は、フィルタユニットモータ７２に駆動信号を出力し、フィルタユニット４８を移動させ、輝尽性蛍光体から放出される輝尽光４５の波長域の光のみを透過し、６４０ｎｍの波長の光をカットする性質を有するフィルタ５１ｃを、輝尽光４５の光路内に位置させるとともに、遮光部材モータ７３に駆動信号を出力して、遮光部材５５を、輝尽光４５の光路から退避した退避位置に移動させる。
【０２４６】
さらに、コントロールユニット７０は、第１のレーザ励起光源２１に駆動信号を出力し、第１のレーザ励起光源２１を起動させ、６４０ｎｍの波長のレーザ光２４を発せさせる。
【０２４７】
第１のレーザ励起光源２１から発せられたレーザ光２４は、コリメータレンズ２５によって、平行な光とされた後、ミラー２６に入射して、反射される。
【０２４８】
ミラー２６によって反射されたレーザ光２４は、第１のダイクロイックミラー２７を透過し、第２のダイクロイックミラー２８によって、反射されて、ミラー２９に入射する。
【０２４９】
ミラー２９に入射したレーザ光２４は、ミラー２９によって反射され、さらに、ミラー３２に入射して、反射される。
【０２５０】
ミラー３２によって反射されたレーザ光２４は、穴開きミラー３４の穴３３を通過して、凹面ミラー３８に入射する。
【０２５１】
凹面ミラー３８に入射したレーザ光２４は、凹面ミラー３８によって反射されて、光学ヘッド３５に入射する。
【０２５２】
光学ヘッド３５に入射したレーザ光２４は、ミラー３６によって反射され、非球面レンズ３７によって、サンプルステージ４０上に載置された蓄積性蛍光体シート１０の第１の輝尽性蛍光体層領域１２に集光される。
【０２５３】
ここに、光学ヘッド３５は、レーザ光２４を、蓄積性蛍光体シート１０の第１の輝尽性蛍光体層領域１２のみに入射させることができる位置に位置しているから、レーザ光２４を蓄積性蛍光体シート１０の第１の輝尽性蛍光体層領域１２のみに集光させることが可能になる。
【０２５４】
また、本実施態様においては、輝尽性蛍光体層領域１２は、それぞれ、光エネルギーを減衰させる性質を有するステンレス鋼製の支持体１１に形成された貫通孔１３内に、輝尽性蛍光体が埋め込まれて、形成されているから、第１の輝尽性蛍光体層領域１２内で、レーザ光２４が散乱して、隣り合った輝尽性蛍光体層領域１２内に入射し、隣り合った輝尽性蛍光体層領域１２に含まれている輝尽性蛍光体を励起することを、効果的に防止することが可能になる。
【０２５５】
レーザ光２４が、蓄積性蛍光体シート１０の支持体１１に形成された第１の輝尽性蛍光体層領域１２に入射すると、蓄積性蛍光体シート１０に形成された第１の輝尽性蛍光体層領域１２に含まれている輝尽性蛍光体が、レーザ光２４によって励起されて、第１の輝尽性蛍光体層領域１２から、輝尽光４５が放出される。
【０２５６】
蓄積性蛍光体シート１０の第１の輝尽性蛍光体層領域１２から放出された輝尽光４５は、光学ヘッド３５に設けられた非球面レンズ３７によって集光され、ミラー３６により、レーザ光２４の光路と同じ側に反射され、平行な光とされて、凹面ミラー３８に入射する。
【０２５７】
凹面ミラー３８に入射した輝尽光４５は、凹面ミラー３８によって反射され、穴開きミラー３４に入射する。
【０２５８】
穴開きミラー３４に入射した輝尽光４５は、凹面ミラーによって形成された穴開きミラー３４によって、図６に示されるように、反射され、フィルタユニット４８のフィルタ５１ｃに入射する。
【０２５９】
フィルタ５１ｃは、輝尽性蛍光体から放出される輝尽光の波長域の光のみを透過し、６４０ｎｍの波長の光をカットする性質を有しているので、励起光である６４０ｎｍの波長の光がカットされ、輝尽光の波長域の光のみがフィルタ５１ｃを透過して、フォトマルチプライア５０によって、光電的に検出される。
【０２６０】
フォトマルチプライア５０によって、輝尽光４５が光電的に検出されて、生成されたアナログ信号は、Ａ／Ｄ変換器５３に出力されて、ディジタル信号に変換され、データ処理装置５４に出力される。
【０２６１】
第１のレーザ励起光源２１がオンされた後、所定の時間、たとえば、数μ秒が経過すると、コントロールユニット７０は、第１のレーザ励起光源２１に駆動停止信号を出力して、第１のレーザ励起光源２１をオフさせるとともに、主走査ステッピングモータ６５に駆動信号を出力して、光学ヘッド３５を、蓄積性蛍光体シート１０の支持体１１に形成された隣り合う輝尽性蛍光体層領域１２の間の距離に等しいピッチだけ、移動させる。
【０２６２】
同時に、コントロールユニット７０は、フィルタユニットモータ７２に駆動信号を出力し、フィルタユニット４８を移動させ、ニュートラルデンシティフィルタによって構成されたフィルタ５１ｄを、蓄積性蛍光体シート１０の支持体１１に形成された輝尽性蛍光体層領域１２の表面で散乱された４０５ｎｍの波長のレーザ光２４の光路内に位置させるとともに、遮光部材モータ７３に駆動信号を出力して、遮光部材５５を、蓄積性蛍光体シート１０の支持体１１の表面で反射された４０５ｎｍの波長のレーザ光２４の光路内の遮光位置に移動させる。
【０２６３】
リニアエンコーダ６７から入力された光学ヘッド３５の位置検出信号に基づいて、光学ヘッド３５が、隣り合う輝尽性蛍光体層領域１２の間の距離に等しい１ピッチだけ移動されたことが確認されると、コントロールユニット７０は、位置決め用レーザ光源２０に駆動信号を出力して、位置決め用レーザ光源２０を起動させ、蓄積性蛍光体シート１０の支持体１１に形成された第１の輝尽性蛍光体層領域１２に隣り合った第２の輝尽性蛍光体層領域１２に、４０５ｎｍの波長のレーザ光２４を照射する。
【０２６４】
蓄積性蛍光体シート１０の第１の輝尽性蛍光体層領域１２に、４０５ｎｍの波長のレーザ光２４を照射したのと同様にして、蓄積性蛍光体シート１０の第２の輝尽性蛍光体層領域１２の表面で散乱された４０５ｎｍの波長のレーザ光２４のみが、フォトマルチプライア５０に導かれて、光電的に検出され、アナログ信号が生成される。
【０２６５】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０２６６】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０２６７】
データ処理装置５４から入力されたディジタル信号の信号強度を、リニアエンコーダ６７から入力された光学ヘッド３５の位置検出信号とともに、メモリに記憶させると、コントロールユニット７０は、位置決め用レーザ光源２０に駆動停止信号を出力して、位置決め用レーザ光源２０の駆動を停止させ、主走査ステッピングモータ６５に駆動信号を出力して、光学ヘッド３５を、あらかじめ定められた微小距離δｄだけ、図７において、矢印Ｘで示される主走査方向に移動させる。
【０２６８】
次いで、コントロールユニット７０は、位置決め用レーザ光源２０に駆動信号を出力して、位置決め用レーザ光源２０を起動させる。
【０２６９】
同様にして、蓄積性蛍光体シート１０の第２の輝尽性蛍光体層領域１２の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０２７０】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０２７１】
さらに、コントロールユニット７０は、位置決め用レーザ光源２０に駆動停止信号を出力して、位置決め用レーザ光源２０の駆動を停止させ、主走査ステッピングモータ６５に駆動信号を出力して、光学ヘッド３５を、あらかじめ定められた微小距離δｄの２倍の距離だけ、図７において、矢印Ｘで示される向きと反対向きに移動させる。
【０２７２】
主走査ステッピングモータ６５が停止された後、位置決め用レーザ光源２０が起動されて、同様にして、蓄積性蛍光体シート１０の第２の輝尽性蛍光体層領域１２の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０２７３】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０２７４】
こうして、光学ヘッド３５が、所定の範囲にわたり、主走査方向に微小な距離づつ移動され、蓄積性蛍光体シート１０の第２の輝尽性蛍光体層領域１２の表面で散乱された４０５ｎｍの波長のレーザ光２４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０２７５】
次いで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、蓄積性蛍光体シート１０の第２の輝尽性蛍光体層領域１２のみに入射させることができる最適励起位置に、光学ヘッド３５を位置決めする。
【０２７６】
さらに、コントロールユニット７０は、フィルタユニットモータ７２に駆動信号を出力し、フィルタユニット４８を移動させ、輝尽性蛍光体から放出される輝尽光４５の波長域の光のみを透過し、６４０ｎｍの波長の光をカットする性質を有するフィルタ５１ｃを、輝尽光４５の光路内に位置させるとともに、遮光部材モータ７３に駆動信号を出力して、遮光部材５５を、輝尽光４５の光路から退避した退避位置に移動させる。
【０２７７】
次いで、コントロールユニット７０は、第１のレーザ励起光源２１に駆動信号を出力し、第１のレーザ励起光源２１を起動させ、６４０ｎｍの波長のレーザ光２４によって、蓄積性蛍光体シート１０の第２の輝尽性蛍光体層領域１２に含まれている輝尽性蛍光体を励起する。
【０２７８】
所定時間にわたって、６４０ｎｍの波長のレーザ光２４によって、蓄積性蛍光体シート１０の第２の輝尽性蛍光体層領域１２に含まれている輝尽性蛍光体を励起し、蓄積性蛍光体シート１０の第２の輝尽性蛍光体層領域１２から放出された輝尽光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第１のレーザ励起光源２１に駆動停止信号を出力して、第１のレーザ励起光源２１をオフさせるとともに、主走査ステッピングモータ６５に、駆動信号を出力して、光学ヘッド３５を、隣り合う輝尽性蛍光体層領域１２の間の距離に等しい１ピッチだけ、移動させる。
【０２７９】
同時に、コントロールユニット７０は、フィルタユニットモータ７２に駆動信号を出力し、フィルタユニット４８を移動させ、ニュートラルデンシティフィルタによって構成されたフィルタ５１ｄを、蓄積性蛍光体シート１０の支持体１１に形成された輝尽性蛍光体層領域１２の表面で散乱された４０５ｎｍの波長のレーザ光２４の光路内に位置させるとともに、遮光部材モータ７３に駆動信号を出力して、遮光部材５５を、蓄積性蛍光体シート１０の支持体１１の表面で反射された４０５ｎｍの波長のレーザ光２４の光路内の遮光位置に移動させる。
【０２８０】
リニアエンコーダ６７から入力された光学ヘッド３５の位置検出信号に基づいて、光学ヘッド３５が、隣り合う輝尽性蛍光体層領域１２の間の距離に等しい１ピッチだけ移動されたことが確認されると、コントロールユニット７０は、位置決め用レーザ光源２０に駆動信号を出力して、位置決め用レーザ光源２０を起動させ、蓄積性蛍光体シート１０の支持体１１に形成された第２の輝尽性蛍光体層領域１２に隣り合った第３の輝尽性蛍光体層領域１２に、４０５ｎｍの波長のレーザ光２４を照射する。
【０２８１】
蓄積性蛍光体シート１０の第１の輝尽性蛍光体層領域１２に、４０５ｎｍの波長のレーザ光２４を照射したのと同様にして、蓄積性蛍光体シート１０の第２の輝尽性蛍光体層領域１２の表面で散乱された４０５ｎｍの波長のレーザ光２４のみが、フォトマルチプライア５０に導かれて、光電的に検出され、アナログ信号が生成される。
【０２８２】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０２８３】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０２８４】
こうして、光学ヘッド３５が、所定の範囲にわたり、主走査方向に微小な距離づつ移動され、蓄積性蛍光体シート１０の第３の輝尽性蛍光体層領域１２の表面で散乱された４０５ｎｍの波長のレーザ光２４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定し、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、蓄積性蛍光体シート１０の第３の輝尽性蛍光体層領域１２のみに入射させることができる最適励起位置に、光学ヘッド３５を位置決めする。
【０２８５】
次いで、コントロールユニット７０は、フィルタユニットモータ７２に駆動信号を出力して、フィルタユニット４８を移動させ、輝尽性蛍光体から放出される輝尽光４５の波長域の光のみを透過し、６４０ｎｍの波長の光をカットする性質を有するフィルタ５１ｃを、輝尽光４５の光路内に位置させるとともに、遮光部材モータ７３に駆動信号を出力して、遮光部材５５を、輝尽光４５の光路から退避した退避位置に移動させ、第１のレーザ励起光源２１に駆動信号を出力して、第１のレーザ励起光源２１を起動させ、６４０ｎｍの波長のレーザ光２４によって、蓄積性蛍光体シート１０の第３の輝尽性蛍光体層領域１２に含まれている輝尽性蛍光体を励起する。
【０２８６】
所定時間にわたって、６４０ｎｍの波長のレーザ光２４によって、蓄積性蛍光体シート１０の第３の輝尽性蛍光体層領域１２に含まれている輝尽性蛍光体を励起し、蓄積性蛍光体シート１０の第３の輝尽性蛍光体層領域１２から放出された輝尽光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第１のレーザ励起光源２１に駆動停止信号を出力して、第１のレーザ励起光源２１をオフさせるとともに、主走査ステッピングモータ６５に、駆動信号を出力して、光学ヘッド３５を、隣り合う輝尽性蛍光体層領域１２の間の距離に等しい１ピッチだけ、移動させる。
【０２８７】
こうして、光学ヘッド３５の間欠的な移動に同期して、第１のレーザ励起光源２１および位置決め用レーザ光源２０のオン・オフが繰り返され、リニアエンコーダ６７から入力された光学ヘッド３５の位置検出信号に基づいて、光学ヘッド３５が、主走査方向に、１ライン分だけ、移動され、蓄積性蛍光体シート１０の支持体１１に形成された第１ライン目の輝尽性蛍光体層領域１２のレーザ光２４による走査が完了したことが確認されると、コントロールユニット７０は、主走査ステッピングモータ６５に駆動信号を出力して、光学ヘッド３５を元の位置に復帰させるとともに、副走査パルスモータ６１に駆動信号を出力して、移動可能な基板６３を、副走査方向に、１ライン分だけ、移動させる。
【０２８８】
リニアエンコーダ６７から入力された光学ヘッド３５の位置検出信号に基づいて、光学ヘッド３５が元の位置に復帰され、かつ、移動可能な基板６３が、副走査方向に、１ライン分だけ、移動されたことを確認すると、コントロールユニット７０は、位置決め用レーザ光源２０から発せられる４０５ｎｍのレーザ光２４を用いて、蓄積性蛍光体シート１０の支持体１１に形成された第１ライン目の各輝尽性蛍光体層領域１２ごとに、光学ヘッド３５を最適励起位置に位置決めし、第１ライン目の輝尽性蛍光体層領域１２に、順次、第１のレーザ励起光源２１から発せられるレーザ光２４を照射し、第１ライン目の輝尽性蛍光体層領域１２に含まれている輝尽性蛍光体を励起し、輝尽性蛍光体層領域１２から発せられた輝尽光４５を、順次、フォトマルチプライア５０によって、光電的に検出させたのと同様にして、位置決め用レーザ光源２０から発せられる４０５ｎｍのレーザ光２４を用いて、蓄積性蛍光体シート１０の支持体１１に形成された第２ライン目の各輝尽性蛍光体層領域１２ごとに、光学ヘッド３５を最適励起位置に位置決めしつつ、第２ライン目の輝尽性蛍光体層領域１２に、順次、第１のレーザ励起光源２１から発せられるレーザ光２４を照射して、第２ライン目の輝尽性蛍光体層領域１２に含まれている輝尽性蛍光体を励起し、輝尽性蛍光体層領域１２から発せられた輝尽光４５を、順次、フォトマルチプライア５０によって、光電的に検出させる。
【０２８９】
フォトマルチプライア５０によって光電的に検出されて、生成されたアナログデータは、Ａ／Ｄ変換器５３によって、ディジタルデータに変換されて、データ処理装置５４に送られる。
【０２９０】
こうして、蓄積性蛍光体シート１０の支持体１１に形成された輝尽性蛍光体層領域１２がすべて、レーザ光２４によって走査され、輝尽性蛍光体層領域１２に含まれている輝尽性蛍光体が励起されて、放出された輝尽光４５が、フォトマルチプライア５０によって光電的に検出され、生成されたアナログデータが、Ａ／Ｄ変換器５３により、ディジタルデータに変換されて、データ処理装置５４に送られると、コントロールユニット７０から、駆動停止信号が、第１のレーザ励起光源２１に出力され、第１のレーザ励起光源２１の駆動が停止される。
【０２９１】
以上のようにして、図６ないし図８に示されたスキャナによって、蓄積性蛍光体シート１０の支持体１１に形成された多数の輝尽性蛍光体層領域１２に記録されている放射性標識物質の放射線データが読み取られて、生化学解析用データが生成される。
【０２９２】
一方、図６ないし図８に示されたスキャナを用いて、生化学解析用ユニット１の基板２に形成された多数の吸着性領域４に記録されている蛍光物質の蛍光データを読み取って、生化学解析用データを生成するときは、まず、ユーザーによって、生化学解析用ユニット１が、サンプルステージ４０上にセットされる。
【０２９３】
次いで、ユーザーによって、キーボード７１に、標識物質である蛍光色素の種類を特定する蛍光物質特定信号および蛍光データを読み取るべき旨の指示信号が入力される。
【０２９４】
たとえば、生体由来の物質を標識する蛍光物質として、５３２ｎｍの波長のレーザによって、最も効率的に励起することのできるローダミン（登録商標）が使用されているときは、キーボード７１に、ローダミンが入力される。
【０２９５】
蛍光データを読み取るべき旨の指示信号および蛍光物質特定信号は、コントロールユニット７０に入力され、指示信号を受けると、コントロールユニット７０は、フィルタユニットモータ７２に駆動信号を出力し、フィルタユニット４８を移動させ、ニュートラルデンシティフィルタによって構成されたフィルタ５１ｄを、生化学解析用ユニット１の基板２に形成された吸着性領域４の表面で散乱された４０５ｎｍの波長のレーザ光２４の光路内に位置させるとともに、遮光部材モータ７３に駆動信号を出力して、遮光部材５５を、生化学解析用ユニット１の基板２の表面で反射された４０５ｎｍの波長のレーザ光２４の光路内の遮光位置に移動させる。
【０２９６】
さらに、コントロールユニット７０は、主走査ステッピングモータ６５に駆動信号を出力し、光学ヘッド３５を主走査方向に移動させ、リニアエンコーダから入力される光学ヘッド３５の位置検出信号に基づいて、生化学解析用ユニット１の基板２に形成された多数の吸着性領域４のうち、第１の吸着性領域４のみに、レーザ光２４を照射可能な位置に、光学ヘッド３５が達したと判定すると、主走査ステッピングモータ６５に停止信号を出力するとともに、位置決め用レーザ光源２３に駆動信号を出力し、位置決め用レーザ光源２３を起動させ、４０５ｎｍの波長のレーザ光２４を発せさせる。
【０２９７】
位置決め用レーザ光源２３から発せられた４０５ｎｍの波長のレーザ光２４は、コリメータレンズ３１によって、平行光とされた後、第２のダイクロイックミラー２８を透過して、ミラー２９に入射する。
【０２９８】
ミラー２９に入射した４０５ｎｍの波長のレーザ光２４は、ミラー２９によって反射され、さらに、ミラー３２に入射して、反射される。
【０２９９】
ミラー３２によって反射されたレーザ光２４は、穴開きミラー３４の穴３３を通過して、凹面ミラー３８に入射する。
【０３００】
凹面ミラー３８に入射したレーザ光２４は、凹面ミラー３８によって反射されて、光学ヘッド３５に入射する。
【０３０１】
光学ヘッド３５に入射した４０５ｎｍの波長のレーザ光２４は、ミラー３６によって反射され、非球面レンズ３７によって、サンプルステージ４０上に載置された生化学解析用ユニット１の基板２に形成された第１の吸着性領域４に集光される。
【０３０２】
４０５ｎｍの波長のレーザ光２４が、生化学解析用ユニット１の第１の吸着性領域４に入射すると、４０５ｎｍの波長のレーザ光２４は、第１の吸着性領域４の表面で散乱される。
【０３０３】
ここに、多数の吸着性領域４が、一定のピッチで、所望のように、生化学解析用ユニット１の基板２に、規則的に形成されていないとき、あるいは、生化学解析用ユニット１が、サンプルステージ４０上の所望の位置に、正確にセットされていないときは、リニアエンコーダから入力される光学ヘッド３５の位置検出信号に基づいて、コントロールユニット７０が、生化学解析用ユニット１の基板２に形成された多数の吸着性領域４のうち、第１の吸着性領域４のみに、レーザ光２４を照射可能な位置に、光学ヘッド３５が達したと判定した場合でも、レーザ光２４の一部は、第１の吸着性領域４を取り囲むステンレス鋼製の基板２の表面に入射し、反射される。
【０３０４】
生化学解析用ユニット１の第１の吸着性領域４の表面によって散乱された４０５ｎｍの波長のレーザ光２４および第１の吸着性領域４を取り囲むステンレス鋼製の基板２の表面によって反射された４０５ｎｍの波長のレーザ光２４は、光学ヘッド３５に設けられた非球面レンズ３７によって集光され、ミラー３６によって、レーザ光２４の光路と同じ側に反射されて、平行な光とされる。
【０３０５】
本実施態様においては、位置決め用レーザ光源２３が起動されているときは、遮光部材５５が、生化学解析用ユニット１の基板２の表面によって反射された４０５ｎｍの波長のレーザ光２４の光路内の遮光位置に位置しているから、生化学解析用ユニット１の基板２の表面によって反射された４０５ｎｍの波長のレーザ光２４は、遮光部材５５によって遮光され、生化学解析用ユニット１の第１の吸着性領域４の表面で散乱された４０５ｎｍの波長のレーザ光２４のみが、凹面ミラー３８に入射する。
【０３０６】
凹面ミラー３８に入射した４０５ｎｍの波長のレーザ光２４は、凹面ミラー３８によって反射され、穴開きミラー３４に入射する。
【０３０７】
穴開きミラー３４に入射した輝尽光４５は、凹面ミラーによって形成された穴開きミラー３４によって、図６に示されるように、反射され、フィルタユニット４８のフィルタ５１ｄに入射する。
【０３０８】
フィルタ５１ｄは、ニュートラルデンシティフィルタによって構成されているから、フィルタ５１ｄに入射した４０５ｎｍの波長のレーザ光２４は、減光されて、フォトマルチプライア５０に入射し、光電的に検出される。
【０３０９】
このように、生化学解析用ユニット１の吸着性領域４の表面で反射された４０５ｎｍの波長のレーザ光２４は、ニュートラルデンシティフィルタによって構成されているフィルタ５１ｄによって、減光されて、フォトマルチプライア５０に受光されるから、レーザ光２４の強度が大きくても、検出された信号が飽和することを効果的に防止することができる。
【０３１０】
フォトマルチプライア５０によって、４０５ｎｍの波長のレーザ光２４が光電的に検出されて、生成されたアナログ信号は、Ａ／Ｄ変換器５３に出力されて、ディジタル信号に変換され、データ処理装置５４に出力される。
【０３１１】
データ処理装置５４は、ディジタル信号の信号強度を算出し、コントロールユニット７０に出力する。
【０３１２】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０３１３】
ここに、生体由来の物質を標識する蛍光物質として、５３２ｎｍの波長のレーザによって、最も効率的に励起することのできるローダミン（登録商標）が使用されている場合でも、４０５ｎｍの波長のレーザ光２４が、生化学解析用ユニット１の第１の吸着性領域４に入射すると、ローダミンが励起されて、第１の吸着性領域４から、蛍光４５が放出されるが、放出される蛍光４５はきわめて微弱であるから、フォトマルチプライア５０によって光電的に検出されても、ディジタル信号の信号強度に影響を与えることはない。
【０３１４】
データ処理装置５４から入力されたディジタル信号の信号強度を、リニアエンコーダ６７から入力された光学ヘッド３５の位置検出信号とともに、メモリに記憶させると、コントロールユニット７０は、位置決め用レーザ光源２３に駆動停止信号を出力して、位置決め用レーザ光源２３の駆動を停止させ、主走査ステッピングモータ６５に駆動信号を出力して、光学ヘッド３５を、あらかじめ定められた微小距離δｄだけ、図７において、矢印Ｘで示される方向に移動させる。
【０３１５】
次いで、コントロールユニット７０は、位置決め用レーザ光源２３に駆動信号を出力して、位置決め用レーザ光源２３を起動させる。
【０３１６】
同様にして、生化学解析用ユニット１の第１の吸着性領域４の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０３１７】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０３１８】
さらに、コントロールユニット７０は、位置決め用レーザ光源２３に駆動停止信号を出力して、位置決め用レーザ光源２３の駆動を停止させ、主走査ステッピングモータ６５に駆動信号を出力して、光学ヘッド３５を、あらかじめ定められた微小距離δｄの２倍の距離だけ、図７において、矢印Ｘで示される方向と反対方向に移動させる。
【０３１９】
同様にして、生化学解析用ユニット１の第１の吸着性領域４の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０３２０】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０３２１】
こうして、光学ヘッド３５が、所定の範囲にわたり、主走査方向に微小な距離づつ移動され、生化学解析用ユニット１の第１の吸着性領域４の表面で散乱された４０５ｎｍの波長のレーザ光２４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０３２２】
ここに、メモリに記憶されているディジタル信号の信号強度は、生化学解析用ユニット１の第１の吸着性領域４の表面で散乱された４０５ｎｍの波長のレーザ光２４の強度に対応しているから、４０５ｎｍの波長のレーザ光２４が、生化学解析用ユニット１の第１の吸着性領域４のみに入射したときに、ディジタル信号の信号強度は最大となり、したがって、ディジタル信号の信号強度の最大値が得られたときの光学ヘッド３５の位置が、レーザ光２４を、生化学解析用ユニット１の第１の吸着性領域４のみに入射させることができる位置となる。
【０３２３】
そこで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、生化学解析用ユニット１の第１の吸着性領域４のみに入射させることができる最適励起位置に、光学ヘッド３５を位置決めする。
【０３２４】
次いで、コントロールユニット７０は、フィルタユニットモータ７２に駆動信号を出力し、フィルタユニット４８を移動させ、５３２ｎｍの波長の光をカットし、５３２ｎｍよりも波長の長い光を透過する性質を有するフィルタ５１ｂを、蛍光４５の光路内に位置させるとともに、遮光部材モータ７３に駆動信号を出力して、遮光部材５５を、蛍光４５の光路から退避した退避位置に移動させる。
【０３２５】
さらに、コントロールユニット７０は、第２のレーザ励起光源２２に駆動信号を出力し、第２のレーザ励起光源２２を起動させ、５３２ｎｍの波長のレーザ光２４を発せさせる。
【０３２６】
第２のレーザ励起光源２２より発せられた５３２ｎｍの波長のレーザ光２４は、コリメータレンズ３０により、平行光とされた後、第１のダイクロイックミラー２７によって反射されて、その向きが９０度変えられて、第２のダイクロイックミラー２８に入射し、第２のダイクロイックミラー２８によって反射されて、ミラー２９に入射する。
【０３２７】
ミラー２９に入射したレーザ光２４は、ミラー２９によって反射され、さらに、ミラー３２に入射して、反射される。
【０３２８】
ミラー３２によって反射されたレーザ光２４は、穴開きミラー３４の穴３３を通過して、凹面ミラー３８に入射する。
【０３２９】
凹面ミラー３８に入射したレーザ光２４は、凹面ミラー３８によって反射されて、光学ヘッド３５に入射する。
【０３３０】
光学ヘッド３５に入射したレーザ光２４は、ミラー３６によって反射され、非球面レンズ３７によって、サンプルステージ４０上に載置された生化学解析用ユニット１の第１の吸着性領域４に集光される。
【０３３１】
ここに、光学ヘッド３５は、レーザ光２４を、生化学解析用ユニット１の第１の吸着性領域４のみに入射させることができる位置に位置しているから、レーザ光２４を生化学解析用ユニット１の第１の吸着性領域４のみに集光させることが可能になる。
【０３３２】
また、本実施態様においては、吸着性領域４は、それぞれ、光エネルギーを減衰させる性質を有するステンレス鋼製の基板２に形成された貫通孔３内に、ナイロン６が埋め込まれて、形成されているから、第１の吸着性領域４内で、レーザ光２４が散乱して、隣り合った吸着性領域４内に入射し、隣り合った吸着性領域４に含まれている蛍光色素を励起することを、効果的に防止することが可能になる。
【０３３３】
レーザ光２４が、生化学解析用ユニット１の基板２に形成された第１の吸着性領域４に入射すると、第１の吸着性領域４内に含まれたローダミンが、レーザ光２４によって励起されて、ローダミンから蛍光４５が放出される。
【０３３４】
ここに、本実施態様にかかる生化学解析用ユニット１にあっては、基板２が、光エネルギーを減衰させる性質を有するステンレス鋼によって形成されているので、吸着性領域４内に含まれている蛍光色素から放出された蛍光４５が、隣り合う吸着性領域４内に含まれている蛍光色素から放出された蛍光４５と混ざり合うことを確実に防止することができる。
【０３３５】
生化学解析用ユニット１の第１の吸着性領域４から放出された蛍光４５は、光学ヘッド３５に設けられた非球面レンズ３７によって集光され、ミラー２６によって、レーザ光２４の光路と同じ側に反射され、平行な光とされて、凹面ミラー３８に入射する。
【０３３６】
凹面ミラー３８に入射した蛍光４５は、凹面ミラー３８によって反射されて、穴開きミラー３４に入射する。
【０３３７】
穴開きミラー３４に入射した蛍光４５は、凹面ミラーによって形成された穴開きミラー３４によって、反射され、フィルタユニット４８のフィルタ５１ｂに入射する。
【０３３８】
フィルタ５１ｂは、５３２ｎｍの波長の光をカットし、５３２ｎｍよりも波長の長い光を透過する性質を有しているので、励起光である５３２ｎｍの波長の光がカットされ、ローダミンから放出された蛍光４５の波長域の光のみがフィルタ５１ｂを透過して、フォトマルチプライア５０によって、光電的に検出される。
【０３３９】
フォトマルチプライア５０によって、蛍光４５が光電的に検出されて、生成されたアナログ信号は、Ａ／Ｄ変換器５３に出力されて、ディジタル信号に変換され、データ処理装置５４に出力される。
【０３４０】
第２のレーザ励起光源２２がオンされた後、所定の時間、たとえば、数μ秒が経過すると、コントロールユニット７０は、第２のレーザ励起光源２２に駆動停止信号を出力して、第２のレーザ励起光源２２をオフさせるとともに、主走査ステッピングモータ６５に駆動信号を出力して、光学ヘッド３５を、生化学解析用ユニット１の基板２に形成された隣り合う吸着性領域４の間の距離に等しいピッチだけ、移動させる。
【０３４１】
同時に、コントロールユニット７０は、フィルタユニットモータ７２に駆動信号を出力し、フィルタユニット４８を移動させ、ニュートラルデンシティフィルタによって構成されたフィルタ５１ｄを、生化学解析用ユニット１の基板２に形成された吸着性領域４の表面で散乱された４０５ｎｍの波長のレーザ光２４の光路内に位置させるとともに、遮光部材モータ７３に駆動信号を出力して、遮光部材５５を、生化学解析用ユニット１の基板２の表面で反射された４０５ｎｍの波長のレーザ光２４の光路内の遮光位置に移動させる。
【０３４２】
リニアエンコーダ６７から入力された光学ヘッド３５の位置検出信号に基づいて、光学ヘッド３５が、隣り合う吸着性領域４の間の距離に等しい１ピッチだけ移動されたことが確認されると、コントロールユニット７０は、位置決め用レーザ光源２３に駆動信号を出力して、位置決め用レーザ光源２３を起動させ、生化学解析用ユニット１の基板２に形成された第１の吸着性領域４に隣り合った第２の吸着性領域４に、４０５ｎｍの波長のレーザ光２４を照射する。
【０３４３】
生化学解析用ユニット１の第１の吸着性領域４に、４０５ｎｍの波長のレーザ光２４を照射したのと同様にして、生化学解析用ユニット１の第２の吸着性領域４の表面で散乱された４０５ｎｍの波長のレーザ光２４のみが、フォトマルチプライア５０に導かれて、光電的に検出され、アナログ信号が生成される。
【０３４４】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０３４５】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０３４６】
データ処理装置５４から入力されたディジタル信号の信号強度を、リニアエンコーダ６７から入力された光学ヘッド３５の位置検出信号とともに、メモリに記憶させると、コントロールユニット７０は、位置決め用レーザ光源２３に駆動停止信号を出力して、位置決め用レーザ光源２３の駆動を停止させ、主走査ステッピングモータ６５に駆動信号を出力して、光学ヘッド３５を、あらかじめ定められた微小距離δｄだけ、図７において、矢印Ｘで示される主走査方向に移動させる。
【０３４７】
次いで、コントロールユニット７０は、位置決め用レーザ光源２３に駆動信号を出力して、位置決め用レーザ光源２３を起動させる。
【０３４８】
同様にして、生化学解析用ユニット１の第２の吸着性領域４の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０３４９】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０３５０】
さらに、コントロールユニット７０は、位置決め用レーザ光源２３に駆動停止信号を出力して、位置決め用レーザ光源２３の駆動を停止させ、主走査ステッピングモータ６５に駆動信号を出力して、光学ヘッド３５を、あらかじめ定められた微小距離δｄの２倍の距離だけ、図７において、矢印Ｘで示される向きと反対向きに移動させる。
【０３５１】
同様にして、生化学解析用ユニット１の第２の吸着性領域４の表面で散乱された４０５ｎｍの波長のレーザ光２４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０３５２】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０３５３】
こうして、光学ヘッド３５が、所定の範囲にわたり、主走査方向に微小な距離づつ移動され、生化学解析用ユニット１の第２の吸着性領域４の表面で散乱された４０５ｎｍの波長のレーザ光２４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０３５４】
次いで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、生化学解析用ユニット１の第２の吸着性領域４のみに入射させることができる最適励起位置に、光学ヘッド３５を位置決めする。
【０３５５】
さらに、コントロールユニット７０は、フィルタユニットモータ７２に駆動信号を出力し、フィルタユニット４８を移動させ、５３２ｎｍの波長の光をカットし、５３２ｎｍよりも波長の長い光を透過する性質を有するフィルタ５１ｂを、蛍光４５の光路内に位置させるとともに、遮光部材モータ７３に駆動信号を出力して、遮光部材５５を、蛍光４５の光路から退避した退避位置に移動させる。
【０３５６】
次いで、コントロールユニット７０は、第２のレーザ励起光源２２に駆動信号を出力して、第２のレーザ励起光源２２を起動させ、５３２ｎｍの波長のレーザ光２４によって、生化学解析用ユニット１の第２の吸着性領域４に含まれている蛍光色素を励起する。
【０３５７】
所定時間にわたって、５３２ｎｍの波長のレーザ光２４によって、生化学解析用ユニット１の第２の吸着性領域４に含まれている蛍光色素を励起し、生化学解析用ユニット１の第２の吸着性領域４から放出された蛍光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第２のレーザ励起光源２２に駆動停止信号を出力して、第２のレーザ励起光源２２をオフさせるとともに、主走査ステッピングモータ６５に、駆動信号を出力して、光学ヘッド３５を、隣り合う吸着性領域４の間の距離に等しい１ピッチだけ、移動させる。
【０３５８】
同時に、コントロールユニット７０は、フィルタユニットモータ７２に駆動信号を出力し、フィルタユニット４８を移動させ、ニュートラルデンシティフィルタによって構成されたフィルタ５１ｄを、生化学解析用ユニット１の基板２に形成された吸着性領域４の表面で散乱された４０５ｎｍの波長のレーザ光２４の光路内に位置させるとともに、遮光部材モータ７３に駆動信号を出力して、遮光部材５５を、生化学解析用ユニット１の基板２の表面で反射された４０５ｎｍの波長のレーザ光２４の光路内の遮光位置に移動させる。
【０３５９】
リニアエンコーダ６７から入力された光学ヘッド３５の位置検出信号に基づいて、光学ヘッド３５が、隣り合う吸着性領域４の間の距離に等しい１ピッチだけ移動されたことが確認されると、コントロールユニット７０は、位置決め用レーザ光源２３に駆動信号を出力して、位置決め用レーザ光源２３を起動させ、生化学解析用ユニット１の基板２に形成された第２の吸着性領域４に隣り合った第３の吸着性領域４に、４０５ｎｍの波長のレーザ光２４を照射する。
【０３６０】
生化学解析用ユニット１の第１の吸着性領域４に、４０５ｎｍの波長のレーザ光２４を照射したのと同様にして、生化学解析用ユニット１の第２の吸着性領域４の表面で散乱された４０５ｎｍの波長のレーザ光２４のみが、フォトマルチプライア５０に導かれて、光電的に検出され、アナログ信号が生成される。
【０３６１】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０３６２】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０３６３】
こうして、光学ヘッド３５が、所定の範囲にわたり、主走査方向に微小な距離づつ移動され、生化学解析用ユニット１の第３の吸着性領域４の表面で散乱された４０５ｎｍの波長のレーザ光２４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定し、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、生化学解析用ユニット１の第３の吸着性領域４のみに入射させることができる最適励起位置に、光学ヘッド３５を位置決めする。
【０３６４】
次いで、コントロールユニット７０は、フィルタユニットモータ７２に駆動信号を出力して、フィルタユニット４８を移動させ、５３２ｎｍの波長の光をカットし、５３２ｎｍよりも波長の長い光を透過する性質を有するフィルタ５１ｂを、蛍光４５の光路内に位置させるとともに、遮光部材モータ７３に駆動信号を出力して、遮光部材５５を、蛍光４５の光路から退避した退避位置に移動させ、第２のレーザ励起光源２２に駆動信号を出力して、第２のレーザ励起光源２２を起動させ、５３２ｎｍの波長のレーザ光２４によって、生化学解析用ユニット１の第３の吸着性領域４に含まれている蛍光色素を励起する。
【０３６５】
所定時間にわたって、６４０ｎｍの波長のレーザ光２４によって、生化学解析用ユニット１の第３の吸着性領域４に含まれている蛍光色素を励起し、生化学解析用ユニット１の第３の吸着性領域４から放出された蛍光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第２のレーザ励起光源２２に駆動停止信号を出力して、第２のレーザ励起光源２２をオフさせるとともに、主走査ステッピングモータ６５に、駆動信号を出力して、光学ヘッド３５を、隣り合う吸着性領域４の間の距離に等しい１ピッチだけ、移動させる。
【０３６６】
こうして、光学ヘッド３５の間欠的な移動に同期して、第２のレーザ励起光源２２および位置決め用レーザ光源２０のオン・オフが繰り返され、リニアエンコーダ６７から入力された光学ヘッド３５の位置検出信号に基づいて、光学ヘッド３５が、主走査方向に、１ライン分だけ、移動され、生化学解析用ユニット１の基板２に形成された第１ライン目の吸着性領域４のレーザ光２４による走査が完了したことが確認されると、コントロールユニット７０は、主走査ステッピングモータ６５に駆動信号を出力して、光学ヘッド３５を元の位置に復帰させるとともに、副走査パルスモータ６１に駆動信号を出力して、移動可能な基板６３を、副走査方向に、１ライン分だけ、移動させる。
【０３６７】
リニアエンコーダ６７から入力された光学ヘッド３５の位置検出信号に基づいて、光学ヘッド３５が元の位置に復帰され、かつ、移動可能な基板６３が、副走査方向に、１ライン分だけ、移動されたことを確認すると、コントロールユニット７０は、位置決め用レーザ光源２０から発せられる４０５ｎｍのレーザ光２４を用いて、生化学解析用ユニット１の基板２に形成された第１ライン目の各吸着性領域４ごとに、光学ヘッド３５を最適励起位置に位置決めし、第１ライン目の吸着性領域４に、順次、第２のレーザ励起光源２２から発せられるレーザ光２４を照射し、第１ライン目の吸着性領域４に含まれている蛍光色素を励起し、吸着性領域４から発せられた蛍光４５を、順次、フォトマルチプライア５０によって、光電的に検出させたのと同様にして、位置決め用レーザ光源２０から発せられる４０５ｎｍのレーザ光２４を用いて、生化学解析用ユニット１の基板２に形成された第２ライン目の各吸着性領域４ごとに、光学ヘッド３５を最適励起位置に位置決めしつつ、第２ライン目の吸着性領域４に、順次、第２のレーザ励起光源２２から発せられるレーザ光２４を照射して、第２ライン目の吸着性領域４に含まれている蛍光色素を励起し、第２ライン目の吸着性領域４から発せられた蛍光４５を、順次、フォトマルチプライア５０によって、光電的に検出させる。
【０３６８】
フォトマルチプライア５０によって光電的に検出されて、生成されたアナログデータは、Ａ／Ｄ変換器５３によって、ディジタルデータに変換されて、データ処理装置５４に送られる。
【０３６９】
こうして、生化学解析用ユニット１の基板２に形成された吸着性領域４がすべて、レーザ光２４によって走査され、吸着性領域４に含まれている蛍光色素が励起されて、放出された蛍光４５が、フォトマルチプライア５０によって光電的に検出され、生成されたアナログデータが、Ａ／Ｄ変換器５３により、ディジタルデータに変換されて、データ処理装置５４に送られると、コントロールユニット７０から、駆動停止信号が、第２のレーザ励起光源２２に出力され、第２のレーザ励起光源２２の駆動が停止される。
【０３７０】
以上のようにして、スキャナによって、生化学解析用ユニット１の基板２に形成された多数の吸着性領域４に記録されている蛍光色素の蛍光データが読み取られて、生化学解析用データが生成される。
【０３７１】
本実施態様によれば、第１のレーザ励起光源２１から発せられる６４０ｎｍの波長のレーザ光２４によって、蓄積性蛍光体シート１０の支持体１１に形成された各輝尽性蛍光体層領域１２に含まれている輝尽性蛍光体を励起するのに先立って、位置決め用レーザ光源２０から発せられた輝尽性蛍光体を励起して、蓄積されている放射線エネルギーを放出させることがない４０５ｎｍの波長のレーザ光２４を、蓄積性蛍光体シート１０の支持体１１に形成された輝尽性蛍光体層領域１２に照射して、輝尽性蛍光体層領域１２ごとに、輝尽性蛍光体層領域１２の表面で散乱され、フォトマルチプライア５０によって光電的に検出された４０５ｎｍの波長のレーザ光２４の強度が最大になる光学ヘッド３５の位置を、最適励起位置として決定し、第１のレーザ励起光源２１から発せられたレーザ光２４を、蓄積性蛍光体シート１０のその輝尽性蛍光体層領域１２のみに入射させることができる最適励起位置に、光学ヘッド３５を位置決めして、第１のレーザ励起光源２１から発せられる６４０ｎｍの波長のレーザ光２４によって、蓄積性蛍光体シート１０の支持体１１に形成された輝尽性蛍光体層領域１２に含まれている輝尽性蛍光体を、順次、励起して、蓄積性蛍光体シート１０の支持体１１に形成された各輝尽性蛍光体層領域１２から放出された輝尽光４５を、フォトマルチプライア５０によって、光電的に検出するように構成されているから、多数の輝尽性蛍光体層領域１２が、一定のピッチで、所望のように、蓄積性蛍光体シート１０の支持体１１に、規則的に形成されていない場合や、蓄積性蛍光体シート１０が、サンプルステージ４０上の所望の位置に、正確にセットされていない場合においても、第１のレーザ励起光源２１から発せられる６４０ｎｍの波長のレーザ光２４を、所定の輝尽性蛍光体層領域１２のみに入射させることができ、したがって、蓄積性蛍光体シート１０の支持体１１に形成された各輝尽性蛍光体層領域１２から放出された輝尽光４５を、フォトマルチプライア５０によって、光電的に検出することにより、蓄積性蛍光体シート１０の多数の輝尽性蛍光体層領域１２に記録された放射線データを読み取って、定量性に優れた生化学解析用データを生成することが可能になる。
【０３７２】
さらに、本実施態様によれば、第２のレーザ励起光源２２から発せられる５３２ｎｍの波長のレーザ光２４により、生化学解析用ユニット１の基板２に形成された各吸着性領域４に含まれている蛍光色素を励起するのに先立って、位置決め用レーザ光源２０から発せられる蛍光色素を効率的に励起することがない４０５ｎｍの波長のレーザ光２４を、生化学解析用ユニット１の基板２に形成された吸着性領域４に照射して、吸着性領域４ごとに、吸着性領域４の表面で散乱され、フォトマルチプライア５０によって光電的に検出された４０５ｎｍの波長のレーザ光２４の強度が最大になる光学ヘッド３５の位置を決定し、第２のレーザ励起光源２２から発せられるレーザ光２４を、生化学解析用ユニット１のその吸着性領域４のみに入射させることができる最適励起位置に、光学ヘッド３５を位置決めして、第２のレーザ励起光源２２から発せられる５３２ｎｍの波長のレーザ光２４によって、生化学解析用ユニット１の基板２に形成された吸着性領域４に含まれている蛍光色素を、順次、励起して、生化学解析用ユニット１の基板２に形成された各吸着性領域４から放出された蛍光４５を、フォトマルチプライア５０によって、光電的に検出するように構成されているから、多数の吸着性領域４が、一定のピッチで、所望のように、生化学解析用ユニット１の基板２に、規則的に形成されていない場合や、生化学解析用ユニット１が、サンプルステージ４０上の所望の位置に、正確にセットされていない場合においても、第２のレーザ励起光源２２から発せられる５３２ｎｍの波長のレーザ光２４を、所定の吸着性領域４のみに入射させることができ、したがって、生化学解析用ユニット１の基板２に形成された各吸着性領域４から放出された蛍光４５を、フォトマルチプライア５０によって、光電的に検出することにより、生化学解析用ユニット１の多数の吸着性領域４に記録された蛍光データを読み取って、定量性に優れた生化学解析用データを生成することが可能になる。
【０３７３】
図９は、生化学解析用ユニット１の多数の吸着性領域４に記録された化学発光データを転写すべき蓄積性蛍光体シートの他の例を示す略斜視図である。
【０３７４】
図９に示された蓄積性蛍光体シート８０は、ステンレス鋼によって形成された支持体１１に形成された多数の貫通孔１３内に、光エネルギーを吸収し、蓄積可能なＳｒＳ系輝尽性蛍光体が充填されて、多数の輝尽性蛍光体層領域８２が形成されている点を除いて、図４に示された蓄積性蛍光体シート１０と同様の構成を有している。
【０３７５】
生化学解析用ユニット１の基板２に形成された多数の吸着性領域４に記録された化学発光データは、図９に示された蓄積性蛍光体シート８０の多数の輝尽性蛍光体層領域８２に転写される。
【０３７６】
生化学解析用ユニット１の基板２に形成された多数の吸着性領域４に記録された化学発光データを、蓄積性蛍光体シート８０の多数の輝尽性蛍光体層領域８２に転写するに際し、生化学解析用ユニット１の多数の吸着性領域４に、化学発光基質が接触される。
【０３７７】
その結果、生化学解析用ユニット１の多数の吸着性領域４から、可視光波長域の化学発光が、選択的に放出される。
【０３７８】
次いで、化学発光を放出している生化学解析用ユニット１上に、生化学解析用ユニット１の基板２に形成された多数の吸着性領域４のそれぞれが、蓄積性蛍光体シート８０の支持体１１に、多数の吸着性領域４と同一のパターンで、形成された多数の輝尽性蛍光体層領域８２の対応する輝尽性蛍光体層領域８２に対向するように、位置合わせをして、蓄積性蛍光体シート８０が重ね合わされる。
【０３７９】
こうして、所定の時間にわたって、蓄積性蛍光体シート８０の支持体１１に形成された多数の輝尽性蛍光体層領域８２の各々と、生化学解析用ユニット１の基板２に形成された多数の吸着性領域４とを対向させることによって、生化学解析用ユニット１の基板２に形成された吸着性領域４から、選択的に放出された化学発光によって、蓄積性蛍光体シート８０の支持体１１に形成された多数の輝尽性蛍光体層領域８２が露光される。
【０３８０】
露光に際して、生化学解析用ユニット１の多数の吸着性領域４は、ステンレス鋼によって形成された基板２に、互いに離間して形成され、各吸着性領域４の周囲には、光エネルギーを減衰させる性質を有するステンレス鋼製の基板２が存在しているから、生化学解析用ユニット１の吸着性領域４から放出された化学発光が、生化学解析用ユニット１の基板２内で、散乱することを効果的に防止することができ、さらに、蓄積性蛍光体シート８０の多数の輝尽性蛍光体層領域８２が、光エネルギーを減衰させる性質を有するステンレス鋼製の支持体１１に形成された複数の貫通孔１３内に、輝尽性蛍光体を埋め込んで、形成され、各輝尽性蛍光体層領域８２の周囲には、光エネルギーを減衰させる性質を有するステンレス鋼製の支持体１１が存在しているから、生化学解析用ユニット１の吸着性領域４から放出された化学発光が、蓄積性蛍光体シート８０の支持体１１内で、散乱することを効果的に防止することができ、したがって、吸着性領域４から放出された化学発光はすべて、その吸着性領域４に対向する輝尽性蛍光体層領域８２に入射し、隣り合う吸着性領域４から放出された化学発光によって露光されるべき輝尽性蛍光体層領域８２に入射して、露光することを効果的に防止することができる。
【０３８１】
したがって、蓄積性蛍光体シート８０の支持体１１に形成された多数の輝尽性蛍光体層領域８２を、生化学解析用ユニット１の対応する吸着性領域４から放出された化学発光のみによって、効果的に、露光することが可能になる。
【０３８２】
こうして、生化学解析用ユニット１の多数の吸着性領域４に記録された化学発光データが、蓄積性蛍光体シート８０の多数の輝尽性蛍光体層領域８５に転写されて、記録される。
【０３８３】
図１０は、本発明の他の実施態様にかかるスキャナの概略図である。
【０３８４】
図１０に示されるように、本実施態様にかかるスキャナは、４０５ｎｍの波長のレーザ光２４を発する位置決め用レーザ光源２０に代えて、ＳｒＳ系輝尽性蛍光体を効率的に励起可能な９８０ｎｍの波長のレーザ光２４を発する第３のレーザ励起光源２３を備え、５３２ｎｍ以上の波長の光を反射し、４０５ｎｍの波長の光を透過する第２のダイクロイックミラー２８に代えて、６４０ｎｍ以下の波長の光を反射し、９８０ｎｍの波長の光を透過する第３のダイクロイックミラー５６を備えている。
【０３８５】
また、図１０に示されるように、本実施態様にかかるスキャナのフィルタユニット４８は、ニュートラルデンシティフィルタによって構成されたフィルタ５１ｄに代えて、ＳｒＳ系輝尽性蛍光体から放出される輝尽光４５の波長域の光のみを透過し、９８０ｎｍの波長の光をカットする性質を有するフィルタ５１ｅを備えている。
【０３８６】
さらに、図１０に示されるように、本実施態様にかかるスキャナは、サンプルステージ４０上に、ライトボックス９０を備え、遮光部材５５および遮光部材モータ７３は設けられていない。
【０３８７】
本実施態様にかかるスキャナのその他の構成は、図６ないし図８に示されたスキャナと同様である。
【０３８８】
図１１は、ライトボックス９０の略縦断面図である。
【０３８９】
図１１に示されるように、ライトボックス９０は透明なケーシング９１を有し、ケーシング９１内には、複数の青色ＬＥＤ光源９２が設けられ、サンプルステージ４０と反対側のケーシング９１の裏面には、青色光を選択的に透過させる青色透過フィルタ９３が貼着されている。
【０３９０】
以上のように構成された本実施態様にかかるスキャナは、以下のようにして、蓄積性蛍光体シート８０の多数の輝尽性蛍光体層領域８２に記録された化学発光データを読み取って、生化学解析用データを生成する。
【０３９１】
まず、ユーザーによって、蓄積性蛍光体シート８０が、サンプルステージ４０のライトボックス９０上に載置される。
【０３９２】
次いで、ユーザーによって、キーボード７１に、蓄積性蛍光体シート８０に形成された多数の輝尽性蛍光体層領域８２に記録された化学発光データを読み取るべき旨の指示信号が入力される。
【０３９３】
キーボード７１に入力された指示信号は、コントロールユニット７０に入力され、指示信号を受けると、コントロールユニット７０は、フィルタユニットモータ７２に駆動信号を出力して、青色ＬＥＤ光源９２から発せられ、蓄積性蛍光体シート８０の支持体８１に形成された輝尽性蛍光体層領域８２を透過した光の光路外に、フィルタユニット４８を移動させる。
【０３９４】
さらに、コントロールユニット７０は、主走査ステッピングモータ６５に駆動信号を出力し、光学ヘッド３５を主走査方向に移動させ、リニアエンコーダから入力される光学ヘッド３５の位置検出信号に基づいて、蓄積性蛍光体シート８０の支持体８１に形成された多数の輝尽性蛍光体層領域８２のうち、第１の輝尽性蛍光体層領域８２のみに、レーザ光２４を照射可能で、かつ、第１の輝尽性蛍光体層領域８２から放出された光を最も効率的にフォトマルチプライア５０に集光することができる位置に、光学ヘッド３５が達したと判定すると、主走査ステッピングモータ６５に停止信号を出力するとともに、青色ＬＥＤ光源９２に駆動信号を出力し、青色ＬＥＤ光源９２を起動させ、青色光９４を発せさせる。
【０３９５】
その結果、青色ＬＥＤ光源９２から発せられた青色光９４は、青色透過フィルタ９３を透過して、ライトボックス９０上に載置された蓄積性蛍光体シート８０に入射する。
【０３９６】
ここに、蓄積性蛍光体シート８０の支持体８１に形成された輝尽性蛍光体層領域８２に含まれているＳｒＳ系輝尽性蛍光体は、９８０ｎｍの波長の光によって最も効率的に励起され、青色光９４によっては励起されないから、蓄積性蛍光体シート８０の支持体８１に形成された輝尽性蛍光体層領域８２に、青色光９４が照射されても、輝尽性蛍光体層領域８２に含まれたＳｒＳ系輝尽性蛍光体が蓄積している放射線エネルギーが放出されることはなく、したがって、蓄積性蛍光体シート８０の支持体８１に形成された輝尽性蛍光体層領域８２から、輝尽光４５は放出されない。
【０３９７】
本実施態様においては、蓄積性蛍光体シート８０の支持体８１は、光エネルギーを減衰させる性質を有するステンレス鋼によって形成されているから、蓄積性蛍光体シート８０に入射した青色光９４は、蓄積性蛍光体シート８０の支持体８１に形成された多数の輝尽性蛍光体層領域８２のみを透過し、第１の輝尽性蛍光体層領域８２を透過した青色光９４のみが、光学ヘッド３５に入射する。
【０３９８】
光学ヘッド３５に入射した青色光９４は、光学ヘッド３５に設けられた非球面レンズ３７によって集光され、ミラー３６により、レーザ光２４の光路と同じ側に反射されて、平行な光とされる。
【０３９９】
ミラー３６によって反射された青色光９４は、凹面ミラー３８によって反射され、穴開きミラー３４に入射する。
【０４００】
穴開きミラー３４に入射した輝尽光４５は、凹面ミラーによって形成された穴開きミラー３４によって、反射され、フォトマルチプライア５０に入射し、光電的に検出される。
【０４０１】
このように、蓄積性蛍光体シート８０の輝尽性蛍光体層領域８２を透過した青色光９４をフィルタと透過させることなく、フォトマルチプライア５０に受光させているのは、本実施態様においては、位置決め用レーザ光源２０に代えて、青色ＬＥＤ光源９２を用いており、青色光９４の強度はそれほど高くなく、フォトマルチプライア５０によって、直接に受光しても検出された信号が飽和するおそれがないからである。
【０４０２】
フォトマルチプライア５０によって、青色光９４が光電的に検出されて、生成されたアナログ信号は、Ａ／Ｄ変換器５３に出力されて、ディジタル信号に変換され、データ処理装置５４に出力される。
【０４０３】
データ処理装置５４は、ディジタル信号の信号強度を算出し、コントロールユニット７０に出力する。
【０４０４】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４０５】
データ処理装置５４から入力されたディジタル信号の信号強度を、リニアエンコーダ６７から入力された光学ヘッド３５の位置検出信号とともに、メモリに記憶させると、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微小な距離δｄだけ、図７において、矢印Ｘで示される方向に移動させる。
【０４０６】
次いで、コントロールユニット７０は、青色ＬＥＤ光源９２に駆動信号を出力して、青色ＬＥＤ光源９２を点灯させる。
【０４０７】
同様にして、蓄積性蛍光体シート８０の第１の輝尽性蛍光体層領域８２を透過した青色光９４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０４０８】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４０９】
さらに、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微少距離δｄの２倍の距離だけ、図７において、矢印Ｘで示される向きとは反対向きに移動させる。
【０４１０】
同様にして、青色ＬＥＤ光源９２が点灯されて、蓄積性蛍光体シート８０の第１の輝尽性蛍光体層領域８２を透過した青色光９４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０４１１】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４１２】
こうして、光学ヘッド３５が、所定の範囲にわたり、主走査方向に微少な距離づつ移動され、蓄積性蛍光体シート８０の第１の輝尽性蛍光体層領域８２を透過した青色光９４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０４１３】
ここに、メモリに記憶されているディジタル信号の信号強度は、蓄積性蛍光体シート８０の第１の輝尽性蛍光体層領域８２を透過して、フォトマルチプライア５０に導かれ、光電的に検出された青色光９４の光量に対応しているから、光学ヘッド３５が、蓄積性蛍光体シート８０の支持体８１に形成された多数の輝尽性蛍光体層領域８２のうち、第１の輝尽性蛍光体層領域８２のみに、レーザ光２４を照射可能で、かつ、第１の輝尽性蛍光体層領域８２から放出された光を最も効率的にフォトマルチプライア５０に集光することができる位置に位置しているときに、ディジタル信号の信号強度は最大となり、したがって、ディジタル信号の信号強度の最大値が得られたときの光学ヘッド３５の位置が、レーザ光２４を、蓄積性蛍光体シート１０の第１の輝尽性蛍光体層領域１２のみに入射させ、かつ、第１の輝尽性蛍光体層領域８２から放出された輝尽光４５を最も効率的にフォトマルチプライア５０に集光することができる位置に対応する。
【０４１４】
そこで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、その位置検出信号が、リニアエンコーダ６７から入力されるまで、光学ヘッド３５を、主走査方向に移動させて、レーザ光２４を、蓄積性蛍光体シート１０の第１の輝尽性蛍光体層領域１２のみに入射させることができ、かつ、第１の輝尽性蛍光体層領域８２から放出された輝尽光４５を最も効率的にフォトマルチプライア５０に集光することができる最適励起位置に、光学ヘッド３５を位置決めする。
【０４１５】
次いで、コントロールユニット７０は、フィルタユニットモータ７２に駆動信号を出力し、フィルタユニット４８を移動させ、輝尽性蛍光体から放出される輝尽光４５の波長域の光のみを透過し、９８０ｎｍの波長の光をカットする性質を有するフィルタ５１ｅを、輝尽光４５の光路内に位置させるとともに、第３のレーザ励起光源２３に駆動信号を出力して、第３のレーザ励起光源２３を起動させ、９８０ｎｍの波長のレーザ光２４を発せさせる。
【０４１６】
第３のレーザ励起光源２３から発せられた９８０ｎｍの波長のレーザ光２４は、コリメータレンズ２５によって、平行な光とされた後、ミラー２６に入射して、反射される。
【０４１７】
ミラー２６によって反射されたレーザ光２４は、第１のダイクロイックミラー２７を透過し、第３のダイクロイックミラー５６によって、反射されて、ミラー２９に入射する。
【０４１８】
ミラー２９に入射したレーザ光２４は、ミラー２９によって反射され、さらに、ミラー３２に入射して、反射される。
【０４１９】
ミラー３２によって反射されたレーザ光２４は、穴開きミラー３４の穴３３を通過して、凹面ミラー３８に入射する。
【０４２０】
凹面ミラー３８に入射したレーザ光２４は、凹面ミラー３８によって反射されて、光学ヘッド３５に入射する。
【０４２１】
光学ヘッド３５に入射したレーザ光２４は、ミラー３６によって反射され、非球面レンズ３７によって、サンプルステージ４０上に載置された蓄積性蛍光体シート８０の第１の輝尽性蛍光体層領域８２に集光される。
【０４２２】
ここに、光学ヘッド３５は、９８０ｎｍの波長のレーザ光２４を、蓄積性蛍光体シート８０の第１の輝尽性蛍光体層領域８２のみに入射させることができる位置に位置しているから、レーザ光２４を蓄積性蛍光体シート８０の第１の輝尽性蛍光体層領域８２のみに集光させることが可能になる。
【０４２３】
また、本実施態様においては、輝尽性蛍光体層領域８２は、それぞれ、光エネルギーを減衰させる性質を有するステンレス鋼製の支持体８１に形成された貫通孔８３内に、輝尽性蛍光体が埋め込まれて、形成されているから、第１の輝尽性蛍光体層領域８２内で、レーザ光２４が散乱して、隣り合った輝尽性蛍光体層領域８２内に入射し、隣り合った輝尽性蛍光体層領域８２に含まれている輝尽性蛍光体を励起することを、効果的に防止することが可能になる。
【０４２４】
９８０ｎｍの波長のレーザ光２４が、蓄積性蛍光体シート８０の支持体８１に形成された第１の輝尽性蛍光体層領域８２に入射すると、第１の輝尽性蛍光体層領域８２に含まれているＳｒＳ系輝尽性蛍光体が、９８０ｎｍの波長のレーザ光２４によって励起されて、第１の輝尽性蛍光体層領域８２から、輝尽光４５が放出される。
【０４２５】
蓄積性蛍光体シート８０の第１の輝尽性蛍光体層領域８２から放出された輝尽光４５は、光学ヘッド３５に設けられた非球面レンズ３７によって集光され、ミラー３６により、レーザ光２４の光路と同じ側に反射され、平行な光とされて、凹面ミラー３８に入射する。
【０４２６】
凹面ミラー３８に入射した輝尽光４５は、凹面ミラー３８によって反射され、穴開きミラー３４に入射する。
【０４２７】
穴開きミラー３４に入射した輝尽光４５は、凹面ミラーによって形成された穴開きミラー３４によって、反射され、フィルタユニット４８のフィルタ５１ｅに入射する。
【０４２８】
フィルタ５１ｅは、輝尽性蛍光体から放出される輝尽光の波長域の光のみを透過し、９８０ｎｍの波長の光をカットする性質を有しているので、励起光である９８０ｎｍの波長の光がカットされて、輝尽光４５の波長域の光のみがフィルタ５１ｅを透過して、フォトマルチプライア５０によって、光電的に検出される。
【０４２９】
フォトマルチプライア５０によって、輝尽光４５が光電的に検出されて、生成されたアナログ信号は、Ａ／Ｄ変換器５３に出力されて、ディジタル信号に変換され、データ処理装置５４に出力される。
【０４３０】
第３のレーザ励起光源２３がオンされた後、所定の時間、たとえば、数μ秒が経過すると、コントロールユニット７０は、第３のレーザ励起光源２３に駆動停止信号を出力して、第３のレーザ励起光源２３をオフさせるとともに、主走査ステッピングモータ６５に駆動信号を出力して、光学ヘッド３５を、蓄積性蛍光体シート８０の支持体８１に形成された隣り合う輝尽性蛍光体層領域８２の間の距離に等しいピッチだけ、移動させる。
【０４３１】
同時に、コントロールユニット７０は、フィルタユニットモータ７２に駆動信号を出力して、青色ＬＥＤ光源９２から発せられ、蓄積性蛍光体シート８０の支持体８１に形成された輝尽性蛍光体層領域８２を透過した光の光路外に、フィルタユニット４８を移動させる。
【０４３２】
リニアエンコーダ６７から入力された光学ヘッド３５の位置検出信号に基づいて、光学ヘッド３５が、隣り合う輝尽性蛍光体層領域１２の間の距離に等しい１ピッチだけ移動されたことが確認されると、コントロールユニット７０は、主走査ステッピングモータ６５に停止信号を出力するとともに、青色ＬＥＤ光源９２に駆動信号を出力して、青色ＬＥＤ光源９２を起動させ、青色光９４を発せさせる。
【０４３３】
その結果、青色ＬＥＤ光源９２から発せられた青色光９４は、青色透過フィルタ９３を透過して、ライトボックス９０上に載置された蓄積性蛍光体シート８０に入射する。
【０４３４】
蓄積性蛍光体シート８０の支持体８１は、光エネルギーを減衰させる性質を有するステンレス鋼によって形成されているから、蓄積性蛍光体シート８０に入射した青色光９４は、蓄積性蛍光体シート８０の支持体８１に形成された多数の輝尽性蛍光体層領域８２のみを透過し、第２の輝尽性蛍光体層領域８２を透過した青色光９４のみが、光学ヘッド３５に入射する。
【０４３５】
第２の輝尽性蛍光体層領域８２を透過して、光学ヘッド３５に入射した青色光９４は、第１の輝尽性蛍光体層領域８２を透過して、光学ヘッド３５に入射した青色光９４と同様にして、フォトマルチプライア５０に導かれて、光電的に検出され、アナログ信号が生成される。
【０４３６】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０４３７】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４３８】
データ処理装置５４から入力されたディジタル信号の信号強度を、リニアエンコーダ６７から入力された光学ヘッド３５の位置検出信号とともに、メモリに記憶させると、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微小距離δｄだけ、図７において、矢印Ｘで示される主走査方向に移動させる。
【０４３９】
次いで、コントロールユニット７０は、青色ＬＥＤ光源９２に駆動信号を出力して、青色ＬＥＤ光源９２を起動させる。
【０４４０】
同様にして、蓄積性蛍光体シート８０の第２の輝尽性蛍光体層領域８２を透過した青色光９４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０４４１】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４４２】
さらに、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微小距離δｄの２倍の距離だけ、図７において、矢印Ｘで示される向きと反対向きに移動させる。
【０４４３】
主走査ステッピングモータ６５が停止された後、青色ＬＥＤ光源９２が起動され、同様にして、蓄積性蛍光体シート８０の第２の輝尽性蛍光体層領域８２を透過した青色光９４が、フォトマルチプライア５０により光電的に検出されて、アナログ信号が生成され、アナログ信号が、Ａ／Ｄ変換器５３によって、ディジタル信号に変換され、データ処理装置５４に出力される。
【０４４４】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４４５】
こうして、光学ヘッド３５が、所定の範囲にわたり、主走査方向に微小な距離づつ移動され、蓄積性蛍光体シート８０の第２の輝尽性蛍光体層領域８２を透過した青色光９４が、フォトマルチプライア５０によって光電的に検出されて、データ処理装置５４により、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０４４６】
次いで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、蓄積性蛍光体シート８０の第２の輝尽性蛍光体層領域８２のみに入射させることができ、かつ、第２の輝尽性蛍光体層領域８２から放出された輝尽光４５を最も効率的にフォトマルチプライア５０に集光することができる最適励起位置に、光学ヘッド３５を位置決めする。
【０４４７】
さらに、コントロールユニット７０は、フィルタユニットモータ７２に駆動信号を出力し、フィルタユニット４８を移動させ、輝尽性蛍光体から放出される輝尽光４５の波長域の光のみを透過し、９８０ｎｍの波長の光をカットする性質を有するフィルタ５１ｅを、輝尽光４５の光路内に位置させるとともに、第３のレーザ励起光源２３に駆動信号を出力し、第３のレーザ励起光源２３を起動させ、９８０ｎｍの波長のレーザ光２４によって、蓄積性蛍光体シート８０の第２の輝尽性蛍光体層領域８２に含まれている輝尽性蛍光体を励起する。
【０４４８】
所定時間にわたって、９８０ｎｍの波長のレーザ光２４によって、蓄積性蛍光体シート８０の第２の輝尽性蛍光体層領域８２に含まれている輝尽性蛍光体を励起し、蓄積性蛍光体シート８０の第２の輝尽性蛍光体層領域８２から放出された輝尽光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第３のレーザ励起光源２３に駆動停止信号を出力して、第３のレーザ励起光源２３をオフさせるとともに、主走査ステッピングモータ６５に、駆動信号を出力して、光学ヘッド３５を、隣り合う輝尽性蛍光体層領域８２の間の距離に等しい１ピッチだけ、移動させる。
【０４４９】
同時に、コントロールユニット７０は、フィルタユニットモータ７２に駆動信号を出力し、蓄積性蛍光体シート８０の支持体８１に形成された輝尽性蛍光体層領域８２を透過した青色光９４の光路外に、フィルタユニット４８を移動させる。
【０４５０】
リニアエンコーダ６７から入力された光学ヘッド３５の位置検出信号に基づいて、光学ヘッド３５が、隣り合う輝尽性蛍光体層領域８２の間の距離に等しい１ピッチだけ移動されたことが確認されると、コントロールユニット７０は、青色ＬＥＤ光源９２に駆動信号を出力して、青色ＬＥＤ光源９２を起動させ、青色光９４を発せさせる。
【０４５１】
その結果、青色ＬＥＤ光源９２から発せられた青色光９４は、青色透過フィルタ９３を透過して、ライトボックス９０上に載置された蓄積性蛍光体シート８０に入射して、蓄積性蛍光体シート８０の支持体８１に形成された多数の輝尽性蛍光体層領域８２のみを透過し、第３の輝尽性蛍光体層領域８２を透過した青色光９４のみが、光学ヘッド３５に入射する。
【０４５２】
第３の輝尽性蛍光体層領域８２を透過して、光学ヘッド３５に入射した青色光９４は、第１の輝尽性蛍光体層領域８２を透過して、光学ヘッド３５に入射した青色光９４と同様にして、フォトマルチプライア５０に導かれて、光電的に検出され、アナログ信号が生成される。
【０４５３】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０４５４】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４５５】
こうして、光学ヘッド３５が、所定の範囲にわたり、主走査方向に微小な距離づつ移動され、蓄積性蛍光体シート８０の第３の輝尽性蛍光体層領域８２を透過した青色光９４が、フォトマルチプライア５０によって光電的に検出され、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定し、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、蓄積性蛍光体シート８０の第３の輝尽性蛍光体層領域８２のみに入射させることができ、かつ、第２の輝尽性蛍光体層領域８２から放出された輝尽光４５を最も効率的にフォトマルチプライア５０に集光することができる最適励起位置に、光学ヘッド３５を位置決めする。
【０４５６】
次いで、コントロールユニット７０は、フィルタユニットモータ７２に駆動信号を出力して、フィルタユニット４８を移動させ、輝尽性蛍光体から放出される輝尽光４５の波長域の光のみを透過し、９８０ｎｍの波長の光をカットする性質を有するフィルタ５１ｅを、輝尽光４５の光路内に位置させるとともに、第３のレーザ励起光源２３に駆動信号を出力して、第３のレーザ励起光源２３を起動させ、９８０ｎｍの波長のレーザ光２４によって、蓄積性蛍光体シート８０の第３の輝尽性蛍光体層領域８２に含まれている輝尽性蛍光体を励起する。
【０４５７】
所定時間にわたって、９８０ｎｍの波長のレーザ光２４によって、蓄積性蛍光体シート８０の第３の輝尽性蛍光体層領域８２に含まれている輝尽性蛍光体を励起し、蓄積性蛍光体シート８０の第３の輝尽性蛍光体層領域８２から放出された輝尽光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第３のレーザ励起光源２３に駆動停止信号を出力して、第３のレーザ励起光源２３をオフさせるとともに、主走査ステッピングモータ６５に、駆動信号を出力して、光学ヘッド３５を、隣り合う輝尽性蛍光体層領域８２の間の距離に等しい１ピッチだけ、移動させる。
【０４５８】
こうして、光学ヘッド３５の間欠的な移動に同期して、第３のレーザ励起光源２３および青色ＬＥＤ光源９２のオン・オフが繰り返され、リニアエンコーダ６７から入力された光学ヘッド３５の位置検出信号に基づいて、光学ヘッド３５が、主走査方向に、１ライン分だけ、移動され、蓄積性蛍光体シート８０の支持体８１に形成された第１ライン目の輝尽性蛍光体層領域８２のレーザ光２４による走査が完了したことが確認されると、コントロールユニット７０は、主走査ステッピングモータ６５に駆動信号を出力して、光学ヘッド３５を元の位置に復帰させるとともに、副走査パルスモータ６１に駆動信号を出力して、移動可能な基板６３を、副走査方向に、１ライン分だけ、移動させる。
【０４５９】
リニアエンコーダ６７から入力された光学ヘッド３５の位置検出信号に基づいて、光学ヘッド３５が元の位置に復帰され、かつ、移動可能な基板６３が、副走査方向に、１ライン分だけ、移動されたことを確認すると、コントロールユニット７０は、青色ＬＥＤ光源９２から発せられる青色光９４を用いて、蓄積性蛍光体シート８０の支持体８１に形成された第１ライン目の輝尽性蛍光体層領域８２ごとに、光学ヘッド３５を最適励起位置に位置決めし、第１ライン目の輝尽性蛍光体層領域８２に、順次、第３のレーザ励起光源２３から発せられるレーザ光２４を照射し、第１ライン目の輝尽性蛍光体層領域８２に含まれている輝尽性蛍光体を励起し、輝尽性蛍光体層領域８２から発せられた輝尽光４５を、順次、フォトマルチプライア５０によって、光電的に検出させたのと同様にして、青色ＬＥＤ光源９２から発せられる青色光９２を用いて、蓄積性蛍光体シート８０の支持体８１に形成された第２ライン目の輝尽性蛍光体層領域８２ごとに、光学ヘッド３５を最適励起位置に位置決めしつつ、第２ライン目の輝尽性蛍光体層領域８２に、順次、第３のレーザ励起光源２３から発せられるレーザ光２４を照射して、第２ライン目の輝尽性蛍光体層領域８２に含まれている輝尽性蛍光体を励起し、輝尽性蛍光体層領域８２から発せられた輝尽光４５を、順次、フォトマルチプライア５０によって、光電的に検出させる。
【０４６０】
フォトマルチプライア５０によって光電的に検出されて、生成されたアナログデータは、Ａ／Ｄ変換器５３によって、ディジタルデータに変換されて、データ処理装置５４に送られる。
【０４６１】
こうして、蓄積性蛍光体シート８０の支持体８１に形成された輝尽性蛍光体層領域８２がすべて、レーザ光２４によって走査され、輝尽性蛍光体層領域８２に含まれている輝尽性蛍光体が励起されて、放出された輝尽光４５が、フォトマルチプライア５０によって光電的に検出され、生成されたアナログデータが、Ａ／Ｄ変換器５３により、ディジタルデータに変換されて、データ処理装置５４に送られると、コントロールユニット７０から、駆動停止信号が、第３のレーザ励起光源２３に出力され、第３のレーザ励起光源２３の駆動が停止される。
【０４６２】
以上のようにして、図１０および図１１に示されたスキャナによって、蓄積性蛍光体シート８０の支持体８１に形成された多数の輝尽性蛍光体層領域８２に記録されている化学発光データが読み取られて、生化学解析用データが生成される。
【０４６３】
一方、図１０および図１１に示されたスキャナを用いて、生化学解析用ユニット１の基板２に形成された多数の吸着性領域４に記録されている蛍光物質の蛍光データを読み取って、生化学解析用データを生成するときは、まず、ユーザーによって、生化学解析用ユニット１が、サンプルステージ４０のライトボックス９０上にセットされる。
【０４６４】
次いで、ユーザーによって、キーボード７１に、標識物質である蛍光色素の種類を特定する蛍光物質特定信号および蛍光データを読み取るべき旨の指示信号が入力される。
【０４６５】
たとえば、生体由来の物質を標識する蛍光物質として、５３２ｎｍの波長のレーザによって、最も効率的に励起することのできるローダミン（登録商標）が使用されているときは、キーボード７１に、ローダミンが入力される。
【０４６６】
蛍光データを読み取るべき旨の指示信号および蛍光物質特定信号は、コントロールユニット７０に入力され、指示信号を受けると、コントロールユニット７０は、フィルタユニットモータ７２に駆動信号を出力して、青色ＬＥＤ光源９２から発せられ、蓄積性蛍光体シート８０の支持体８１に形成された輝尽性蛍光体層領域８２を透過した光の光路外に、フィルタユニット４８を移動させる。
【０４６７】
さらに、コントロールユニット７０は、主走査ステッピングモータ６５に駆動信号を出力し、光学ヘッド３５を主走査方向に移動させ、リニアエンコーダから入力される光学ヘッド３５の位置検出信号に基づいて、生化学解析用ユニット１の基板２に形成された多数の吸着性領域４のうち、第１の吸着性領域４のみに、レーザ光２４を照射可能で、かつ、第１の吸着性領域４から放出された光を最も効率的にフォトマルチプライア５０に集光することができる位置に、光学ヘッド３５が達したと判定すると、主走査ステッピングモータ６５に停止信号を出力するとともに、青色ＬＥＤ光源９２に駆動信号を出力し、青色ＬＥＤ光源９２を起動させ、青色光９４を発せさせる。
【０４６８】
その結果、青色ＬＥＤ光源９２から発せられた青色光９４は、青色透過フィルタ９３を透過して、ライトボックス９０上に載置された蓄積性蛍光体シート８０に入射する。
【０４６９】
本実施態様においては、生化学解析用ユニット１の基板２は、光エネルギーを減衰させる性質を有するステンレス鋼によって形成されているから、生化学解析用ユニット１に入射した青色光９４は、生化学解析用ユニット１の基板２に形成された吸着性領域４のみを透過し、生化学解析用ユニット１の第１の吸着性領域４を透過した青色光９４のみが、光学ヘッド３５に入射する。
【０４７０】
光学ヘッド３５に入射した青色光９４は、光学ヘッド３５に設けられた非球面レンズ３７によって集光され、ミラー３６により、レーザ光２４の光路と同じ側に反射されて、平行な光とされる。
【０４７１】
ミラー３６によって反射された青色光９４は、凹面ミラー３８によって反射され、穴開きミラー３４に入射する。
【０４７２】
穴開きミラー３４に入射した輝尽光４５は、凹面ミラーによって形成された穴開きミラー３４によって、反射され、フォトマルチプライア５０に入射し、光電的に検出される。
【０４７３】
このように、生化学解析用ユニット１の吸着性領域４を透過した青色光９４をフィルタと透過させることなく、フォトマルチプライア５０に受光させているのは、本実施態様においては、位置決め用レーザ光源２０に代えて、青色ＬＥＤ光源９２を用いており、青色光９４の強度はそれほど高くなく、フォトマルチプライア５０によって、直接に受光しても検出された信号が飽和するおそれがないからである。
【０４７４】
フォトマルチプライア５０によって、青色光９４が光電的に検出されて、生成されたアナログ信号は、Ａ／Ｄ変換器５３に出力されて、ディジタル信号に変換され、データ処理装置５４に出力される。
【０４７５】
データ処理装置５４は、ディジタル信号の信号強度を算出し、コントロールユニット７０に出力する。
【０４７６】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４７７】
データ処理装置５４から入力されたディジタル信号の信号強度を、リニアエンコーダ６７から入力された光学ヘッド３５の位置検出信号とともに、メモリに記憶させると、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微小な距離δｄだけ、図７において、矢印Ｘで示される方向に移動させる。
【０４７８】
次いで、コントロールユニット７０は、青色ＬＥＤ光源９２に駆動信号を出力して、青色ＬＥＤ光源９２を点灯させる。
【０４７９】
同様にして、生化学解析用ユニット１の第１の吸着性領域４を透過した青色光９４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０４８０】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４８１】
さらに、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微少距離δｄの２倍の距離だけ、図７において、矢印Ｘで示される向きとは反対向きに移動させる。
【０４８２】
同様にして、青色ＬＥＤ光源９２が点灯されて、生化学解析用ユニット１の第１の吸着性領域４を透過した青色光９４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０４８３】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０４８４】
こうして、光学ヘッド３５が、所定の範囲にわたり、主走査方向に微少な距離づつ移動され、生化学解析用ユニット１の第１の吸着性領域４を透過した青色光９４が、フォトマルチプライア５０によって光電的に検出されて、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０４８５】
ここに、メモリに記憶されているディジタル信号の信号強度は、生化学解析用ユニット１の第１の吸着性領域４を透過して、フォトマルチプライア５０に導かれ、光電的に検出された青色光９４の光量に対応しているから、光学ヘッド３５が、生化学解析用ユニット１の基板２に形成された多数の吸着性領域４のうち、第１の吸着性領域４のみに、レーザ光２４を照射可能で、かつ、第１の吸着性領域４から放出された蛍光４５を最も効率的にフォトマルチプライア５０に集光することができる位置に位置しているときに、ディジタル信号の信号強度は最大となり、したがって、ディジタル信号の信号強度の最大値が得られたときの光学ヘッド３５の位置が、レーザ光２４を、生化学解析用ユニット１の第１の吸着性領域４のみに入射させ、かつ、第１の吸着性領域４から放出された蛍光４５を最も効率的にフォトマルチプライア５０に集光することができる位置に対応する。
【０４８６】
そこで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、その位置検出信号が、リニアエンコーダ６７から入力されるまで、光学ヘッド３５を、主走査方向に移動させて、レーザ光２４を、生化学解析用ユニット１の第１の吸着性領域４のみに入射させることができ、かつ、第１の吸着性領域４から放出された蛍光４５を最も効率的にフォトマルチプライア５０に集光することができる最適励起位置に、光学ヘッド３５を位置決めする。
【０４８７】
次いで、コントロールユニット７０は、フィルタユニットモータ７２に駆動信号を出力して、フィルタユニット４８を移動させ、５３２ｎｍの波長の光をカットし、５３２ｎｍよりも波長の長い光を透過する性質を有するフィルタ５１ｂを、蛍光４５の光路内に位置させるとともに、第２のレーザ励起光源２２に駆動信号を出力して、第２のレーザ励起光源２２を起動させ、５３２ｎｍの波長のレーザ光２４を発せさせる。
【０４８８】
第２のレーザ励起光源２２より発せられた５３２ｎｍの波長のレーザ光２４は、コリメータレンズ３０により、平行光とされた後、第１のダイクロイックミラー２７によって反射されて、その向きが９０度変えられて、第２のダイクロイックミラー２８に入射し、第２のダイクロイックミラー２８によって反射されて、ミラー２９に入射する。
【０４８９】
ミラー２９に入射したレーザ光２４は、ミラー２９によって反射され、さらに、ミラー３２に入射して、反射される。
【０４９０】
ミラー３２によって反射されたレーザ光２４は、穴開きミラー３４の穴３３を通過して、凹面ミラー３８に入射する。
【０４９１】
凹面ミラー３８に入射したレーザ光２４は、凹面ミラー３８によって反射されて、光学ヘッド３５に入射する。
【０４９２】
光学ヘッド３５に入射したレーザ光２４は、ミラー３６によって反射され、非球面レンズ３７によって、サンプルステージ４０上に載置された生化学解析用ユニット１の第１の吸着性領域４に集光される。
【０４９３】
ここに、光学ヘッド３５は、レーザ光２４を、生化学解析用ユニット１の第１の吸着性領域４のみに入射させることができる位置に位置しているから、レーザ光２４を生化学解析用ユニット１の第１の吸着性領域４のみに集光させることが可能になる。
【０４９４】
レーザ光２４が、生化学解析用ユニット１の基板２に形成された第１の吸着性領域４に入射すると、第１の吸着性領域４内に含まれたローダミンが、レーザ光２４によって励起されて、ローダミンから蛍光４５が放出される。
【０４９５】
生化学解析用ユニット１の第１の吸着性領域４から放出された蛍光４５は、光学ヘッド３５に設けられた非球面レンズ３７によって集光され、ミラー２６によって、レーザ光２４の光路と同じ側に反射され、平行な光とされて、凹面ミラー３８に入射する。
【０４９６】
凹面ミラー３８に入射した蛍光４５は、凹面ミラー３８によって反射されて、穴開きミラー３４に入射する。
【０４９７】
穴開きミラー３４に入射した蛍光４５は、凹面ミラーによって形成された穴開きミラー３４によって、反射され、フィルタユニット４８のフィルタ５１ｂに入射する。
【０４９８】
フィルタ５１ｂは、５３２ｎｍの波長の光をカットし、５３２ｎｍよりも波長の長い光を透過する性質を有しているので、励起光である５３２ｎｍの波長の光がカットされ、ローダミンから放出された蛍光４５の波長域の光のみがフィルタ５１ｂを透過して、フォトマルチプライア５０によって、光電的に検出される。
【０４９９】
フォトマルチプライア５０によって、蛍光４５が光電的に検出されて、生成されたアナログ信号は、Ａ／Ｄ変換器５３に出力されて、ディジタル信号に変換され、データ処理装置５４に出力される。
【０５００】
第２のレーザ励起光源２２がオンされた後、所定の時間、たとえば、数μ秒が経過すると、コントロールユニット７０は、第２のレーザ励起光源２２に駆動停止信号を出力して、第２のレーザ励起光源２２をオフさせるとともに、主走査ステッピングモータ６５に駆動信号を出力して、光学ヘッド３５を、生化学解析用ユニット１の基板２に形成された隣り合う吸着性領域４の間の距離に等しいピッチだけ、移動させる。
【０５０１】
同時に、コントロールユニット７０は、フィルタユニットモータ７２に駆動信号を出力して、青色ＬＥＤ光源９２から発せられ、生化学解析用ユニット１の基板２に形成された吸着性領域４を透過した光の光路外に、フィルタユニット４８を移動させる。
【０５０２】
リニアエンコーダ６７から入力された光学ヘッド３５の位置検出信号に基づいて、光学ヘッド３５が、隣り合う吸着性領域４の間の距離に等しい１ピッチだけ移動されたことが確認されると、コントロールユニット７０は、主走査ステッピングモータ６５に停止信号を出力するとともに、青色ＬＥＤ光源９２に駆動信号を出力して、青色ＬＥＤ光源９２を起動させ、青色光９４を発せさせる。
【０５０３】
その結果、青色ＬＥＤ光源９２から発せられた青色光９４は、青色透過フィルタ９３を透過して、ライトボックス９０上に載置された生化学解析用ユニット１に入射する。
【０５０４】
生化学解析用ユニット１の基板２は、光エネルギーを減衰させる性質を有するステンレス鋼によって形成されているから、生化学解析用ユニット１に入射した青色光９４は、生化学解析用ユニット１の基板２に形成された多数の吸着性領域４のみを透過し、第２の吸着性領域４を透過した青色光９４のみが、光学ヘッド３５に入射する。
【０５０５】
第２の吸着性領域４を透過して、光学ヘッド３５に入射した青色光９４は、第１の吸着性領域４を透過して、光学ヘッド３５に入射した青色光９４と同様にして、フォトマルチプライア５０に導かれて、光電的に検出され、アナログ信号が生成される。
【０５０６】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０５０７】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０５０８】
データ処理装置５４から入力されたディジタル信号の信号強度を、リニアエンコーダ６７から入力された光学ヘッド３５の位置検出信号とともに、メモリに記憶させると、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微小距離δｄだけ、図７において、矢印Ｘで示される主走査方向に移動させる。
【０５０９】
次いで、コントロールユニット７０は、青色ＬＥＤ光源９２に駆動信号を出力して、青色ＬＥＤ光源９２を起動させる。
【０５１０】
同様にして、生化学解析用ユニット１の第２の吸着性領域４を透過した青色光９４が、フォトマルチプライア５０によって光電的に検出されて、アナログ信号が生成され、アナログ信号が、Ａ／Ｄ変換器５３によって、ディジタル信号に変換され、データ処理装置５４に出力される。
【０５１１】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０５１２】
さらに、コントロールユニット７０は、青色ＬＥＤ光源９２に駆動停止信号を出力して、青色ＬＥＤ光源９２の駆動を停止させ、主走査ステッピングモータ６５に駆動信号を出力して、光学ヘッド３５を、あらかじめ定められた微小距離δｄの２倍の距離だけ、図７において、矢印Ｘで示される向きと反対向きに移動させる。
【０５１３】
主走査ステッピングモータ６５が停止された後、青色ＬＥＤ光源９２が起動され、同様にして、生化学解析用ユニット１の第２の吸着性領域４を透過した青色光９４が、フォトマルチプライア５０により光電的に検出されて、アナログ信号が生成され、アナログ信号が、Ａ／Ｄ変換器５３によって、ディジタル信号に変換され、データ処理装置５４に出力される。
【０５１４】
データ処理装置５４は、ディジタル信号の信号強度を算出し、コントロールユニット７０に出力し、コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０５１５】
こうして、光学ヘッド３５が、所定の範囲にわたり、主走査方向に微小な距離づつ移動され、生化学解析用ユニット１の第２の吸着性領域４を透過した青色光９４が、フォトマルチプライア５０によって光電的に検出されて、データ処理装置５４により、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定する。
【０５１６】
次いで、コントロールユニット７０は、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、生化学解析用ユニット１の第２の吸着性領域４のみに入射させることができ、かつ、第２の吸着性領域４から放出された蛍光４５を最も効率的にフォトマルチプライア５０に集光することができる最適励起位置に、光学ヘッド３５を位置決めする。
【０５１７】
さらに、コントロールユニット７０は、フィルタユニットモータ７２に駆動信号を出力し、フィルタユニット４８を移動させ、５３２ｎｍの波長の光をカットし、５３２ｎｍよりも波長の長い光を透過する性質を有するフィルタ５１ｂを、蛍光４５の光路内に位置させるとともに、第２のレーザ励起光源２２に駆動信号を出力して、第２のレーザ励起光源２２を起動させ、５３２ｎｍの波長のレーザ光２４によって、生化学解析用ユニット１の第２の吸着性領域４に含まれている蛍光色素を励起する。
【０５１８】
所定時間にわたって、５３２ｎｍの波長のレーザ光２４によって、生化学解析用ユニット１の第２の吸着性領域４に含まれている蛍光色素を励起し、生化学解析用ユニット１の第２の吸着性領域４から放出された蛍光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第２のレーザ励起光源２２に駆動停止信号を出力して、第２のレーザ励起光源２２をオフさせるとともに、主走査ステッピングモータ６５に、駆動信号を出力して、光学ヘッド３５を、隣り合う吸着性領域４の間の距離に等しい１ピッチだけ、移動させる。
【０５１９】
同時に、コントロールユニット７０は、フィルタユニットモータ７２に駆動信号を出力し、生化学解析用ユニット１の基板２に形成された吸着性領域４を透過した青色光９４の光路外に、フィルタユニット４８を移動させる。
【０５２０】
リニアエンコーダ６７から入力された光学ヘッド３５の位置検出信号に基づいて、光学ヘッド３５が、隣り合う吸着性領域４の間の距離に等しい１ピッチだけ移動されたことが確認されると、コントロールユニット７０は、青色ＬＥＤ光源９２に駆動信号を出力して、青色ＬＥＤ光源９２を起動させ、青色光９４を発せさせる。
【０５２１】
その結果、青色ＬＥＤ光源９２から発せられた青色光９４は、青色透過フィルタ９３を透過して、サンプルステージ４０のライトボックス９０上に載置された生化学解析用ユニット１に入射して、生化学解析用ユニット１の基板２に形成された多数の吸着性領域４のみを透過し、第３の吸着性領域４を透過した青色光９４のみが、光学ヘッド３５に入射する。
【０５２２】
第３の吸着性領域４を透過して、光学ヘッド３５に入射した青色光９４は、第１の吸着性領域４を透過して、光学ヘッド３５に入射した青色光９４と同様にして、フォトマルチプライア５０に導かれて、光電的に検出され、アナログ信号が生成される。
【０５２３】
フォトマルチプライア５０によって生成されたアナログ信号は、Ａ／Ｄ変換器５３によってディジタル化され、データ処理装置５４によって、ディジタル信号の信号強度が算出されて、コントロールユニット７０に出力される。
【０５２４】
コントロールユニット７０は、データ処理装置５４から入力されたディジタル信号の信号強度を、リニアエンコーダ６７から入力された光学ヘッド３５の位置検出信号とともに、メモリ（図示せず）に記憶させる。
【０５２５】
こうして、光学ヘッド３５が、所定の範囲にわたり、主走査方向に微小な距離づつ移動され、生化学解析用ユニット１の第３の吸着性領域４を透過した青色光９４が、フォトマルチプライア５０によって光電的に検出され、データ処理装置５４によって、生成されたディジタル信号の信号強度がメモリに記憶されると、コントロールユニット７０は、メモリに記憶されているディジタル信号の信号強度を比較して、メモリに記憶されているディジタル信号の信号強度のうち、最大の信号強度を決定し、ディジタル信号の信号強度の最大値が得られたときに、リニアエンコーダ６７から入力された光学ヘッド３５の位置検出信号を、メモリから読み出し、主走査ステッピングモータ６５に駆動信号を出力して、光学ヘッド３５を、その位置検出信号が、リニアエンコーダ６７から入力されるまで、主走査方向に移動させて、レーザ光２４を、生化学解析用ユニット１の第３の吸着性領域４のみに入射させることができ、かつ、第２の吸着性領域４から放出された蛍光４５を最も効率的にフォトマルチプライア５０に集光することができる最適励起位置に、光学ヘッド３５を位置決めする。
【０５２６】
次いで、コントロールユニット７０は、フィルタユニットモータ７２に駆動信号を出力して、フィルタユニット４８を移動させ、５３２ｎｍの波長の光をカットし、５３２ｎｍよりも波長の長い光を透過する性質を有するフィルタ５１ｂを、蛍光４５の光路内に位置させるとともに、第２のレーザ励起光源２２に駆動信号を出力して、第２のレーザ励起光源２２を起動させ、５３２ｎｍの波長のレーザ光２４によって、生化学解析用ユニット１の第３の吸着性領域４に含まれている蛍光色素を励起する。
【０５２７】
所定時間にわたって、５３２ｎｍの波長のレーザ光２４によって、生化学解析用ユニット１の第３の吸着性領域４に含まれている蛍光色素を励起し、生化学解析用ユニット１の第３の吸着性領域４から放出された蛍光４５が、フォトマルチプライア５０によって、光電的に検出されて、アナログ信号が生成され、Ａ／Ｄ変換器５３によって、アナログ信号がディジタル化されて、ディジタル信号がデータ処理装置５４に送られると、コントロールユニット７０は、第２のレーザ励起光源２２に駆動停止信号を出力して、第２のレーザ励起光源２２をオフさせるとともに、主走査ステッピングモータ６５に、駆動信号を出力して、光学ヘッド３５を、隣り合う吸着性領域４の間の距離に等しい１ピッチだけ、移動させる。
【０５２８】
こうして、光学ヘッド３５の間欠的な移動に同期して、第２のレーザ励起光源２２および青色ＬＥＤ光源９２のオン・オフが繰り返され、リニアエンコーダ６７から入力された光学ヘッド３５の位置検出信号に基づいて、光学ヘッド３５が、主走査方向に、１ライン分だけ、移動され、生化学解析用ユニット１の基板２に形成された第１ライン目の吸着性領域４のレーザ光２４による走査が完了したことが確認されると、コントロールユニット７０は、主走査ステッピングモータ６５に駆動信号を出力して、光学ヘッド３５を元の位置に復帰させるとともに、副走査パルスモータ６１に駆動信号を出力して、移動可能な基板６３を、副走査方向に、１ライン分だけ、移動させる。
【０５２９】
リニアエンコーダ６７から入力された光学ヘッド３５の位置検出信号に基づいて、光学ヘッド３５が元の位置に復帰され、かつ、移動可能な基板６３が、副走査方向に、１ライン分だけ、移動されたことを確認すると、コントロールユニット７０は、青色ＬＥＤ光源９２から発せられる青色光９４を用いて、生化学解析用ユニット１の基板２に形成された第１ライン目の吸着性領域４ごとに、光学ヘッド３５を最適励起位置に位置決めし、第１ライン目の吸着性領域４に、順次、第２のレーザ励起光源２２から発せられるレーザ光２４を照射し、第１ライン目の吸着性領域４に含まれている蛍光色素を励起し、吸着性領域４から発せられた蛍光４５を、順次、フォトマルチプライア５０によって、光電的に検出させたのと同様にして、青色ＬＥＤ光源９２から発せられる青色光９２を用いて、生化学解析用ユニット１の基板２に形成された第２ライン目の吸着性領域４ごとに、光学ヘッド３５を最適励起位置に位置決めしつつ、第２ライン目の吸着性領域４に、順次、第２のレーザ励起光源２２から発せられるレーザ光２４を照射して、第２ライン目の吸着性領域４に含まれている蛍光色素を励起し、吸着性領域４から発せられた蛍光４５を、順次、フォトマルチプライア５０によって、光電的に検出させる。
【０５３０】
フォトマルチプライア５０によって光電的に検出されて、生成されたアナログデータは、Ａ／Ｄ変換器５３によって、ディジタルデータに変換されて、データ処理装置５４に送られる。
【０５３１】
こうして、生化学解析用ユニット１の基板２に形成された吸着性領域４がすべて、レーザ光２４によって走査され、吸着性領域４に含まれている蛍光色素が励起されて、放出された蛍光４５が、フォトマルチプライア５０によって光電的に検出され、生成されたアナログデータが、Ａ／Ｄ変換器５３により、ディジタルデータに変換されて、データ処理装置５４に送られると、コントロールユニット７０から、駆動停止信号が、第２のレーザ励起光源２２に出力され、第２のレーザ励起光源２２の駆動が停止される。
【０５３２】
以上のようにして、図１０および図１１に示されたスキャナによって、生化学解析用ユニット１の基板２に形成された多数の吸着性領域４に記録されている蛍光色素の蛍光データが読み取られて、生化学解析用データが生成される。
【０５３３】
本実施態様によれば、第３のレーザ励起光源２３から発せられる９８０ｎｍの波長のレーザ光２４によって、蓄積性蛍光体シート８０の支持体８１に形成された各輝尽性蛍光体層領域８２に含まれている輝尽性蛍光体を励起するのに先立って、青色ＬＥＤ光源９２から発せられる輝尽性蛍光体を励起して、蓄積されている放射線エネルギーを放出させることがない青色光９４を、蓄積性蛍光体シート８０に照射して、輝尽性蛍光体層領域８２ごとに、輝尽性蛍光体層領域８２を透過し、フォトマルチプライア５０によって光電的に検出された青色光９４の強度が最大になる光学ヘッド３５の位置を、最適励起位置として決定し、第１のレーザ励起光源２１から発せられたレーザ光２４を、蓄積性蛍光体シート８０のその輝尽性蛍光体層領域８２のみに入射させることができ、かつ、その輝尽性蛍光体層領域８２から放出された輝尽光４５を最も効率的にフォトマルチプライア５０に集光することができる最適励起位置に、光学ヘッド３５を位置決めして、第３のレーザ励起光源２３から発せられる９８０ｎｍの波長のレーザ光２４によって、蓄積性蛍光体シート８０の支持体８１に形成された輝尽性蛍光体層領域８２に含まれている輝尽性蛍光体を、順次、励起して、蓄積性蛍光体シート８０の支持体８１に形成された各輝尽性蛍光体層領域８２から放出された輝尽光４５を、フォトマルチプライア５０によって、光電的に検出するように構成されているから、多数の輝尽性蛍光体層領域８２が、一定のピッチで、所望のように、蓄積性蛍光体シート８０の支持体８１に、規則的に形成されていない場合や、蓄積性蛍光体シート８０が、サンプルステージ４０のライトボックス９０上の所望の位置に、正確にセットされていない場合においても、第３のレーザ励起光源２３から発せられる９８０ｎｍの波長のレーザ光２４を、所定の輝尽性蛍光体層領域８２のみに入射させることができ、したがって、蓄積性蛍光体シート８０の支持体８１に形成された各輝尽性蛍光体層領域８２から放出された輝尽光４５を、フォトマルチプライア５０によって、光電的に検出することにより、蓄積性蛍光体シート８０の多数の輝尽性蛍光体層領域８２に記録された化学発光データを読み取って、定量性に優れた生化学解析用データを生成することが可能になる。
【０５３４】
さらに、本実施態様によれば、第２のレーザ励起光源２２から発せられる５３２ｎｍの波長のレーザ光２４によって、生化学解析用ユニット１の基板２に形成された各吸着性領域４に含まれている蛍光色素を励起するのに先立って、青色ＬＥＤ光源９２から発せられる蛍光色素を効率的に励起することがない青色光９４を、生化学解析用ユニット１に照射して、吸着性領域４ごとに、吸着性領域４と透過し、フォトマルチプライア５０によって光電的に検出された青色光９４の強度が最大になる光学ヘッド３５の位置を、最適励起位置として決定し、第２のレーザ励起光源２２から発せられたレーザ光２４を、生化学解析用ユニット１のその吸着性領域４のみに入射させることができ、かつ、その吸着性領域４から放出された蛍光４５を最も効率的にフォトマルチプライア５０に集光することができる最適励起位置に、光学ヘッド３５を位置決めして、第２のレーザ励起光源２２から発せられる５３２ｎｍの波長のレーザ光２４によって、生化学解析用ユニット１の基板２に形成された吸着性領域４に含まれている蛍光色素を、順次、励起して、生化学解析用ユニット１の基板２に形成された各吸着性領域４から放出された蛍光４５を、フォトマルチプライア５０によって、光電的に検出するように構成されているから、多数の吸着性領域４が、一定のピッチで、所望のように、生化学解析用ユニット１の基板２に、規則的に形成されていない場合や、生化学解析用ユニット１が、サンプルステージ４０上の所望の位置に、正確にセットされていない場合においても、第２のレーザ励起光源２２から発せられる５３２ｎｍの波長のレーザ光２４を、所定の吸着性領域４のみに入射させることができ、したがって、生化学解析用ユニット１の基板２に形成された各吸着性領域４から放出された蛍光４５を、フォトマルチプライア５０によって、光電的に検出することにより、生化学解析用ユニット１の多数の吸着性領域４に記録された蛍光データを読み取って、定量性に優れた生化学解析用データを生成することが可能になる。
【０５３５】
本発明は、以上の実施態様に限定されることなく、特許請求の範囲に記載された発明の範囲内で種々の変更が可能であり、それらも本発明の範囲内に包含されるものであることはいうまでもない。
【０５３６】
たとえば、図６ないし図８に示された実施態様においては、位置決め用レーザ光源として、４０５ｎｍの波長のレーザ光２４を発するレーザ光源２０が用いられているが、位置決め用レーザ光源として、４０５ｎｍの波長のレーザ光２４を発するレーザ光源２０を用いることは必ずしも必要でなく、蓄積性蛍光体シート１０の支持体１１に形成された輝尽性蛍光体層領域１２に含まれているＢａＦＸ系輝尽性蛍光体を励起することがない波長の光を発する光源であれば、いかなる光源を用いてもよい。
【０５３７】
さらに、図６ないし図８に示された実施態様においては、蓄積性蛍光体シート１０の輝尽性蛍光体層領域１２あるいは生化学解析用ユニット１の吸着性領域４の表面で散乱された４０５ｎｍの波長のレーザ光２４を、フォトマルチプライア５０によって光電的に検出するように構成されているが、光学ヘッド３５と凹面ミラー３８の間の光路内に位置する反射位置と、光路から退避した退避位置との間を移動可能なミラーを設けて、蓄積性蛍光体シート１０の輝尽性蛍光体層領域１２あるいは生化学解析用ユニット１の吸着性領域４の表面で散乱された４０５ｎｍの波長のレーザ光２４を検出する際は、ミラーを反射位置に位置させ、あるいは、入射光の一部を反射するミラーを、光学ヘッド３５と凹面ミラー３８の間の光路内に設け、蓄積性蛍光体シート１０の輝尽性蛍光体層領域１２あるいは生化学解析用ユニット１の吸着性領域４の表面で散乱された４０５ｎｍの波長のレーザ光２４を、ミラーによって反射させて、アパーチャーを介して、フォトダイオードなどに導き、光電的に検出するようにしてもよい。この場合には、ニュートラルデンシティフィルタによって構成されたフィルタ５１ｄを設けることは必要でない。
【０５３８】
また、図１０および図１１に示された実施態様においては、光学ヘッド３５を最適励起位置に位置決めするために、青色光９４を発する青色ＬＥＤ光源９２が用いられているが、青色光９４を発する青色ＬＥＤ光源９２を用いることは必ずしも必要でなく、蓄積性蛍光体シート８０の支持体８１に形成された輝尽性蛍光体層領域８２に含まれているＳｒＳ系輝尽性蛍光体を励起することがない波長の光を発する光源であれば、いかなる光源を用いてもよい。
【０５３９】
さらに、図１０および図１１に示された実施態様においては、蓄積性蛍光体シート８０の輝尽性蛍光体層領域８２あるいは生化学解析用ユニット１の吸着性領域４を透過した青色光９４を検出する際に、フィルタユニット４８を青色光９４の光路外に移動させているが、フィルタユニット４８に、ニュートラルデンシティフィルタによって構成されたフィルタを設け、蓄積性蛍光体シート８０の輝尽性蛍光体層領域８２あるいは生化学解析用ユニット１の吸着性領域４を透過した青色光９４を、ニュートラルデンシティフィルタを介して、フォトマルチプライア５０によって光電的に検出するように構成することもできる。
【０５４０】
また、図１０および図１１に示された実施態様においては、蓄積性蛍光体シート８０の輝尽性蛍光体層領域８２あるいは生化学解析用ユニット１の吸着性領域４を透過した青色光９４を、フォトマルチプライア５０によって光電的に検出するように構成されているが、光学ヘッド３５と凹面ミラー３８の間の光路内に位置する反射位置と、光路から退避した退避位置との間を移動可能なミラーを設けて、蓄積性蛍光体シート１０の輝尽性蛍光体層領域１２あるいは生化学解析用ユニット１の吸着性領域４を透過した青色光９４を検出する際は、ミラーを反射位置に位置させ、あるいは、入射光の一部を反射するミラーを、光学ヘッド３５と凹面ミラー３８の間の光路内に設け、蓄積性蛍光体シート１０の輝尽性蛍光体層領域１２あるいは生化学解析用ユニット１の吸着性領域４を透過した青色光９４を、ミラーによって反射させて、アパーチャーを介して、フォトダイオードなどに導き、光電的に検出するようにしてもよい。
【０５４１】
さらに、図１０および図１１に示された実施態様においては、蓄積性蛍光体シート８０の支持体８１に形成された輝尽性蛍光体層領域８２あるいは生化学解析用ユニット１の基板２に形成された吸着性領域４を透過し、フォトマルチプライア５０によって光電的に検出された青色光９４の信号強度が最大になる光学ヘッド３５の位置を検出して、最適励起位置を決定しているが、蓄積性蛍光体シート８０の支持体８１および生化学解析用ユニット１の基板２を青色光９４を透過させる材料によって形成し、蓄積性蛍光体シート８０あるいは生化学解析用ユニット１を透過し、フォトマルチプライア５０によって光電的に検出された青色光９４の信号強度が最小になる光学ヘッド３５の位置を検出して、最適励起位置を決定するようにしてもよい。
【０５４２】
さらに、図１０および図１１に示された実施態様においては、蓄積性蛍光体シート８０の支持体８１に形成された多数の輝尽性蛍光体層領域８２に記録されている化学発光データを読み取って、生化学解析用データを生成するように構成されているが、図６ないし図８に示された実施態様と同様にして、第１のレーザ励起光源２１を用いて、蓄積性蛍光体シート１０の支持体１１に形成された多数の輝尽性蛍光体層領域１２に記録されている放射線データを読み取り、生化学解析用データを生成するようにしてもよい。
【０５４３】
また、図６ないし図８に示された実施態様においては、スキャナは、蓄積性蛍光体シート１０の支持体１１に形成された多数の輝尽性蛍光体層領域１２に記録されている放射線データを読み取って、生化学解析用データを生成するように構成されているが、図１０および図１１に示された実施態様と同様に、９８０ｎｍの波長のレーザ光２４を発するレーザ励起光源を設け、蓄積性蛍光体シート８０の支持体８１に形成された多数の輝尽性蛍光体層領域８２に記録されている化学発光データを読み取って、生化学解析用データを生成するように構成することもできる。
【０５４４】
さらに、図６ないし図８に示された実施態様においては、スキャナは、６４０ｎｍの波長のレーザ光２４を発する第１のレーザ励起光源２１と、５３２ｎｍの波長のレーザ光２４を発する第２のレーザ励起光源２２を備え、図１０および図１１に示された実施態様においては、スキャナは、６４０ｎｍの波長のレーザ光２４を発する第１のレーザ励起光源２１と、５３２ｎｍの波長のレーザ光２４を発する第２のレーザ励起光源２２と、９８０ｎｍの波長のレーザ光２４を発する第３のレーザ励起光源２３を備えているが、５３２ｎｍの波長のレーザ光２４を発する第２のレーザ励起光源２２に代えて、あるいは、これらのレーザ励起光源に加えて、４７３ｎｍの波長のレーザ光２４を発するレーザ励起光源を、スキャナに設けることもできる。
【０５４５】
また、前記実施態様においては、ミラー３６と非球面レンズ３７を用いて、レーザ光２４を、蓄積性蛍光体シート１０、８０の輝尽性蛍光体層領域１２、８２あるいは生化学解析用ユニット１の吸着性領域４に集光させるとともに、蓄積性蛍光体シート１０、８０の輝尽性蛍光体層領域１２、８２から放出された輝尽光４５あるいは生化学解析用ユニット１の吸着性領域４から放出された蛍光４５を集光するように構成されているが、蓄積性蛍光体シート１０、８０の輝尽性蛍光体層領域１２、８２あるいは生化学解析用ユニット１の吸着性領域４に集光させるレーザ光集光光学系と、蓄積性蛍光体シート１０、８０の輝尽性蛍光体層領域１２、８２から放出された輝尽光４５あるいは生化学解析用ユニット１の吸着性領域４から放出された蛍光４５を集光する検出光集光光学系を、一定の相対的位置関係をもって、独立して、設けることもできる。
【０５４６】
さらに、前記実施態様においては、光学ヘッド３５を主走査方向に移動させることによって、蓄積性蛍光体シート１０、８０の支持体１１、８１に形成された各ラインの輝尽性蛍光体層領域１２、８２あるいは生化学解析用ユニット１の基板２に形成された各ラインの吸着性領域４を、レーザ光２４によって走査するように構成されているが、光学ヘッド３５を主走査方向に移動させることによって、蓄積性蛍光体シート１０、８０の支持体１１、８１に形成された各ラインの輝尽性蛍光体層領域１２、８２あるいは生化学解析用ユニット１の基板２に形成された各ラインの吸着性領域４を、レーザ光２４によって走査するように構成することは必ずしも必要でなく、光学ヘッド３５を一定の位置に保持し、サンプルステージ４０を、主走査方向および副走査方向に移動させて、蓄積性蛍光体シート１０、８０の支持体１１、８１に形成されたすべての輝尽性蛍光体層領域１２、８２あるいは生化学解析用ユニット１の基板２に形成されたすべての吸着性領域４を、レーザ光２４によって走査するように構成することもできる。
【０５４７】
また、前記実施態様においては、励起光源として、レーザ励起光源２１、２２、２３が用いられているが、レーザ励起光源２１、２２、２３を、励起光源として、用いることは必ずしも必要でなく、レーザ励起光源２１、２２、２３に代えて、ＬＥＤ光源などを用いることもできる。
【０５４８】
さらに、前記実施態様においては、生化学解析用ユニット１の基板２に形成された多数の吸着性領域４に、特異的結合物質を吸着させ、生化学解析用ユニット１の多数の吸着性領域４に吸着された特異的結合物質に、ハイブリダイゼーション反応によって、放射性標識物質によって標識された生体由来の物質、化学発光基質と接触させることによって化学発光を生じさせる標識物質によって標識された生体由来の物質および蛍光色素などの蛍光物質によって標識された生体由来の物質を選択的に特異的結合させて、生化学解析用ユニット１の基板２に形成された多数の吸着性領域４に、放射線データ、化学発光データおよび蛍光データを選択的に記録しているが、生化学解析用ユニット１の多数の吸着性領域４に吸着された特異的結合物質に、ハプテンによって標識された生体由来の物質を、選択的に、ハイブリダイズさせ、さらに、化学発光基質と接触させることによって、化学発光を生じさせる酵素によって標識されたハプテンに対する抗体を、多数の吸着性領域４に吸着された特異的結合物質に選択的に結合されているハプテンに、抗原抗体反応によって、結合させて、生化学解析用ユニット１の基板２に形成された多数の吸着性領域４に、化学発光データを記録することもでき、また、生化学解析用ユニット１の多数の吸着性領域４に吸着された特異的結合物質に、ハプテンによって標識された生体由来の物質を、選択的に、ハイブリダイズさせ、さらに、蛍光基質と接触させることによって、蛍光物質を生じさせる酵素によって標識されたハプテンに対する抗体を、多数の吸着性領域４に吸着された特異的結合物質に選択的に結合されているハプテンに、抗原抗体反応によって、結合させて、生化学解析用ユニット１の基板２に形成された多数の吸着性領域４に、蛍光データを記録することもできる。ハプテン／抗体の組合わせの例としては　ジゴキシゲニン／抗ジゴキシゲニン抗体、テオフィリン／抗テオフィリン抗体、フルオロセイン／抗フルオロセイン抗体などをあげることができる。また、ハプテン／抗体ではなく、ビオチン／アヴィジンや抗原／抗体などの組合わせを利用することも可能である。
【０５４９】
【発明の効果】
本発明によれば、蓄積性蛍光体シートの支持体に形成された多数の輝尽性蛍光体層領域のみに、確実に、励起光を導き、輝尽性蛍光体層領域に含まれた輝尽性蛍光体を励起し、輝尽性蛍光体層領域から放出された輝尽光を光電的に検出して、定量性に優れた生化学解析用データを生成することができ、生化学解析用ユニットの基板に形成された多数の吸着性領域のみに、確実に、励起光を導き、吸着性領域に含まれた蛍光物質を励起し、吸着性領域から放出された蛍光をを光電的に検出して、定量性に優れた生化学解析用データを生成することができる生化学解析用データ読み取り方法および装置を提供することが可能になる。
【図面の簡単な説明】
【図１】図１は、生化学解析用ユニットの略斜視図である。
【図２】図２は、スポッティング装置の略正面図である。
【図３】図３は、ハイブリダイゼーション反応容器の略縦断面図である。
【図４】図４は、生化学解析用ユニットの多数の吸着性領域に記録された放射線データを転写すべき蓄積性蛍光体シートの略斜視図である。
【図５】図５は、生化学解析用ユニットに形成された多数の吸着性領域に含まれた放射性標識物質によって、蓄積性蛍光体シートに形成された多数の輝尽性蛍光体層領域を露光する方法を示す略断面図である。
【図６】図６は、蓄積性蛍光体シートの支持体に形成された多数の輝尽性蛍光体層領域に記録されている放射線データを読み取って、生化学解析用データを生成するとともに、生化学解析用ユニットの基板に形成された多数の吸着性領域に記録されている蛍光色素などの蛍光データを読み取って、生化学解析用データを生成するスキャナの概略図である。
【図７】図７は、光学ヘッドの走査機構の略平面図である。
【図８】図８は、図６に示されたスキャナの制御系、入力系、駆動系および検出系を示すブロックダイアグラムである。
【図９】図９は、生化学解析用ユニットの多数の吸着性領域に記録された化学発光データを転写すべき蓄積性蛍光体シートの略斜視図である。
【図１０】図１０は、本発明の他の実施態様にかかるスキャナの概略図である。
【図１１】図１１は、ライトボックスの略縦断面図である。
【符号の説明】
１　　生化学解析用ユニット
２　基板
３　貫通孔
４　吸着性領域
５　スポッティング装置
６　インジェクタ
７　ＣＣＤカメラ
８　ハイブリダイゼーション反応容器
９　ハイブリダイゼーション反応溶液
１０　蓄積性蛍光体シート
１１　支持体
１２　輝尽性蛍光体層領域
１３　貫通孔
２０　位置決め用レーザ光源
２１　第１のレーザ励起光源
２２　第２のレーザ励起光源
２３　第３のレーザ励起光源
２４　レーザ光
２５　コリメータレンズ
２６　ミラー
２７　第１のダイクロイックミラー
２８　第２のダイクロイックミラー
２９　ミラー
３０　コリメータレンズ
３１　コリメータレンズ
３２　ミラー
３３　穴開きミラーの穴
３４　穴開きミラー
３５　光学ヘッド
３６　ミラー
３７　非球面レンズ
３８　凹面ミラー
４０　サンプルステージ
４５　輝尽光あるいは蛍光
４８　フィルタユニット
５０　フォトマルチプライア
５１ａ、５１ｂ、５１ｃ、５１ｄ、５１ｅ　フィルタ
５３　Ａ／Ｄ変換器
５４　データ処理装置
５５　遮光部材
５６　第３のダイクロイックミラー
６０　基板
６１　副走査パルスモータ
６２　一対のレール
６３　移動可能な基板
６４　ロッド
６５　主走査ステッピングモータ
６６　エンドレスベルト
６７　リニアエンコーダ
６８　リニアエンコーダのスリット
７０　コントロールユニット
７１　キーボード
７２　フィルタユニットモータ
７３　遮光部材モータ
８０　蓄積性蛍光体シート
８１　支持体
８２　輝尽性蛍光体層領域
８３　貫通孔
９０　ライトボックス
９１　ケーシング
９２　青色ＬＥＤ光源
９３　青色透過フィルタ
９４　青色光
【図１】
2004117272.tif 000003
【図２】
2004117272.tif 000004
【図３】
2004117272.tif 000005
【図４】
2004117272.tif 000006
【図５】
2004117272.tif 000007
【図６】
2004117272.tif 000008
【図７】
2004117272.tif 000009
【図８】
2004117272.tif 000010
【図９】
2004117272.tif 000011
【図１０】
2004117272.tif 000012
【図１１】
2004117272.tif 000013